(57)【要約】【課題】データ送信効率を改善すること。【解決手段】方法は、ＡＰにより構築されたＰＰＤＵにおけるＰＬＣＰヘッダ領域の制御領域によって、ＡＰの識別子情報、持続時間情報、および少なくとも１つのＳＴＡの識別子を担持することを含み、ＳＴＡは、ＰＬＣＰヘッダ領域の制御領域のみを解析することによって、ＡＰの識別子情報、持続時間情報、および少なくとも１つのＳＴＡの識別子を取得し得る。そのＳＴＡは、ＰＰＤＵの制御領域がそのＳＴＡの識別子およびワイルドカードＳＴＡ識別子を含むかどうかを決定し得、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいては、ＰＰＤＵの制御領域のみが解析されるので、データ送信効率が改善する。【選択図】図１
2019135883.tif 000002
【特許請求の範囲】
【請求項１】
ワイヤレスローカルエリアネットワーク通信装置であって、前記通信装置は、アクセスポイントＡＰ内に配設され、
ワイヤレスローカルエリアネットワークの物理層プロトコルデータユニットＰＰＤＵを生成するように構成された処理ユニットであって、前記ＰＰＤＵは、少なくとも、物理層コンバージェンスプロトコルＰＬＣＰヘッダ領域およびデータ領域を含み、前記ＰＬＣＰヘッダ領域は、プリアンブルおよび制御領域を含み、前記制御領域は、少なくとも、前記ＡＰの識別子、少なくとも１つのステーションＳＴＡの識別子、および持続時間情報を担持する、処理ユニットと、
前記生成されたＰＰＤＵを送るように構成されたトランシーバユニットとを備えることを特徴とするワイヤレスローカルエリアネットワーク通信装置。
【請求項２】
前記処理ユニットによって生成された前記ＰＰＤＵの前記データ領域は、そのＭＡＣヘッダ領域が送信機アドレス、受信機アドレス、または持続時間情報を含まない、ダウンリンク媒体アクセス制御プロトコルデータユニットＭＰＤＵを担持することを特徴とする請求項１に記載の装置。
【請求項３】
前記処理ユニットによって生成された前記ＰＰＤＵの前記データ領域は、ダウンリンクＭＰＤＵを担持し、前記ダウンリンクＭＰＤＵのＭＡＣヘッダ領域は、送信機アドレス、受信機アドレス、または持続時間情報を含まないことを特徴とする請求項１に記載の装置。
【請求項４】
前記トランシーバユニットは、ＳＴＡにより送られたアップリンクＰＰＤＵを受け取るようにさらに構成され、前記アップリンクＰＰＤＵのデータ領域は、そのＭＡＣヘッダ領域が送信機アドレス、受信機アドレス、または持続時間情報を含まない、アップリンクＭＰＤＵを担持することを特徴とする請求項１乃至３のいずれか一項に記載の装置。
【請求項５】
前記トランシーバユニットは、ＳＴＡにより送られたアップリンクＰＰＤＵを受け取るようにさらに構成され、前記アップリンクＰＰＤＵのデータ領域は、アップリンクＭＰＤＵを担持し、前記アップリンクＭＰＤＵのＭＡＣヘッダ領域は、送信機アドレス、受信機アドレス、または持続時間情報を含まないことを特徴とする請求項１乃至３のいずれか一項に記載の装置。
【請求項６】
前記トランシーバユニットは、直交周波数分割多元接続ＯＦＤＭＡ技術を使用することによって前記データ領域を送信するようにさらに構成され、前記データ領域で担持される前記アップリンクＭＰＤＵまたは前記ダウンリンクＭＰＤＵの前記ＭＡＣヘッダ領域は、ＯＦＤＭＡ制御フィールドをさらに含むことを特徴とする請求項２乃至５のいずれか一項に記載の装置。
【請求項７】
前記処理ユニットは、ＯＦＤＭＡ送信機会ＴＸＯＰにおいてＮ個の連続したＰＰＤＵを生成するように特に構成され、前記Ｎ個の連続したＰＰＤＵのｉ番目フレームについて、前記ＰＬＣＰヘッダ領域の前記制御領域の前記持続時間情報によって示される時間長値は、前記ｉ番目フレームの送信の開始からＮ番目フレームの送信の終了までの総持続時間であり、ｉの値範囲は［１，Ｎ］であることを特徴とする請求項６に記載の装置。
【請求項８】
前記アップリンクＭＰＤＵまたは前記ダウンリンクＭＰＤＵの前記ＭＡＣヘッダ領域は、少なくともフレーム制御フィールドをさらに含み、前記フレーム制御フィールドは、プロトコルバージョンのインジケータビット、フレームのタイプのインジケータビット、またはフレームのサブタイプのインジケータビットを含み、これら３つのインジケータビットの値は、新しく追加された値であることを特徴とする請求項２乃至７のいずれか一項に記載の装置。
【請求項９】
請求項１乃至８のいずれか一項に記載の通信装置を備えるアクセスポイントＡＰであって、
トランシーバユニットにより送られたＰＰＤＵを受け取り、前記ＰＰＤＵを無線周波数信号に変調し、次いで前記無線周波数信号を送るように構成された無線周波数モジュールをさらに備えることを特徴とするアクセスポイントＡＰ。
【請求項１０】
ワイヤレスローカルエリアネットワーク通信装置であって、前記通信装置は、ステーションＳＴＡ内に配設され、
アクセスポイントＡＰにより送られたワイヤレスローカルエリアネットワークの物理層プロトコルデータユニットＰＰＤＵを受け取るように構成されたトランシーバユニットであって、前記ＰＰＤＵは、少なくとも、物理層コンバージェンスプロトコルＰＬＣＰヘッダ領域およびデータ領域を含み、前記ＰＬＣＰヘッダ領域は、プリアンブルおよび制御領域を含み、前記制御領域は、少なくとも、前記ＡＰの識別子情報、少なくとも１つのステーションＳＴＡの識別子、および持続時間情報を担持する、トランシーバユニットと、
前記ＰＰＤＵの前記制御領域における前記ＡＰの前記識別子情報、少なくとも１つのステーションＳＴＡの前記識別子、および前記持続時間情報を、解析によって取得するように構成された処理ユニットとを備えることを特徴とするワイヤレスローカルエリアネットワーク通信装置。
【請求項１１】
前記受け取られたＰＰＤＵの前記データ領域は、そのＭＡＣヘッダ領域が送信機アドレス、受信機アドレス、または持続時間情報を含まない、ダウンリンク媒体アクセス制御プロトコルデータユニットＭＰＤＵを担持し、
前記処理ユニットは、前記受け取られたＰＰＤＵの前記制御領域における前記ＡＰの識別子および前記ステーションＳＴＡの識別子に従って、前記ダウンリンクＭＰＤＵの前記ＭＡＣヘッダ領域における前記送信機アドレスおよび前記受信機アドレスを取得するようにさらに構成されることを特徴とする請求項１０に記載の装置。
【請求項１２】
前記受け取られたＰＰＤＵの前記データ領域は、ダウンリンク媒体アクセス制御プロトコルデータユニットＭＰＤＵを担持し、前記ダウンリンクＭＰＤＵのＭＡＣヘッダ領域は、送信機アドレス、受信機アドレス、または持続時間情報を含まず、
前記処理ユニットは、前記受け取られたＰＰＤＵの前記制御領域における前記ＡＰの識別子および前記ステーションＳＴＡの識別子に従って、前記ダウンリンクＭＰＤＵの前記送信機アドレスおよび前記受信機アドレスを取得するようにさらに構成されることを特徴とする請求項１０に記載の装置。
【請求項１３】
前記処理ユニットは、アップリンクＰＰＤＵを生成するようにさらに構成され、前記アップリンクＰＰＤＵのデータ領域は、そのＭＡＣヘッダ領域が送信機アドレス、受信機アドレス、または持続時間情報を含まない、アップリンクＭＰＤＵを担持し、
前記トランシーバユニットは、前記アップリンクＰＰＤＵを送るようにさらに構成されることを特徴とする請求項１０乃至１２のいずれか一項に記載の装置。
【請求項１４】
前記処理ユニットは、アップリンクＰＰＤＵを生成するようにさらに構成され、前記アップリンクＰＰＤＵのデータ領域は、アップリンクＭＰＤＵを担持し、前記アップリンクＭＰＤＵのＭＡＣヘッダ領域は、送信機アドレス、受信機アドレス、または持続時間情報を含まないことを特徴とする請求項１０乃至１２のいずれか一項に記載の装置。
【請求項１５】
前記処理ユニットは、解析によって取得された、前記ＰＰＤＵにおける前記少なくとも１つのステーションＳＴＡの前記識別子が、前記通信装置が配置された前記ＳＴＡの前記識別子を含まず、ワイルドカードＳＴＡ識別子を含まないと決定されたとき、解析によって取得された前記持続時間情報に従って、前記通信装置が配置された前記ＳＴＡのＮＡＶを構成するようにさらに構成されることを特徴とする請求項１０乃至１４のいずれか一項に記載の装置。
【請求項１６】
請求項１０乃至１５のいずれか一項に記載の通信装置を備えるステーションＳＴＡであって、
前記ＡＰにより送られたＰＰＤＵの無線周波数信号を受け取り、前記無線周波数信号を前記ＰＰＤＵに復調し、次いで前記ＰＰＤＵを前記トランシーバユニットに送るように構成された無線周波数モジュールをさらに備えることを特徴とするステーションＳＴＡ。
【請求項１７】
ワイヤレスローカルエリアネットワークの物理層プロトコルデータユニットＰＰＤＵを生成するステップであって、前記ＰＰＤＵは、少なくとも、物理層コンバージェンスプロトコルＰＬＣＰヘッダ領域およびデータ領域を含み、前記ＰＬＣＰヘッダ領域は、プリアンブルおよび制御領域を含み、前記制御領域は、少なくとも、前記ＡＰの識別子、少なくとも１つのステーションＳＴＡの識別子、および持続時間情報を担持する、生成するステップと、
前記生成されたＰＰＤＵを送るステップとを含むことを特徴とするワイヤレスローカルエリアネットワークデータ送信方法。
【請求項１８】
前記生成されたＰＰＤＵの前記データ領域は、そのＭＡＣヘッダ領域が送信機アドレス、受信機アドレス、または持続時間情報を含まない、ダウンリンク媒体アクセス制御プロトコルデータユニットＭＰＤＵを担持することを特徴とする請求項１７に記載の方法。
【請求項１９】
前記生成されたＰＰＤＵの前記データ領域は、ダウンリンク媒体アクセス制御プロトコルデータユニットＭＰＤＵを担持し、前記ダウンリンクＭＰＤＵのＭＡＣヘッダ領域は、送信機アドレス、受信機アドレス、または持続時間情報を含まないことを特徴とする請求項１７に記載の方法。
【請求項２０】
前記生成されたＰＰＤＵを送る前記ステップの後に、前記方法は、
ＳＴＡにより送られたアップリンクＰＰＤＵを受け取るステップであって、前記アップリンクＰＰＤＵのデータ領域は、そのＭＡＣヘッダ領域が送信機アドレス、受信機アドレス、または持続時間情報を含まない、アップリンクＭＰＤＵを担持する、受け取るステップをさらに含むことを特徴とする請求項１７乃至１９のいずれか一項に記載の方法。
【請求項２１】
前記生成されたＰＰＤＵを送る前記ステップの後に、前記方法は、
ＳＴＡにより送られたアップリンクＰＰＤＵを受け取るステップであって、前記アップリンクＰＰＤＵのデータ領域は、アップリンクＭＰＤＵを担持し、前記アップリンクＭＰＤＵのＭＡＣヘッダ領域は、送信機アドレス、受信機アドレス、または持続時間情報を含まない、受け取るステップをさらに含むことを特徴とする請求項１７乃至１９のいずれか一項に記載の方法。
【請求項２２】
前記生成されたＰＰＤＵを送る前記ステップは、
直交周波数分割多元接続ＯＦＤＭＡ技術を使用することによって、前記生成されたＰＰＤＵの前記データ領域を送るステップであって、前記データ領域で担持される前記アップリンクＭＰＤＵまたは前記ダウンリンクＭＰＤＵの前記ＭＡＣヘッダ領域は、ＯＦＤＭＡ制御フィールドをさらに含む、送るステップを特に含むことを特徴とする請求項１８乃至２１のいずれか一項に記載の方法。
【請求項２３】
ＴＸＯＰホルダが、ＯＦＤＭＡ送信機会ＴＸＯＰにおいてＮ個の連続したＰＰＤＵを生成するように特に構成され、前記Ｎ個の連続したＰＰＤＵのｉ番目フレームについて、前記ＰＬＣＰヘッダ領域の前記制御領域の前記持続時間情報によって示される時間長値は、前記ｉ番目フレームの送信の開始からＮ番目フレームの送信の終了までの総持続時間であり、ｉの値範囲は［１，Ｎ］であることを特徴とする請求項２２に記載の方法。
【請求項２４】
前記アップリンクＭＰＤＵまたは前記ダウンリンクＭＰＤＵの前記ＭＡＣヘッダ領域は、少なくともフレーム制御フィールドをさらに含み、前記フレーム制御フィールドは、プロトコルバージョンのインジケータビット、フレームのタイプのインジケータビット、またはフレームのサブタイプのインジケータビットを含み、これら３つのインジケータビットの値は、新しく追加された値であることを特徴とする請求項１８乃至２３のいずれか一項に記載の方法。
【請求項２５】
アクセスポイントＡＰにより送られたワイヤレスローカルエリアネットワークの物理層プロトコルデータユニットＰＰＤＵを受け取るステップであって、前記ＰＰＤＵは、少なくとも、物理層コンバージェンスプロトコルＰＬＣＰヘッダ領域およびデータ領域を含み、前記ＰＬＣＰヘッダ領域は、プリアンブルおよび制御領域を含み、前記制御領域は、少なくとも、前記ＡＰの識別子情報、少なくとも１つのステーションＳＴＡの識別子、および持続時間情報を担持する、受け取るステップと、
前記ＰＰＤＵの前記制御領域における前記ＡＰの前記識別子情報、少なくとも１つのステーションＳＴＡの前記識別子、および前記持続時間情報を、解析によって取得するステップとを含むことを特徴とするワイヤレスローカルエリアネットワークデータ送信方法。
【請求項２６】
前記受け取られたＰＰＤＵの前記データ領域は、そのＭＡＣヘッダ領域が送信機アドレス、受信機アドレス、または持続時間情報を含まない、ダウンリンク媒体アクセス制御プロトコルデータユニットＭＰＤＵを担持し、
前記ＰＰＤＵの前記制御領域における前記ＡＰの前記識別子情報、少なくとも１つのステーションＳＴＡの前記識別子、および前記持続時間情報を、解析によって取得する前記ステップの後に、前記方法は、
前記受け取られたＰＰＤＵの前記制御領域における前記ＡＰの識別子およびステーションＳＴＡの識別子に従って、前記ダウンリンクＭＰＤＵの前記ＭＡＣヘッダ領域における前記送信機アドレスおよび前記受信機アドレスを取得するステップをさらに含むことを特徴とする請求項２５に記載の方法。
【請求項２７】
前記受け取られたＰＰＤＵの前記データ領域は、ダウンリンク媒体アクセス制御プロトコルデータユニットＭＰＤＵを担持し、前記ダウンリンクＭＰＤＵのＭＡＣヘッダ領域は、送信機アドレス、受信機アドレス、または持続時間情報を含まず、
前記ＰＰＤＵの前記制御領域における前記ＡＰの前記識別子情報、少なくとも１つのステーションＳＴＡの前記識別子、および前記持続時間情報を、解析によって取得する前記ステップの後に、前記方法は、
前記受け取られたＰＰＤＵの前記制御領域における前記ＡＰの識別子およびステーションＳＴＡの識別子に従って、前記ダウンリンクＭＰＤＵの前記送信機アドレスおよび前記受信機アドレスを取得するステップをさらに含むことを特徴とする請求項２５に記載の方法。
【請求項２８】
前記ＰＰＤＵの前記制御領域における前記ＡＰの前記識別子情報、少なくとも１つのステーションＳＴＡの前記識別子、および前記持続時間情報を、解析によって取得する前記ステップの後に、前記方法は、
アップリンクＰＰＤＵを生成するステップであって、前記アップリンクＰＰＤＵのデータ領域は、そのＭＡＣヘッダ領域が送信機アドレス、受信機アドレス、または持続時間情報を含まない、アップリンクＭＰＤＵを担持する、生成するステップをさらに含み、前記トランシーバユニットは、前記アップリンクＰＰＤＵを送るようにさらに構成されることを特徴とする請求項２５乃至２７のいずれか一項に記載の方法。
【請求項２９】
前記ＰＰＤＵの前記制御領域における前記ＡＰの前記識別子情報、少なくとも１つのステーションＳＴＡの前記識別子、および前記持続時間情報を、解析によって取得する前記ステップの後に、前記方法は、
アップリンクＰＰＤＵを生成するステップであって、前記アップリンクＰＰＤＵのデータ領域は、アップリンクＭＰＤＵを担持し、前記アップリンクＭＰＤＵのＭＡＣヘッダ領域は、送信機アドレス、受信機アドレス、または持続時間情報を含まない、生成するステップをさらに含むことを特徴とする請求項２５乃至２７のいずれか一項に記載の方法。
【請求項３０】
前記ＰＰＤＵの前記制御領域における前記ＡＰの前記識別子情報、少なくとも１つのステーションＳＴＡの前記識別子、および前記持続時間情報を、解析によって取得する前記ステップの後に、前記方法は、
解析によって取得された、前記ＰＰＤＵにおける前記少なくとも１つのステーションＳＴＡの前記識別子が、前記ＳＴＡの前記識別子を含まず、ワイルドカードＳＴＡ識別子を含まないと決定されたとき、解析によって取得された前記持続時間情報に従って、前記ＳＴＡのＮＡＶを構成するステップをさらに含むことを特徴とする請求項２５乃至２９のいずれか一項に記載の方法。
【発明の詳細な説明】
【技術分野】
【０００１】
本発明は、ワイヤレス通信の分野に関し、詳細には、ワイヤレスローカルエリアネットワークデータ送信方法および装置に関する。
【背景技術】
【０００２】
本出願は、２０１４年９月１９日に中国特許庁に出願され、「ＷＩＲＥＬＥＳＳ  ＬＯＣＡＬ  ＡＲＥＡ  ＮＥＴＷＯＲＫ  ＤＡＴＡ  ＴＲＡＮＳＭＩＳＳＩＯＮ  ＭＥＴＨＯＤ  ＡＮＤ  ＡＰＰＡＲＡＴＵＳ」と題されたＰＣＴ特許出願第ＰＣＴ／ＣＮ２０１４／０８６９４４号の優先権を主張し、２０１４年１月６日に中国特許庁に出願され、「ＷＩＲＥＬＥＳＳ  ＬＯＣＡＬ  ＡＲＥＡ  ＮＥＴＷＯＲＫ  ＤＡＴＡ  ＴＲＡＮＳＭＩＳＳＩＯＮ  ＭＥＴＨＯＤ  ＡＮＤ  ＡＰＰＡＲＡＴＵＳ」と題された第ＰＣＴ／ＣＮ２０１５／０７０２３３号の優先権を主張し、これらは、参照によりその全体が本明細書に組み込まれる。
【０００３】
通信技術の急速な発展に伴って、ＩＥＥＥ８０２．１１規格に基づくワイヤレスローカルエリアネットワーク（英語：Wireless Local Area Network、略してＷＬＡＮ）技術が広く使用されている。ＩＥＥＥ８０２．１１ｎ／ａｃプロトコルに基づく物理層（英語：Physical Layer、略してＰＨＹ）は、直交周波数分割多元（英語：Orthogonal frequency division multiplexing、略してＯＦＤＭ）技術を使用する。
【０００４】
ＷＬＡＮネットワークは、複数のアクセスポイント（英語：Access Point、略してＡＰ）、および複数のステーション（英語：Station、略してＳＴＡ）を含むことがある。各ＡＰは、複数のＳＴＡに関連付けられてよく、各ＡＰは、無線チャネルを使用することによって、ＡＰに関連付けられたＳＴＡに対してワイヤレスローカルエリアネットワークデータを送信し得る。ＡＰは、ＡＰに関連付けられたＳＴＡに対して物理層プロトコルデータユニット（英語：Physical Layer Protocol Data Unit、略してＰＰＤＵ）を送信する。
【０００５】
従来技術では、受信側端末ＳＴＡは、ＰＰＤＵ全体を解析した後のみ、ＰＰＤＵに関する情報がそのＳＴＡに属するかどうかを決定することができる。結果として、プロセス中に大量の不必要な情報が解析され、それにより送信効率が低下する。したがって、ワイヤレスローカルエリアネットワークデータ送信様式は、ＩＥＥＥ８０２．１１ａｘプロトコルに基づき、データ送信効率を改善することを緊急に必要とされている。
【発明の概要】
【０００６】
本発明の実施形態は、データ送信効率を改善するために使用されるワイヤレスローカルエリアネットワークデータ送信方法および装置を提供する。
【０００７】
第１の態様によれば、ワイヤレスローカルエリアネットワーク通信装置が提供され、通信装置は、アクセスポイントＡＰ内に配設され、
ワイヤレスローカルエリアネットワークの物理層プロトコルデータユニットＰＰＤＵを生成するように構成された処理ユニットであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのステーションＳＴＡの識別子、および持続時間情報を担持する、処理ユニットと、
生成されたＰＰＤＵを送るように構成されたトランシーバユニットとを含む。
【０００８】
第１の態様を参照して、第１の態様の第１の可能な実装様式では、処理ユニットによって生成されたＰＰＤＵのデータ領域は、そのＭＡＣヘッダ領域が送信機アドレス、受信機アドレス、または持続時間情報を含まない、ダウンリンク媒体アクセス制御プロトコルデータユニットＭＰＤＵを担持する。
【０００９】
第１の態様を参照して、第１の態様の第２の可能な実装様式では、処理ユニットによって生成されたＰＰＤＵのデータ領域は、ダウンリンクＭＰＤＵを担持し、ダウンリンクＭＰＤＵのＭＡＣヘッダ領域は、送信機アドレス、受信機アドレス、または持続時間情報を含まない。
【００１０】
第１の態様、または第１の態様の第１乃至第２の可能な実装様式のいずれか１つを参照して、第１の態様の第３の可能な実装様式では、トランシーバユニットは、ＳＴＡにより送られたアップリンクＰＰＤＵを受け取るようにさらに構成され、アップリンクＰＰＤＵのデータ領域は、そのＭＡＣヘッダ領域が送信機アドレス、受信機アドレス、または持続時間情報を含まない、アップリンクＭＰＤＵを担持する。
【００１１】
第１の態様、または第１の態様の第１乃至第２の可能な実装様式のいずれか１つを参照して、第１の態様の第４の可能な実装様式では、トランシーバユニットは、ＳＴＡにより送られたアップリンクＰＰＤＵを受け取るようにさらに構成され、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００１２】
第１の態様の第１乃至第４の可能な実装様式のいずれか１つを参照して、第１の態様の第５の可能な実装様式では、トランシーバユニットは、直交周波数分割多元接続ＯＦＤＭＡ技術を使用することによってデータ領域を送信するようにさらに構成され、データ領域で担持されるアップリンクＭＰＤＵまたはダウンリンクＭＰＤＵのＭＡＣヘッダ領域は、ＯＦＤＭＡ制御フィールドをさらに含む。
【００１３】
第１の態様の第５の可能な実装様式を参照して、第１の態様の第６の可能な実装様式では、処理ユニットは、ＯＦＤＭＡ送信機会ＴＸＯＰにおいてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【００１４】
第１の態様、または第１の態様の第１乃至第６の可能な実装様式のいずれか１つを参照して、第１の態様の第７の可能な実装様式では、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【００１５】
第２の態様によれば、ワイヤレスローカルエリアネットワーク通信装置が提供され、通信装置は、ステーションＳＴＡ内に配設され、
アクセスポイントＡＰにより送られたワイヤレスローカルエリアネットワークの物理層プロトコルデータユニットＰＰＤＵを受け取るように構成されたトランシーバユニットであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子情報、少なくとも１つのステーションＳＴＡの識別子、および持続時間情報を担持する、トランシーバユニットと、
ＰＰＤＵの制御領域におけるＡＰの識別子情報、少なくとも１つのステーションＳＴＡの識別子、および持続時間情報を、解析によって取得するように構成された処理ユニットとを含む。
【００１６】
第２の態様を参照して、第２の態様の第１の可能な実装様式では、受け取られたＰＰＤＵのデータ領域は、そのＭＡＣヘッダ領域が送信機アドレス、受信機アドレス、または持続時間情報を含まない、ダウンリンク媒体アクセス制御プロトコルデータユニットＭＰＤＵを担持し、
処理ユニットは、受け取られたＰＰＤＵの制御領域におけるＡＰの識別子およびステーションＳＴＡの識別子に従って、ダウンリンクＭＰＤＵのＭＡＣヘッダ領域における送信機アドレスおよび受信機アドレスを取得するようにさらに構成される。
【００１７】
第２の態様を参照して、第２の態様の第２の可能な実装様式では、受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まず、
処理ユニットは、受け取られたＰＰＤＵの制御領域におけるＡＰの識別子およびステーションＳＴＡの識別子に従って、ダウンリンクＭＰＤＵの送信機アドレスおよび受信機アドレスを取得するようにさらに構成される。
【００１８】
第２の態様、または第２の態様の第１乃至第２の可能な実装様式のいずれか１つを参照して、第２の態様の第３の可能な実装様式では、処理ユニットは、アップリンクＰＰＤＵを生成するようにさらに構成され、アップリンクＰＰＤＵのデータ領域は、そのＭＡＣヘッダ領域が送信機アドレス、受信機アドレス、または持続時間情報を含まない、アップリンクＭＰＤＵを担持し、トランシーバユニットは、アップリンクＰＰＤＵを送るようにさらに構成される。
【００１９】
第２の態様、または第２の態様の第１乃至第２の可能な実装様式のいずれか１つを参照して、第２の態様の第４の可能な実装様式では、処理ユニットは、アップリンクＰＰＤＵを生成するようにさらに構成され、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００２０】
第２の態様の第１乃至第４の可能な実装様式のいずれか１つを参照して、第２の態様の第５の可能な実装様式では、処理ユニットは、解析によって取得された、ＰＰＤＵにおける少なくとも１つのステーションＳＴＡの識別子が、通信装置が配置されたＳＴＡの識別子を含まず、ワイルドカードＳＴＡ識別子を含まないと決定されたとき、解析によって取得された持続時間情報に従って、通信装置が配置されたＳＴＡのＮＡＶを構成するようにさらに構成される。
【００２１】
第３の態様によれば、ワイヤレスローカルエリアネットワーク通信装置が提供され、通信装置は、アクセスポイントＡＰ内に配設され、
ワイヤレスローカルエリアネットワークの物理層プロトコルデータユニットＰＰＤＵを生成するように構成されたプロセッサであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのステーションＳＴＡの識別子、および持続時間情報を担持する、プロセッサと、
生成されたＰＰＤＵを送るように構成されたトランシーバと、
ＭＰＤＵおよびＰＰＤＵを記憶するように構成されたメモリであって、メモリは、上記プロセスを実行するためにプロセッサによって使用されるコードも記憶し得る、メモリとを含む。
【００２２】
第３の態様を参照して、第３の態様の第１の可能な実装様式では、プロセッサによって生成されたＰＰＤＵのデータ領域は、そのＭＡＣヘッダ領域が送信機アドレス、受信機アドレス、または持続時間情報を含まない、ダウンリンク媒体アクセス制御プロトコルデータユニットＭＰＤＵを担持する。
【００２３】
第３の態様を参照して、第３の態様の第２の可能な実装様式では、プロセッサによって生成されたＰＰＤＵのデータ領域は、ダウンリンクＭＰＤＵを担持し、ダウンリンクＭＰＤＵのＭＡＣヘッダ領域は、送信機アドレス、受信機アドレス、または持続時間情報を含まない。
【００２４】
第３の態様、または第３の態様の第１乃至第２の可能な実装様式のいずれか１つを参照して、第３の態様の第３の可能な実装様式では、トランシーバは、ＳＴＡにより送られたアップリンクＰＰＤＵを受け取るようにさらに構成され、アップリンクＰＰＤＵのデータ領域は、そのＭＡＣヘッダ領域が送信機アドレス、受信機アドレス、または持続時間情報を含まない、アップリンクＭＰＤＵを担持する。
【００２５】
第３の態様、または第３の態様の第１乃至第２の可能な実装様式のいずれか１つを参照して、第３の態様の第４の可能な実装様式では、トランシーバは、ＳＴＡにより送られたアップリンクＰＰＤＵを受け取るようにさらに構成され、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００２６】
第３の態様の第１乃至第４の可能な実装様式のいずれか１つを参照して、第３の態様の第５の可能な実装様式では、トランシーバは、直交周波数分割多元接続ＯＦＤＭＡ技術を使用することによってデータ領域を送信するようにさらに構成され、データ領域で担持されるアップリンクＭＰＤＵまたはダウンリンクＭＰＤＵのＭＡＣヘッダ領域は、ＯＦＤＭＡ制御フィールドをさらに含む。
【００２７】
第３の態様の第５の可能な実装様式を参照して、第３の態様の第６の可能な実装様式では、プロセッサは、ＯＦＤＭＡ送信機会ＴＸＯＰにおいてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【００２８】
第３の態様、または第３の態様の第１乃至第６の可能な実装様式のいずれか１つを参照して、第３の態様の第７の可能な実装様式では、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【００２９】
第４の態様によれば、ワイヤレスローカルエリアネットワーク通信装置が提供され、通信装置は、ステーションＳＴＡ内に配設され、
アクセスポイントＡＰにより送られたワイヤレスローカルエリアネットワークの物理層プロトコルデータユニットＰＰＤＵを受け取るように構成されたトランシーバであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子情報、少なくとも１つのステーションＳＴＡの識別子、および持続時間情報を担持する、トランシーバと、
ＰＰＤＵの制御領域におけるＡＰの識別子情報、少なくとも１つのステーションＳＴＡの識別子、および持続時間情報を、解析によって取得するように構成されたプロセッサとを含む。
【００３０】
第４の態様を参照して、第４の態様の第１の可能な実装様式では、受け取られたＰＰＤＵのデータ領域は、そのＭＡＣヘッダ領域が送信機アドレス、受信機アドレス、または持続時間情報を含まない、ダウンリンク媒体アクセス制御プロトコルデータユニットＭＰＤＵを担持し、
プロセッサは、受け取られたＰＰＤＵの制御領域におけるＡＰの識別子およびステーションＳＴＡの識別子に従って、ダウンリンクＭＰＤＵのＭＡＣヘッダ領域における送信機アドレスおよび受信機アドレスを取得するようにさらに構成される。
【００３１】
第４の態様を参照して、第４の態様の第２の可能な実装様式では、受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まず、
プロセッサは、受け取られたＰＰＤＵの制御領域におけるＡＰの識別子およびステーションＳＴＡの識別子に従って、ダウンリンクＭＰＤＵの送信機アドレスおよび受信機アドレスを取得するようにさらに構成される。
【００３２】
第４の態様、または第４の態様の第１乃至第２の可能な実装様式のいずれか１つを参照して、第４の態様の第３の可能な実装様式では、プロセッサは、アップリンクＰＰＤＵを生成するようにさらに構成され、アップリンクＰＰＤＵのデータ領域は、そのＭＡＣヘッダ領域が送信機アドレス、受信機アドレス、または持続時間情報を含まない、アップリンクＭＰＤＵを担持し、トランシーバは、アップリンクＰＰＤＵを送るようにさらに構成される。
【００３３】
第４の態様、または第４の態様の第１乃至第２の可能な実装様式のいずれか１つを参照して、第４の態様の第４の可能な実装様式では、プロセッサは、アップリンクＰＰＤＵを生成するようにさらに構成され、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００３４】
第４の態様の第１乃至第４の可能な実装様式のいずれか１つを参照して、第４の態様の第５の可能な実装様式では、プロセッサは、解析によって取得された、ＰＰＤＵにおける少なくとも１つのステーションＳＴＡの識別子が、通信装置が配置されたＳＴＡの識別子を含まず、ワイルドカードＳＴＡ識別子を含まないと決定されたとき、解析によって取得された持続時間情報に従って、通信装置が配置されたＳＴＡのＮＡＶを構成するようにさらに構成される。
【００３５】
第５の態様によれば、アクセスポイントが提供され、アクセスポイントは、請求項１乃至８のいずれか一項に記載の通信装置を含み、
トランシーバユニットにより送られたＰＰＤＵを受け取り、ＰＰＤＵを無線周波数信号に変調し、次いで無線周波数信号を送るように構成された無線周波数モジュールをさらに含む。
【００３６】
第６の態様によれば、ステーションＳＴＡが提供され、ＳＴＡは、請求項１０乃至１５のいずれか一項に記載の通信装置を含み、
ＡＰにより送られたＰＰＤＵの無線周波数信号を受け取り、無線周波数信号をＰＰＤＵに復調し、次いでＰＰＤＵをトランシーバユニットに送るように構成された無線周波数モジュールをさらに含む。
【００３７】
第７の態様によれば、ワイヤレスローカルエリアネットワークデータ送信方法が提供され、ワイヤレスローカルエリアネットワークデータ送信方法は、
ワイヤレスローカルエリアネットワークの物理層プロトコルデータユニットＰＰＤＵを生成するステップであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのステーションＳＴＡの識別子、および持続時間情報を担持する、生成するステップと、
生成されたＰＰＤＵを送るステップとを含む。
【００３８】
第７の態様を参照して、第７の態様の第１の可能な実装様式では、生成されたＰＰＤＵのデータ領域は、そのＭＡＣヘッダ領域が送信機アドレス、受信機アドレス、または持続時間情報を含まない、ダウンリンク媒体アクセス制御プロトコルデータユニットＭＰＤＵを担持する。
【００３９】
第７の態様を参照して、第７の態様の第２の可能な実装様式では、生成されたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まない。
【００４０】
第７の態様、または第７の態様の第１乃至第２の可能な実装様式のいずれか１つを参照して、第７の態様の第３の可能な実装様式では、生成されたＰＰＤＵを送るステップの後に、本方法は、
ＳＴＡにより送られたアップリンクＰＰＤＵを受け取るステップであって、アップリンクＰＰＤＵのデータ領域は、そのＭＡＣヘッダ領域が送信機アドレス、受信機アドレス、または持続時間情報を含まない、アップリンクＭＰＤＵを担持する、受け取るステップをさらに含む。
【００４１】
第７の態様、または第７の態様の第１乃至第２の可能な実装様式のいずれか１つを参照して、第７の態様の第４の可能な実装様式では、生成されたＰＰＤＵを送るステップの後に、本方法は、
ＳＴＡにより送られたアップリンクＰＰＤＵを受け取るステップであって、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない、受け取るステップをさらに含む。
【００４２】
第７の態様の第１乃至第４の可能な実装様式のいずれか１つを参照して、第７の態様の第５の可能な実装様式では、生成されたＰＰＤＵを送るステップは、
直交周波数分割多元接続ＯＦＤＭＡ技術を使用することによって、生成されたＰＰＤＵのデータ領域を送るステップであって、データ領域で担持されるアップリンクＭＰＤＵまたはダウンリンクＭＰＤＵのＭＡＣヘッダ領域は、ＯＦＤＭＡ制御フィールドをさらに含む、送るステップを特に含む。
【００４３】
第７の態様の第５の可能な実装様式を参照して、第７の態様の第６の可能な実装様式では、ＴＸＯＰホルダが、ＯＦＤＭＡ送信機会ＴＸＯＰにおいてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【００４４】
第７の態様、または第７の態様の第１乃至第６の可能な実装様式のいずれか１つを参照して、第７の態様の第７の可能な実装様式では、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【００４５】
第８の態様によれば、ワイヤレスローカルエリアネットワークデータ送信方法が提供され、ワイヤレスローカルエリアネットワークデータ送信方法は、
アクセスポイントＡＰにより送られたワイヤレスローカルエリアネットワークの物理層プロトコルデータユニットＰＰＤＵを受け取るステップであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子情報、少なくとも１つのステーションＳＴＡの識別子、および持続時間情報を担持する、受け取るステップと、
ＰＰＤＵの制御領域におけるＡＰの識別子情報、少なくとも１つのステーションＳＴＡの識別子、および持続時間情報を、解析によって取得するステップとを含む。
【００４６】
第８の態様を参照して、第８の態様の第１の可能な実装様式では、受け取られたＰＰＤＵのデータ領域は、そのＭＡＣヘッダ領域が送信機アドレス、受信機アドレス、または持続時間情報を含まない、ダウンリンク媒体アクセス制御プロトコルデータユニットＭＰＤＵを担持し、
ＰＰＤＵの制御領域におけるＡＰの識別子情報、少なくとも１つのステーションＳＴＡの識別子、および持続時間情報を、解析によって取得するステップの後に、本方法は、
受け取られたＰＰＤＵの制御領域におけるＡＰの識別子およびステーションＳＴＡの識別子に従って、ダウンリンクＭＰＤＵのＭＡＣヘッダ領域における送信機アドレスおよび受信機アドレスを取得するステップをさらに含む。
【００４７】
第８の態様を参照して、第８の態様の第２の可能な実装様式では、受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まず、
ＰＰＤＵの制御領域におけるＡＰの識別子情報、少なくとも１つのステーションＳＴＡの識別子、および持続時間情報を、解析によって取得するステップの後に、本方法は、
受け取られたＰＰＤＵの制御領域におけるＡＰの識別子およびステーションＳＴＡの識別子に従って、ダウンリンクＭＰＤＵの送信機アドレスおよび受信機アドレスを取得するステップをさらに含む。
【００４８】
第８の態様、または第８の態様の第１乃至第２の可能な実装様式のいずれか１つを参照して、第８の態様の第３の可能な実装様式では、ＰＰＤＵの制御領域におけるＡＰの識別子情報、少なくとも１つのステーションＳＴＡの識別子、および持続時間情報を、解析によって取得するステップの後に、本方法は、
アップリンクＰＰＤＵを生成するステップであって、アップリンクＰＰＤＵのデータ領域は、そのＭＡＣヘッダ領域が送信機アドレス、受信機アドレス、または持続時間情報を含まない、アップリンクＭＰＤＵを担持する、生成するステップをさらに含み、トランシーバユニットは、アップリンクＰＰＤＵを送るようにさらに構成される。
【００４９】
第８の態様、または第８の態様の第１乃至第２の可能な実装様式のいずれか１つを参照して、第８の態様の第４の可能な実装様式では、ＰＰＤＵの制御領域におけるＡＰの識別子情報、少なくとも１つのステーションＳＴＡの識別子、および持続時間情報を、解析によって取得するステップの後に、本方法は、
アップリンクＰＰＤＵを生成するステップであって、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない、生成するステップをさらに含む。
【００５０】
第８の態様の第１乃至第４の可能な実装様式のいずれか１つを参照して、第８の態様の第５の可能な実装様式では、ＰＰＤＵの制御領域におけるＡＰの識別子情報、少なくとも１つのステーションＳＴＡの識別子、および持続時間情報を、解析によって取得するステップの後に、本方法は、
解析によって取得された、ＰＰＤＵにおける少なくとも１つのステーションＳＴＡの識別子が、ＳＴＡの識別子を含まず、ワイルドカードＳＴＡ識別子を含まないと決定されたとき、解析によって取得された持続時間情報に従って、ＳＴＡのＮＡＶを構成するステップをさらに含む。
【００５１】
本発明の実施形態において、ＡＰにより構築されたＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定し得、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいては、ＰＰＤＵの制御領域のみが解析されるので、データ送信効率が改善する。
【図面の簡単な説明】
【００５２】
本発明の実施形態における技術的解決策をより明瞭に説明するために、以下で実施形態
を説明するために必要とされる添付図面を簡単に説明する。明らかに、以下の説明におい
て添付図面は本発明の実施形態の一部を示すに過ぎず、当業者は創作的努力なしにこれら
の図面から他の図面を導き出し得る。
【００５３】
【図１】本発明の実施形態によるデータ送信システムを示す図である。
【図２】従来技術におけるＭＰＤＵおよびＰＰＤＵの概略構造図である。
【図３】従来技術におけるＡＰとＳＴＡとの間のデータ送信のためのアーキテクチャ    の概略図である。
【図４】従来技術におけるＭＰＤＵのフレーム構造の概略図である。
【図５】従来技術におけるＰＰＤＵのフレーム構造の概略図である。
【図６】本発明の実施形態に適用されるＰＰＤＵのフレーム構造の概略図である。
【図７】本発明の実施形態によるワイヤレスローカルエリアネットワーク通信装置の    概略構造図である。
【図８】本発明の実施形態によるワイヤレスローカルエリアネットワーク通信装置の    概略構造図である。
【図９】本発明の実施形態によるワイヤレスローカルエリアネットワーク通信装置の    概略構造図である。
【図１０】本発明の実施形態によるワイヤレスローカルエリアネットワーク通信装置    の概略構造図である。
【図１１】本発明の実施形態によるデータ送信方法を示す図である。
【図１２】本発明の実施形態によるデータ送信方法における持続時間情報によって指    定される時間長の概略図である。
【図１３ａ】本発明の実施形態によるデータ送信方法におけるＭＰＤＵのフレーム構    造の概略図である。
【図１３ｂ】本発明の実施形態によるデータ送信方法におけるＭＰＤＵのフレーム制    御フィールド内のいくつかのフレームの構造の概略図である。
【図１３ｃ】本発明の実施形態によるデータ送信方法におけるＭＰＤＵのフレーム構    造の概略図である。
【図１３ｄ】本発明の実施形態によるデータ送信方法におけるＭＰＤＵのフレーム構    造の概略図である。
【図１３ｅ】本発明の実施形態によるデータ送信方法におけるＭＰＤＵのフレーム構    造の概略図である。
【図１４】本発明の実施形態によるデータ送信方法を示す図である。
【図１５】本発明の実施形態によるワイヤレスローカルエリアネットワーク通信装置    の概略構造図である。
【図１６】本発明の実施形態によるワイヤレスローカルエリアネットワーク通信装置    の概略構造図である。
【発明を実施するための形態】
【００５４】
本発明の実施形態において、ＡＰにより構築されたＰＰＤＵにおけるＰＬＣＰヘッダ領域の制御領域は、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定し得、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【００５５】
現在策定されている次世代ワイヤレスローカルエリアネットワークの規格はＩＥＥＥ  ８０２．１１ａｘであり、これは、実際のネットワーク配備場面でワイヤレスローカルエリアネットワークの効率を改善することを意図しており、したがって、高効率ワイヤレスローカルエリアネットワーク（英語：High Efficiency WLAN、略してＨＥＷ）と呼ばれる。ＩＥＥＥ８０２．１１ａｘに基づくＰＨＹは、直交周波数分割多元接続（英語：Orthogonal frequency division multiplexing access、略してＯＦＤＭＡ）技術を使用する。
【００５６】
ＷＬＡＮは、複数のアクセスポイント（英語：Access Point、略してＡＰ）、および複数のステーション（英語：Station、略してＳＴＡ）を含むことがある。各ＡＰは、複数のＳＴＡに関連付けられてよく、各ＡＰは、無線チャネルを使用することによって、ＡＰに関連付けられたＳＴＡに対してワイヤレスローカルエリアネットワークデータを送信し得る。本発明の実施形態はＷＬＡＮシステムに適用され、ＷＬＡＮシステムはＡＰおよびＳＴＡを含む。図１は、本発明の実施形態に適用されるＷＬＡＮシステムの簡単な概略図である。図１のシステムは、１または複数のＡＰ６０１および１または複数のＳＴＡ６０２を含む。ＡＰ６０１とＳＴＡ６０２との間のワイヤレス通信は、ＯＦＤＭＡ技術を使用することによって行われる。
【００５７】
ＡＰは、ワイヤレスアクセスポイント、ブリッジ、またはホットスポットなどと呼ばれてもまたよく、サーバまたは通信ネットワークにアクセスすることがある。
【００５８】
ＳＴＡは、ユーザと呼ばれてもまたよく、または、ワイヤレスセンサ、ワイヤレス通信端末、もしくは携帯端末、たとえば、Ｗｉ−Ｆｉ通信機能をサポートする携帯電話（もしくは「セルラ」電話と呼ばれる）、もしくはワイヤレス通信機能を有するコンピュータであり得る。たとえば、ＳＴＡは、Ｗｉ−Ｆｉ通信機能をサポートし音声またはデータなどの通信データを無線アクセスネットワークと交換する、携帯、ポケットサイズ、ハンドヘルド、コンピュータ内蔵、ウェアラブル、または車載型のワイヤレス通信装置であり得る。
【００５９】
本発明のこの実施形態で言及されるＡＰの識別子情報は、ネットワークカバレッジエリア内でＡＰを一意に識別するために使用される。ＡＰの識別子情報は、基本サービスセット識別子（英語：Basic Service Set Identifier、略してＢＳＳＩＤ）またはＢＳＳＩＤの一部、たとえば、ＢＳＳＩＤの下位７ビット、ＢＳＳＩＤに基づいて生成された識別子、またはネットワークによって事前に割り当てられたＡＰの識別子であり得る。
【００６０】
本発明のこの実施形態で言及される持続時間情報は、そのデータを使用することによってＳＴＡのＮＡＶを構成するためにＳＴＡによって使用され、持続時間情報は、１５ビットを使用することによって示され得る。
【００６１】
図２は、従来技術におけるＭＰＤＵおよびＰＰＤＵの構造図を例示的に示す。図３は、従来技術におけるＡＰとＳＴＡとの間のデータ送信のためのアーキテクチャの図を例示的に示す。図２および図３に示されるように、ＡＰが、ＡＰに関連付けられたＳＴＡとデータ送信を行うとき、ＡＰは、一般的に、上層論理リンク制御層（英語：Logical Link Control、略してＬＬＣ）において媒体アクセス制御サービスデータユニット（英語：Medium Access Control Service Data Unit、略してＭＳＤＵ）に媒体アクセス制御（英語：Medium Access Control、略してＭＡＣ）ヘッダ領域を取り付けることによって、媒体アクセス制御プロトコルデータユニット（英語：Medium Access Control Layer Protocol Data Unit、略してＭＰＤＵ）としてＭＳＤＵをカプセル化し、また、ＡＰは、ＭＰＤＵにプロトコル処理ユニット（英語：PLCP protocol data unit、略してＰＬＣＰ）ヘッダ領域を取り付けることによって、物理層プロトコルデータユニット（英語：Physical Layer Protocol Data Unit、略してＰＰＤＵ）としてＭＰＤＵをカプセル化する。ＡＰは、ＡＰに関連付けられたＳＴＡに対してＰＰＤＵを送信する。
【００６２】
図４は、従来技術におけるＭＰＤＵのフォーマットの簡単な概略図である。図４に示されるように、フレーム制御（Frame Control）、持続時間／識別子（Duration/ID）、アドレス１、および最後のフレームチェックシーケンス（frame check sequence、略してＦＣＳ）フィールドが、各ＭＰＤＵに含まれる。アドレス２、アドレス３、シーケンス制御、アドレス４、サービス品質（英語：Quality of Service、略してＱｏＳ）制御、高スループット（英語：High-throughput、略してＨＴ）制御、およびフレーム本体（英語：Frame Body）が特定のフレームに含まれる。
【００６３】
フレーム制御フィールドは、ＰＰＤＵのタイプを示すために使用される。
【００６４】
持続時間メッセージは、ＳＴＡによってＳＴＡのＮＡＶを構成して、持続時間メッセージの時間長の間にデータが送られないようにするために使用され、それによりチャネル干渉を低減させる。
【００６５】
アドレス（英語：Address）１は、ＭＰＤＵの受信機アドレス（英語：Receiver Address、略してＲＡ）であり、アドレス２は、ＭＰＤＵの送信機アドレス（英語：Transmitter Address、略してＴＡ）である。データがＡＰによってＳＴＡに対して送られたダウンリンクデータである場合、アドレス１は、受信側端末ＳＴＡのＭＡＣアドレスであり、アドレス２は、送信側端末ＡＰのＭＡＣアドレスであり、データがＳＴＡによってＡＰに対して送られたアップリンクデータである場合、アドレス１は、受信側端末ＡＰのＭＡＣアドレスであり、アドレス２は、送信側端末ＳＴＡのＭＡＣアドレスである。
【００６６】
図５は、従来技術におけるＯＦＤＭ  ＰＰＤＵのフォーマットを示す。図に示されるように、最初の２０ｕｓの信号の３つのセクションは、８ｕｓレガシーショートトレーニングフィールド（英語：Legacy-Short Training Field、略してＬ−ＳＴＦ）、８ｕｓレガシーロングトレーニングフィールド（英語：Legacy-Long Training Field、略してＬ−ＬＴＦ）、および４ｕｓレガシー信号フィールド（英語：Legacy-Signal Field、略してＬ−ＳＩＧ）を含む。Ｌ−ＳＴＦは、ＡＰに関連付けられたＳＴＡをＡＰに同期させるために使用され、Ｌ−ＬＴＦは、ＡＰに関連付けられたＳＴＡによって、チャネル推定を行うために使用され、そうすることで、コヒーレント受信を使用することによって、Ｌ−ＳＩＧで担持される無線フレームの持続時間に関する情報を取得する。超高スループット信号領域Ａ（英語：Very High Throughput Signal A、略してＶＨＴ−ＳＩＧ−Ａ）は、ＰＰＤＵの送信構成パラメータ情報を担持する。超高スループットショートトレーニングフィールド（英語：Very High Throughput Short Training Field、略してＶＨＴ−ＳＴＦ）は、受信側端末によって、自動利得制御（Automatic Gain Control、ＡＧＣ）を行うために使用される。超高スループットロングトレーニングフィールド（英語：Very High Throughput Short Training Field、略してＶＨＴ−ＬＴＦ）は、受信側端末によって、チャネル推定およびコヒーレント検出を行うために使用される。超高スループット信号領域Ｂ（英語：Very High Throughput Signal B、略してＶＨＴ−ＳＩＧ−Ｂ）は、後続データによって使用される変調および符号化方式（英語：Modulation and Coding Scheme、略してＭＣＳ）、ならびに送信されたＭＰＤＵの長さを示すために使用される。最後のデータ領域は、ＭＰＤＵを担持するために使用される。
【００６７】
これら図４および図５では、ＭＰＤＵは、ＰＰＤＵの最後の部分にあるデータ領域で担持される。持続時間メッセージおよび受信機アドレス（英語：address 1）または送信機アドレス（英語：address 2）は、ＭＰＤＵのＭＡＣヘッダ領域で担持される。持続時間メッセージおよび受信機アドレス（英語：address 1）が受信側端末によって解析されたとき、受信機アドレスが、受信側端末に対応するＭＡＣアドレスまたはグループアドレス（英語：group address）ではない場合、受信側端末は、持続時間情報に従って、受信側端末に対応するＳＴＡのネットワーク割り当てベクトル（英語：Network Allocation Vector、略してＮＡＶ）を構成して、持続時間メッセージの時間長内にデータが送られないようにし、それによりチャネル干渉を低減させる。
【００６８】
図６は、本発明の実施形態に適用されるＰＰＤＵのフォーマットの単純な概略図である。図６に示されるように、ＰＰＤＵは、ＰＬＣＰヘッダ領域およびデータ領域を含む。ＰＬＣＰヘッダ領域は、レガシープリアンブル（英語：Legacy Preamble、略してＬ−Ｐｒｅ）および制御領域を含み、制御領域は、高効率信号領域（英語：High Efficiency Signal、略してＨＥ−ＳＩＧ）１およびＨＥ−ＳＩＧ２を含み、データ領域は、ダウンリンク（英語：Download、略してＤＬ）データ領域および／またはアップリンク（英語：Upload、略してＵＬ）データ領域を含む。
【００６９】
Ｌ−Ｐｒｅは、ＩＥＥＥ８０２．１１に適合したプリアンブル部を使用し、既存のＩＥＥＥ８０２．１１は、ＩＥＥＥ８０２．１１ａ、ＩＥＥＥ８０２．１１ｇ、ＩＥＥＥ８０２．１１ｎ、ＩＥＥＥ８０２．１１ａｃ、またはＩＥＥＥ８０２．１１ａｘであり得る。Ｌ−Ｐｒｅ部は、Ｌ−ＳＴＦ、Ｌ−ＬＴＦ、およびＬ−ＳＩＧを含み、Ｌ−ＳＴＦ、Ｌ−ＬＴＦ、およびＬ−ＳＩＧの機能は、図５の従来技術におけるＯＦＤＭ  ＰＰＤＵにおける対応するフィールドのそれらと同じである。
【００７０】
制御領域におけるＨＥ−ＳＩＧ１のデータは、ＩＥＥＥ８０２．１１ａｘプロトコルに基づく送信を行うＳＴＡのＨＥ−ＳＩＧ１に近接して続くフレームのフォーマット構成、たとえば、ＨＥ−ＳＩＧ２の送信様式、またはアップリンクおよびダウンリンクデータ領域の量もしくは配列順序を示すために使用される。制御領域におけるＨＥ−ＳＩＧ１は、ＩＥＥＥ８０２．１１ａｘプロトコルに基づいて送信を行うすべてのＳＴＡによって解析され得る。
【００７１】
制御領域におけるＨＥ−ＳＩＧ２は、ＳＴＡについて構成されたリソース標識情報を含み、リソース標識情報は、少なくとも１つのＳＴＡ識別子を含み、ＳＴＡ識別子は、ＰＰＤＵにおけるＡＰアドレスに関連付けられたＳＴＡの識別子、またはワイルドカードＳＴＡ識別子であってよく、ワイルドカードＳＴＡ識別子は、ＳＴＡのグループまたはすべてのＳＴＡの識別子を含む。ＳＴＡについて構成されたリソース標識情報は、ＨＥ−ＳＩＧ１に含まれないパブリック制御情報、アップリンクおよびダウンリンクＯＦＤＭＡ時間周波数リソースブロックの割り当て情報、スケジュールされたＳＴＡのＭＡＣアドレスまたはＳＴＡのＭＡＣアドレスに関連付けられたＳＴＡの識別子情報、スケジュールされたＳＴＡに対応する送信シグナリング、ならびに、ある種の他の任意選択の送信パラメータ構成情報、たとえば、ＭＣＳまたは空間ストリームの量などを含む。
【００７２】
従来技術との違いは、本発明のこの実施形態におけるＰＰＤＵ構造の制御領域は、ＡＰの識別子、少なくとも１つのＳＴＡの識別子、および持続時間情報をさらに含み、ＡＰの識別子および持続時間情報は、制御領域のＨＥ−ＳＩＧ１またはＨＥ−ＳＩＧ２内に置かれてよく、ＳＴＡの識別子は、ＨＥ−ＳＩＧ２のリソース標識情報内に配置される。このようにして、ＳＴＡは、ＰＬＣＰヘッダ領域の制御領域のみを解析することによって、ＡＰの識別子情報、持続時間情報、少なくとも１つのＳＴＡの識別子を取得し得ることである。したがって、ＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【００７３】
データ領域は、ＵＬデータ領域およびＤＬデータ領域を含んでよく。ＵＬデータ領域とＤＬデータ領域の両方がＭＰＤＵを担持するために使用される。
【００７４】
本発明のこの実施形態において提供されるＰＰＤＵのデータ領域上で担持されるダウンリンクＭＰＤＵのフレーム構造が、図１３ａから図１３ｅに示される。従来技術との違いは、本発明のこの実施形態におけるＰＰＤＵのデータ領域上で担持されるＭＰＤＵのＭＡＣヘッダ領域は、送信機アドレス、受信機アドレス、または持続時間情報を含まないことであり、具体的には以下の２つの様式で実装され得る。
【００７５】
ダウンリンクＭＰＤＵを生成する様式１：ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【００７６】
ダウンリンクＭＰＤＵを生成する様式２：ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００７７】
本発明の目的、技術的解決策、および有益な効果をより理解できるようにするため、以下でさらに添付図面および実施形態を参照して本発明を詳細に説明する。本明細書に説明される特定の実施形態は、本発明を単に説明するために使用され、本発明を限定するように意図されていないことは理解されるべきである。
【００７８】
本発明のこの実施形態で提供されるＰＰＤＵは、ＩＥＥＥ８０２．１１ａｘプロトコルに適用されてよいが、本発明のこの実施形態で提供される方法および装置は、本発明のこの実施形態で提供されるＰＰＤＵ構造に限定されない。
【００７９】
図１のシステムアーキテクチャに基づいて、本発明の実施形態がワイヤレスローカルエリアネットワーク通信装置を提供し、ワイヤレスローカルエリアネットワーク通信装置は、チップなどのコンポーネントであってよく、ワイヤレスローカルエリアネットワークにおいてデータを送信するために使用される。通信装置はＡＰ内に配設される。ワイヤレスローカルエリアネットワーク通信装置は、ＡＰ、たとえば、ワイヤレスアクセス装置、ブリッジ、またはホットポット装置であってもまたよい。ワイヤレスローカルエリアネットワーク通信装置は、サーバまたは通信ネットワークにアクセスすることがある。
【００８０】
図７に示されるように、ワイヤレスローカルエリアネットワーク通信装置は、
ワイヤレスローカルエリアネットワークのＰＰＤＵを生成するように構成された処理ユニット７０１であって、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する、処理ユニット７０１と、
生成されたＰＰＤＵを送るように構成されたトランシーバユニット７０２とを含み得る。
【００８１】
ＰＰＤＵはＰＨＹ層エンティティによって生成されてよく、ＭＰＤＵはＭＡＣ層エンティティによって生成されてよい。
【００８２】
冗長な情報を減らすために、ＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【００８３】
ダウンリンクＭＰＤＵを生成する様式１：処理ユニット７０１によって生成されたＰＰＤＵのデータ領域は、ＭＡＣヘッダ領域が送信機アドレス、受信機アドレス、または持続時間情報を含まない、ダウンリンクＭＰＤＵを担持する。
【００８４】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００８５】
ダウンリンクＭＰＤＵを生成する様式２：処理ユニット７０１によって生成されたＰＰＤＵのデータ領域は、ダウンリンク媒体アクセス制御プロトコルデータユニットＭＰＤＵを担持し、ダウンリンクＭＰＤＵのＭＡＣヘッダ領域が送信機アドレス、受信機アドレス、または持続時間情報を含まない。
【００８６】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【００８７】
好ましくは、ＰＰＤＵのデータ領域は、アップリンクデータ情報をさらに担持し、ＳＴＡにより送られたアップリンクＭＰＤＵは、ＰＰＤＵにおけるリソース標識情報に従ってデータ領域において受け取られる。アップリンクＭＰＤＵは、以下のような２つの様式で生成され得る。
【００８８】
アップリンクＭＰＤＵを生成する様式１：トランシーバユニット７０２は、ＳＴＡにより送られたアップリンクＰＰＤＵを受け取り、アップリンクＰＰＤＵのデータ領域は、ＭＡＣヘッダ領域が送信機アドレス、受信機アドレス、または持続時間情報を含まない、アップリンクＭＰＤＵを担持する。
【００８９】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００９０】
アップリンクＭＰＤＵを生成する様式２：トランシーバユニット７０２は、ＳＴＡにより送られたアップリンクＰＰＤＵを受け取り、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００９１】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【００９２】
好ましくは、データ領域で担持されるアップリンクＭＰＤＵまたはダウンリンクＭＰＤＵのＭＡＣヘッダ領域は、少なくともフレーム制御フィールドを含み、フレーム制御フィールドは、ＭＰＤＵのタイプを示すために使用される。
【００９３】
好ましくは、フレーム制御フィールドによって示されるＭＰＤＵのタイプが管理フレームまたはデータフレームであるとき、ＭＡＣヘッダ領域は、少なくともアドレス３フィールドおよびシーケンス制御フィールドをさらに含む。
【００９４】
好ましくは、フレーム制御フィールドによって示されるＭＰＤＵのタイプがサービス品質ＱｏＳデータフレームであるとき、ＭＡＣヘッダ領域は、少なくともＱｏＳ制御フィールドをさらに含む。
【００９５】
特定の実装形態では、トランシーバユニット７０２は、ＯＦＤＭＡ技術を使用することによってデータ領域を送信するようにさらに構成され、データ領域で担持されるアップリンクＭＰＤＵまたはダウンリンクＭＰＤＵのＭＡＣヘッダ領域は、ＯＦＤＭＡ制御フィールドをさらに含む。
【００９６】
ＭＰＤＵのヘッダ領域が送信機アドレス、受信機アドレス、または持続時間情報を含まないことにより、データ送信プロセスにおける情報冗長性を軽減し、送信効率を改善することが認識され得る。
【００９７】
好ましくは、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【００９８】
好ましくは、処理ユニット７０１は、ＯＦＤＭＡ送信機会（英語：Transmission Opportunity、略してＴＸＯＰ）においてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【００９９】
上記の設定を用いて、ＳＴＡは、Ｎ個の連続したＰＰＤＵを送信するプロセスにおいて沈黙を保ってよく、データを送らず、それによりチャネル干渉を低減させる。
【０１００】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０１０１】
同じ概念に基づいて、本発明の実施形態は、ワイヤレスローカルエリアネットワークにおいてデータを送信するために使用されるワイヤレスローカルエリアネットワーク通信装置を提供する。通信装置は、ＳＴＡ内に配設され、ワイヤレスセンサ、ワイヤレス通信端末、または携帯端末、たとえば、Ｗｉ−Ｆｉ通信機能をサポートする携帯電話（もしくは「セルラ」電話と呼ばれる）、またはワイヤレス通信機能を有するコンピュータであり得る。たとえば、通信装置は、Ｗｉ−Ｆｉ通信機能をサポートする、携帯、ポケットサイズ、ハンドヘルド、コンピュータ内蔵、ウェアラブル、または車載型のワイヤレス通信装置であり得る。ＳＴＡ装置は、音声またはデータなどの通信データを無線アクセスネットワークと交換する。
【０１０２】
図８に示されるように、ワイヤレスローカルエリアネットワーク通信装置は、
ＡＰにより送られたワイヤレスローカルエリアネットワークのＰＰＤＵを受け取るように構成されたトランシーバユニット８０１であって、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する、トランシーバユニット８０１と、
ＰＰＤＵの制御領域におけるＡＰの識別子情報、少なくとも１つのステーションＳＴＡの識別子、および持続時間情報を、解析によって取得するように構成された処理ユニット８０２とを含み得る。
【０１０３】
ＰＰＤＵはＰＨＹ層エンティティによって生成されてよく、ＭＰＤＵはＭＡＣ層エンティティによって生成されてよい。
【０１０４】
冗長な情報を減らすために、本発明のこの実施形態では、受け取られたＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０１０５】
ダウンリンクＭＰＤＵを生成する様式１：受け取られたＰＰＤＵのデータ領域は、ＭＡＣヘッダ領域が送信機アドレス、受信機アドレス、または持続時間情報を含まない、ダウンリンクＭＰＤＵを担持する。
【０１０６】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。処理ユニットは、受け取られたＰＰＤＵの制御領域におけるＡＰの識別子およびＳＴＡの識別子に従って、ダウンリンクＭＰＤＵのＭＡＣヘッダ領域における送信機アドレスおよび受信機アドレスを取得する。
【０１０７】
ダウンリンクＭＰＤＵを生成する様式２：受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まない。
【０１０８】
具体的には、ダウンリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。処理ユニットは、受け取られたＰＰＤＵの制御領域におけるＡＰの識別子およびＳＴＡの識別子に従って、ダウンリンクＭＰＤＵの送信機アドレスおよび受信機アドレスを取得する。
【０１０９】
特定の実施形態では、処理ユニットは、解析によって取得された、ＰＰＤＵにおける少なくとも１つのＳＴＡの識別子が、通信装置が配置されたＳＴＡのワイルドカード識別子を含まないと決定されたとき、解析によって取得された持続時間情報に従って、通信装置が配置されたＳＴＡのＮＡＶを構成するようにさらに構成される。少なくとも１つのＳＴＡは、ＰＰＤＵにおけるＡＰに関連付けられたＳＴＡ、およびワイルドカードＳＴＡを含む。少なくとも１つのＳＴＡの識別子がリソース標識情報内に配置される。
【０１１０】
リソース標識情報が、ＳＴＡについて構成されたリソース情報を含まず、ワイルドカードリソース標識情報を含まない場合、リソース標識情報リソースが構成されていないＳＴＡは、持続時間情報に従ってＳＴＡのＮＡＶを構成し、ワイルドカードリソース標識情報は、ＳＴＡのグループまたはすべてのＳＴＡのリソース標識情報を含む。好ましくは、ワイルドカード識別子は、ワイルドカードリソース標識情報を示すために制御領域のＨＥ−ＳＩＧ２において使用され得る。
【０１１１】
特定の実施形態では、ＳＴＡが、ＡＰの識別子に従って、ＳＴＡがＡＰに関連付けられたＳＴＡでないと決定した場合、ＳＴＡは、リソース標識情報がすべてのＳＴＡについて構成されたワイルドカードリソース標識情報を含むかどうかを決定し、ワイルドカードリソース標識情報が含まれていない場合、ＳＴＡは、持続時間情報に従ってＳＴＡのＮＡＶを構成する。
【０１１２】
ＳＴＡが、ＡＰの識別子に従って、ＳＴＡがＡＰに関連付けられたＳＴＡであると決定した場合、ＳＴＡは、ＡＰの識別子およびリソース標識情報に従って、リソース標識情報がＳＴＡについて構成されたリソース標識情報を含むかどうかを決定する。リソース標識情報がＳＴＡについて構成されたリソース標識情報を含まない場合に、リソース標識情報がワイルドカードリソース標識情報を含まないことがさらに決定されたとき、リソース標識情報が構成されていないＳＴＡは、持続時間情報に従ってＳＴＡのＮＡＶを構成する。ここで、ワイルドカード標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０１１３】
ＳＴＡがＡＰに関連付けられており、リソース標識情報が、指定されたリソース上でダウンリンクデータをＳＴＡが受け取ることを示す場合、ＳＴＡは、指定されたリソース上でダウンリンクデータ領域内のデータを受け取り、受け取られたデータを解析する。
【０１１４】
好ましくは、ＰＰＤＵのデータ領域がさらにアップリンクデータ情報を担持する場合、ＳＴＡは、アップリンクＭＰＤＵを送る。アップリンクＭＰＤＵは、以下のような２つの様式で生成され得る。
【０１１５】
アップリンクＭＰＤＵを生成する様式１：処理ユニットは、アップリンクＰＰＤＵを生成し、アップリンクＰＰＤＵのデータ領域は、ＭＡＣヘッダ領域が送信機アドレス、受信機アドレス、または持続時間情報を含まない、アップリンクＭＰＤＵを担持し、トランシーバユニットは、アップリンクＰＰＤＵを送る。
【０１１６】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１１７】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０１１８】
たとえば、ＳＴＡがＡＰに関連付けられており、リソース標識情報が、指定されたリソース上でアップリンクデータをＳＴＡが送ることを示す場合、ＳＴＡは、アップリンクＭＰＤＵのＭＡＣヘッダ領域における受信機アドレス（英語：MAC address of the AP）、持続時間情報、送信機アドレス（英語：MAC address of the STA）を、アップリンクＭＰＤＵのＭＡＣヘッダ領域から除去し、リソース標識情報に従って、ＰＰＤＵのデータ領域において、送信機アドレス、持続時間情報、および受信機アドレスが除去されたアップリンクＭＰＤＵを、ＡＰへ送る。ＳＴＡがアップリンクＭＰＤＵを送るとき、ＳＴＡは、ダウンリンクＰＰＤＵで担持されるリソース標識情報に従って、指定されたリソース上で、アップリンクＭＰＤＵを送り、したがって、ＡＰは、リソース標識情報に従って、データ領域において、アップリンクＭＰＤＵを受け取る。
【０１１９】
アップリンクＭＰＤＵを生成する様式２：処理ユニットは、アップリンクＰＰＤＵを生成し、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０１２０】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０１２１】
さらに、冗長な情報を減らすために、ＳＴＡがアップリンクデータを送るとき、取り付けられたＰＬＣＰヘッダ領域におけるデータ情報は、ＡＰの識別子情報または持続時間情報を含む必要がなく、チャネル推定および相関検出のために使用されるある種のデータのみを含む。
【０１２２】
使用される異なるタイプのＭＰＤＵまたは異なる送信技術に応じて、本発明のこの実施形態におけるアップリンクＭＰＤＵまたはダウンリンクＭＰＤＵのＭＡＣヘッダ領域に含まれる情報もまた異なる。
【０１２３】
具体的には、図１３ａに示されるように、アップリンクＭＰＤＵまたはダウンリンクＭＰＤＵのいずれかのＭＡＣヘッダ領域が、少なくともフレーム制御フィールドを含み、フレーム制御フィールドはＭＰＤＵのタイプを示すために使用される。
【０１２４】
フレーム制御フィールドによって示されるＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含み得る。
【０１２５】
フレーム制御フィールドによって示されるＭＰＤＵのタイプがＱｏＳデータフレームであるとき、ＭＡＣヘッダ領域は、図１３ｄに示されるように、少なくともＱｏＳ制御フィールドをさらに含み得る。
【０１２６】
生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０１２７】
ＳＴＡがアップリンクデータを送るとき、冗長データが減らされ、送信効率が改善されることが認識され得る。
【０１２８】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。ワイルドカードＳＴＡ識別子は、ＳＴＡのグループまたはすべてのＳＴＡの識別子を含む。
【０１２９】
同じ概念に基づいて、本発明の実施形態は、ワイヤレスローカルエリアネットワーク通信装置を提供し、ワイヤレスローカルエリアネットワーク通信装置は、チップなどのコンポーネントであってよく、ワイヤレスローカルエリアネットワークにおいてデータを送信するために使用される。通信装置はＡＰ内に配設される。ワイヤレスローカルエリアネットワーク通信装置は、ＡＰ、たとえば、ワイヤレスアクセス装置、ブリッジ、またはホットポット装置であってもまたよい。ワイヤレスローカルエリアネットワーク通信装置は、サーバまたは通信ネットワークにアクセスすることがある。
【０１３０】
図９に示されるように、ワイヤレスローカルエリアネットワーク通信装置は、プロセッサ９０１、トランシーバ９０２、およびメモリ９０３を含む。
【０１３１】
プロセッサ９０１は、ワイヤレスローカルエリアネットワークのＰＰＤＵを生成するように構成され、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０１３２】
トランシーバ９０２は、生成されたＰＰＤＵを送るように構成される。
【０１３３】
メモリ９０３は、ＭＰＤＵおよびＰＰＤＵを記憶するように構成される。メモリ９０３は、上述のプロセスを実行するためにプロセッサ９０１によって使用されるコードを記憶してもまたよい。
【０１３４】
ＰＰＤＵはＰＨＹ層エンティティによって生成されてよく、ＭＰＤＵはＭＡＣ層エンティティによって生成されてよい。
【０１３５】
冗長な情報を減らすために、ＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０１３６】
ダウンリンクＭＰＤＵを生成する様式１：プロセッサ９０１によって生成されたＰＰＤＵのデータ領域は、ＭＡＣヘッダ領域が送信機アドレス、受信機アドレス、または持続時間情報を含まない、ダウンリンクＭＰＤＵを担持する。
【０１３７】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１３８】
ダウンリンクＭＰＤＵを生成する様式２：プロセッサ９０１によって生成されたＰＰＤＵのデータ領域は、ダウンリンクＭＰＤＵを担持し、ダウンリンクＭＰＤＵのＭＡＣヘッダ領域が送信機アドレス、受信機アドレス、または持続時間情報を含まない。
【０１３９】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【０１４０】
好ましくは、ＰＰＤＵのデータ領域は、アップリンクデータ情報をさらに担持し、ＳＴＡにより送られたアップリンクＭＰＤＵは、ＰＰＤＵにおけるリソース標識情報に従ってデータ領域において受け取られる。アップリンクＭＰＤＵは、以下のような２つの様式で生成され得る。
【０１４１】
アップリンクＭＰＤＵを生成する様式１：トランシーバ９０２は、ＳＴＡにより送られたアップリンクＰＰＤＵを受け取り、アップリンクＰＰＤＵのデータ領域は、ＭＡＣヘッダ領域が送信機アドレス、受信機アドレス、または持続時間情報を含まない、アップリンクＭＰＤＵを担持する。
【０１４２】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１４３】
アップリンクＭＰＤＵを生成する様式２：トランシーバ９０２は、ＳＴＡにより送られたアップリンクＰＰＤＵを受け取り、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０１４４】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０１４５】
特定の実施形態では、トランシーバ９０２は、ＯＦＤＭＡ技術を使用することによってデータ領域を送信するようにさらに構成され、データ領域で担持されるアップリンクＭＰＤＵまたはダウンリンクＭＰＤＵのＭＡＣヘッダ領域は、ＯＦＤＭＡ制御フィールドをさらに含む。
【０１４６】
好ましくは、データ領域で担持されるアップリンクＭＰＤＵまたはダウンリンクＭＰＤＵのＭＡＣヘッダ領域は、少なくともフレーム制御フィールドを含み、フレーム制御フィールドは、ＭＰＤＵのタイプを示すために使用される。
【０１４７】
好ましくは、フレーム制御フィールドによって示されるＭＰＤＵのタイプが管理フレームまたはデータフレームであるとき、ＭＡＣヘッダ領域は、少なくともアドレス３フィールドおよびシーケンス制御フィールドをさらに含む。
【０１４８】
好ましくは、フレーム制御フィールドによって示されるＭＰＤＵのタイプがサービス品質ＱｏＳデータフレームであるとき、ＭＡＣヘッダ領域は、少なくともＱｏＳ制御フィールドをさらに含む。
【０１４９】
好ましくは、生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、ＯＦＤＭＡ制御フィールドをさらに含む。
【０１５０】
ＭＰＤＵのヘッダ領域が送信機アドレス、受信機アドレス、または持続時間情報を含まないことにより、データ送信プロセスにおける情報冗長性を軽減し、送信効率を改善することが認識され得る。
【０１５１】
好ましくは、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【０１５２】
好ましくは、プロセッサ９０１は、ＯＦＤＭＡ送信機会（英語：Transmission Opportunity、略してＴＸＯＰ）においてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【０１５３】
上記の設定を用いて、ＳＴＡは、Ｎ個の連続したＰＰＤＵを送信するプロセスにおいて沈黙を保ってよく、データを送らず、それによりチャネル干渉を低減させる。
【０１５４】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０１５５】
同じ概念に基づいて、本発明の実施形態は、ワイヤレスローカルエリアネットワークにおいてデータを送信するために使用されるワイヤレスローカルエリアネットワーク通信装置を提供する。ＳＴＡ装置は、ワイヤレスセンサ、ワイヤレス通信端末、または携帯端末、たとえば、Ｗｉ−Ｆｉ通信機能をサポートする携帯電話（もしくは「セルラ」電話と呼ばれる）、またはワイヤレス通信機能を有するコンピュータであり得る。たとえば、ＳＴＡ装置は、Ｗｉ−Ｆｉ通信機能をサポートする、携帯、ポケットサイズ、ハンドヘルド、コンピュータ内蔵、ウェアラブル、または車載型のワイヤレス通信装置であり得る。ＳＴＡ装置は、音声またはデータなどの通信データを無線アクセスネットワークと交換する。
【０１５６】
図１０に示されるように、ワイヤレスローカルエリアネットワーク通信装置は、トランシーバ１００１、プロセッサ１００２、およびメモリ１００３を含む。
【０１５７】
トランシーバ１００１は、ＡＰにより送られたワイヤレスローカルエリアネットワークのＰＰＤＵを受け取るように構成され、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０１５８】
プロセッサ１００２は、ＰＰＤＵの制御領域におけるＡＰの識別子情報、少なくとも１つのＳＴＡの識別子、および持続時間情報を、解析によって取得するように構成される。
【０１５９】
メモリ１００３は、ＭＰＤＵおよびＰＰＤＵを記憶するように構成される。メモリ１００３は、上述のプロセスを実行するためにプロセッサ１００２によって使用されるコードを記憶してもまたよい。
【０１６０】
ＰＰＤＵはＰＨＹ層エンティティによって生成されてよく、ＭＰＤＵはＭＡＣ層エンティティによって生成されてよい。
【０１６１】
冗長な情報を減らすために、本発明のこの実施形態では、受け取られたＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０１６２】
ダウンリンクＭＰＤＵを生成する様式１：受け取られたＰＰＤＵのデータ領域は、ＭＡＣヘッダ領域が送信機アドレス、受信機アドレス、または持続時間情報を含まない、ダウンリンクＭＰＤＵを担持する。
【０１６３】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。処理ユニットは、受け取られたＰＰＤＵの制御領域におけるＡＰの識別子およびＳＴＡの識別子に従って、ダウンリンクＭＰＤＵのＭＡＣヘッダ領域における送信機アドレスおよび受信機アドレスを取得する。
【０１６４】
ダウンリンクＭＰＤＵを生成する様式２：受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まない。
【０１６５】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。処理ユニットは、受け取られたＰＰＤＵの制御領域におけるＡＰの識別子およびＳＴＡの識別子に従って、ダウンリンクＭＰＤＵの送信機アドレスおよび受信機アドレスを取得する。
【０１６６】
特定の実施形態では、処理ユニットは、解析によって取得された、ＰＰＤＵにおける少なくとも１つのＳＴＡの識別子が、通信装置が配置されたＳＴＡのワイルドカード識別子を含まないと決定されたとき、解析によって取得された持続時間情報に従って、通信装置が配置されたＳＴＡのＮＡＶを構成するようにさらに構成される。少なくとも１つのＳＴＡは、ＰＰＤＵにおけるＡＰに関連付けられたＳＴＡ、およびワイルドカードＳＴＡを含む。少なくとも１つのＳＴＡの識別子がリソース標識情報内に配置される。
【０１６７】
リソース標識情報が、ＳＴＡについて構成されたリソース情報を含まず、ワイルドカードリソース標識情報を含まない場合、リソース標識情報リソースが構成されていないＳＴＡは、持続時間情報に従ってＳＴＡのＮＡＶを構成し、ワイルドカードリソース標識情報は、ＳＴＡのグループまたはすべてのＳＴＡのリソース標識情報を含む。好ましくは、ワイルドカード識別子は、ワイルドカードリソース標識情報を示すために制御領域のＨＥ−ＳＩＧ２において使用され得る。
【０１６８】
特定の実施形態では、ＳＴＡが、ＡＰの識別子に従って、ＳＴＡがＡＰに関連付けられたＳＴＡでないと決定した場合、ＳＴＡは、リソース標識情報がすべてのＳＴＡについて構成されたワイルドカードリソース標識情報を含むかどうかを決定し、ワイルドカードリソース標識情報が含まれていない場合、ＳＴＡは、持続時間情報に従ってＳＴＡのＮＡＶを構成する。
【０１６９】
ＳＴＡが、ＡＰの識別子に従って、ＳＴＡがＡＰに関連付けられたＳＴＡであると決定した場合、ＳＴＡは、ＡＰの識別子およびリソース標識情報に従って、リソース標識情報がＳＴＡについて構成されたリソース標識情報を含むかどうかを決定する。リソース標識情報がＳＴＡについて構成されたリソース標識情報を含まない場合に、リソース標識情報がワイルドカードリソース標識情報を含まないことがさらに決定されたとき、リソース標識情報が構成されていないＳＴＡは、持続時間情報に従ってＳＴＡのＮＡＶを構成する。ここで、ワイルドカード標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０１７０】
ＳＴＡがＡＰに関連付けられており、リソース標識情報が、指定されたリソース上でダウンリンクデータをＳＴＡが受け取ることを示す場合、ＳＴＡは、指定されたリソース上でダウンリンクデータ領域内のデータを受け取り、受け取られたデータを解析する。
【０１７１】
好ましくは、ＰＰＤＵのデータ領域がさらにアップリンクデータ情報を担持する場合、ＳＴＡは、アップリンクＭＰＤＵを送る。アップリンクＭＰＤＵは、以下のような２つの様式で生成され得る。
【０１７２】
アップリンクＭＰＤＵを生成する様式１：処理ユニットは、アップリンクＰＰＤＵを生成し、アップリンクＰＰＤＵのデータ領域は、ＭＡＣヘッダ領域が送信機アドレス、受信機アドレス、または持続時間情報を含まない、アップリンクＭＰＤＵを担持し、トランシーバユニットは、アップリンクＰＰＤＵを送る。
【０１７３】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１７４】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０１７５】
たとえば、ＳＴＡがＡＰに関連付けられており、リソース標識情報が、指定されたリソース上でアップリンクデータをＳＴＡが送ることを示す場合、ＳＴＡは、アップリンクＭＰＤＵのＭＡＣヘッダ領域における受信機アドレス（英語：MAC address of the AP）、持続時間情報、および送信機アドレス（英語：MAC address of the STA）を、アップリンクＭＰＤＵのＭＡＣヘッダ領域から除去し、リソース標識情報に従って、ＰＰＤＵのデータ領域において、送信機アドレス、持続時間情報、および受信機アドレスが除去されたアップリンクＭＰＤＵを、ＡＰへ送る。ＳＴＡがアップリンクＭＰＤＵを送るとき、ＳＴＡは、ダウンリンクＰＰＤＵで担持されるリソース標識情報に従って、指定されたリソース上で、アップリンクＭＰＤＵを送り、したがって、ＡＰは、リソース標識情報に従って、データ領域において、アップリンクＭＰＤＵを受け取る。
【０１７６】
アップリンクＭＰＤＵを生成する様式２：処理ユニットは、アップリンクＰＰＤＵを生成し、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０１７７】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０１７８】
さらに、冗長な情報を減らすために、ＳＴＡがアップリンクデータを送るとき、取り付けられたＰＬＣＰヘッダ領域におけるデータ情報は、ＡＰの識別子情報または持続時間情報を含む必要がなく、チャネル推定および相関検出のために使用されるある種のデータのみを含む。
【０１７９】
使用される異なるタイプのＭＰＤＵまたは異なる送信技術に応じて、本発明のこの実施形態におけるアップリンクＭＰＤＵまたはダウンリンクＭＰＤＵのＭＡＣヘッダ領域に含まれる情報もまた異なる。
【０１８０】
具体的には、図１３ａに示されるように、アップリンクＭＰＤＵまたはダウンリンクＭＰＤＵのいずれかのＭＡＣヘッダ領域が、少なくともフレーム制御フィールドを含み、フレーム制御フィールドはＭＰＤＵのタイプを示すために使用される。
【０１８１】
フレーム制御フィールドによって示されるＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含み得る。
【０１８２】
フレーム制御フィールドによって示されるＭＰＤＵのタイプがＱｏＳデータフレームであるとき、ＭＡＣヘッダ領域は、図１３ｄに示されるように、少なくともＱｏＳ制御フィールドをさらに含み得る。
【０１８３】
生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０１８４】
ＳＴＡがアップリンクデータを送るとき、冗長データが減らされ、送信効率が改善されることが認識され得る。
【０１８５】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０１８６】
同じ概念に基づいて、本発明の実施形態は、ＡＰ側に適用可能であるワイヤレスローカルエリアネットワークデータ送信方法を提供し、プロセスは、前述の図７から図９に示された装置を使用することによって実装され得る。本発明の実施形態によるデータ送信プロセスの概略図である図１１に示されるように、プロセスは以下のステップを含む。
【０１８７】
ステップ１１０１：ワイヤレスローカルエリアネットワークのＰＰＤＵを生成する。ここで、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０１８８】
ステップ１１０２：生成されたＰＰＤＵを送る。
【０１８９】
ステップ１１０１で構築されたＯＦＤＭＡ  ＰＰＤＵのフォーマットは、図６に示され、以下に詳細に説明される。
【０１９０】
好ましくは、本発明のこの実施形態では、ＡＰが、プリアンブルおよび制御領域をＰＰＤＵのＰＬＣＰヘッダ領域に追加する。
【０１９１】
プリアンブルは、ＳＴＡおよびＡＰに対して時間周波数同期を行うために使用されるＬ−Ｐｒｅであり、制御領域は、ＨＥ−ＳＩＧ１およびＨＥ−ＳＩＧ２を含む。
【０１９２】
冗長な情報を減らすために、ＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０１９３】
ダウンリンクＭＰＤＵを生成する様式１：生成されたＰＰＤＵのデータ領域は、ＭＡＣヘッダ領域が送信機アドレス、受信機アドレス、または持続時間情報を含まない、ダウンリンクＭＰＤＵを担持する。
【０１９４】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１９５】
ダウンリンクＭＰＤＵを生成する様式２：生成されたＰＰＤＵのデータ領域は、ダウンリンクＭＰＤＵを担持し、ダウンリンクＭＰＤＵのＭＡＣヘッダ領域は、送信機アドレス、受信機アドレス、または持続時間情報を含まない。
【０１９６】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【０１９７】
特定の実施形態では、ＡＰの識別子情報および持続時間情報がＰＬＣＰヘッダ領域に追加され、ダウンリンクＭＰＤＵのＭＡＣヘッダ領域は、送信機アドレス、持続時間情報、または受信機アドレスを含まず、ここで、送信機アドレスは、ＭＰＤＵのＭＡＣヘッダ領域におけるアドレス２であり、受信機アドレスは、ＭＰＤＵのＭＡＣヘッダ領域におけるアドレス１である。
【０１９８】
本発明のこの実施形態で提供される方法において、ＡＰは、ＡＰに関連付けられたＳＴＡおよび関連付けられていないＳＴＡを含むＡＰネットワークのカバレッジエリア内のすべてのＳＴＡに対して、ブロードキャスト様式でＰＰＤＵを送る。プリアンブルを解析した後、ＳＴＡは、続いて制御領域を解析することによって、ＡＰの識別子情報および持続時間情報を取得し、ＡＰの識別子情報、ＳＴＡの識別子情報、およびリソース標識情報に従って、ＳＴＡは、ＳＴＡについて構成されたリソース標識情報が含まれていないと決定し、すなわち、ＰＰＤＵの後続データが、ＳＴＡに属するＭＰＤＵ、またはＳＴＡによってスケジュールされないアップリンク送信リソースを含まず、ワイルドカードリソース標識情報を含まない。リソース標識情報が構成されていないＳＴＡは、持続時間情報に従ってＳＴＡのＮＡＶを構成する。ここで、ワイルドカードリソース標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０１９９】
ＡＰの識別子情報および持続時間情報がＰＬＣＰヘッダ領域に追加されるので、ＡＰに関連付けられていないＳＴＡが、後続の送信データＭＰＤＵを解析することなく、持続時間情報に従ってＳＴＡのＮＡＶを構成してよく、それによりデータ送信効率が改善することが認識され得る。さらに、ＭＰＤＵが送信機アドレスまたは持続時間情報を含まないことにより、ＡＰの識別子情報および持続時間情報の繰り返される送信を回避し、データ送信プロセスにおける情報冗長性を軽減し、送信効率を改善する。
【０２００】
具体的には、ＡＰの識別子情報は、制御領域のＨＥ−ＳＩＧ１またはＨＥ−ＳＩＧ２に追加されてよく、持続時間情報は、制御領域のＨＥ−ＳＩＧ１またはＨＥ−ＳＩＧ２に追加されてよい。
【０２０１】
ＡＰの識別子情報がＳＴＡによって解析されると、ＳＴＡは、ＳＴＡがＡＰに関連付けられるかどうかを決定し、リソース標識情報が解析された後、ＳＴＡは、ＳＴＡのリソース標識情報が存在するかどうかを決定し、ＳＴＡについて構成されたリソース標識情報が含まれていない場合、リソース標識情報が構成されていないＳＴＡは、持続時間情報に従ってＳＴＡのＮＡＶを構成する。
【０２０２】
好ましくは、やはり制御領域で担持されるリソース標識情報が制御領域のＨＥ−ＳＩＧ２に配置される。具体的には、リソース標識情報は、アップリンクおよびダウンリンクＯＦＤＭＡ時間周波数リソースブロックの割り当て情報、スケジュールされたＳＴＡの識別子情報、スケジュールされたＡＰに関連付けられたＳＴＡに対応する送信シグナリング、ならびにある種の他の送信パラメータ構成、たとえば空間ストリームの量などを含む。
【０２０３】
ＳＴＡは、リソース標識情報に従って、後続のデータロードがＳＴＡに属するデータを含むかどうかを認識して、ＭＰＤＵを解析するかどうかを決定し得る。リソース標識情報が、ＳＴＡがデータを送信する必要がないことを示す場合、ＳＴＡは、持続時間情報に従ってＳＴＡのＮＡＶを構成し、持続時間情報で指定された時間の期間内にデータが送られず、それによりチャネル干渉を低減させる。ＳＴＡが時間周波数リソース上でダウンリンクデータを受け取る必要がある、または時間周波数リソース上でアップリンクデータを送る必要があることを、リソース標識情報が示す場合、ＳＴＡは続けてＭＰＤＵを解析し、ＡＰに対してデータを送信する。
【０２０４】
リソース標識情報がＳＴＡの識別子情報を含むので、ＭＰＤＵはＳＴＡのＭＡＣアドレスを含まなくてよく、それによりＭＰＤＵ内の冗長データを減らし、送信効率を改善することが認識され得る。
【０２０５】
具体的には、ＨＥ−ＳＩＧ１またはＨＥ−ＳＩＧ２に続くデータ領域が、チャネル推定およびコヒーレント検出を行うためにＳＴＡによって使用されるトレーニングシーケンスをさらに含む。
【０２０６】
好ましくは、持続時間情報が、ＯＦＤＭＡ  ＴＸＯＰにおいてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【０２０７】
たとえば、図１２に示されるように、ＯＦＤＭＡ  ＴＸＯＰにおいて３つの連続したＯＦＤＭＡ  ＰＰＤＵが存在することが想定される。第１のフレームのＰＰＤＵの持続時間情報によって示される時間長値は、第１のフレームの送信の開始から第３のフレームの送信の終了までの総持続時間であり、第２のフレームのＰＰＤＵの持続時間情報によって示される時間長値は、第２のフレームの送信の開始から第３のフレームの送信の終了までの総持続時間であり、第３のフレームのＰＰＤＵの持続時間情報によって示される時間長値は、第３のフレームの送信の開始から第３のフレームの送信の終了までの総持続時間である。
【０２０８】
上記の設定を用いて、ＳＴＡは、Ｎ個の連続したＰＰＤＵを送信するプロセスにおいて沈黙を保ってよく、データを送らず、それによりチャネル干渉を低減させる。
【０２０９】
特定の実施形態では、アップリンクＭＰＤＵまたはダウンリンクＭＰＤＵのＭＡＣヘッダ領域は、少なくともフレーム制御フィールドをさらに含む。図１３ａに示されるように、フレーム制御フィールドはＭＰＤＵのタイプを示すために使用される。ＭＰＤＵのタイプは、制御フレーム、管理フレーム、およびデータフレームを含む。ＷＬＡＮにおける制御フレームは、たとえば、送信要求（英語：request to send、略してＲＴＳ）、送信可（英語：clear to send、略してＣＴＳ）、または肯定応答（英語：Acknowledgement、略してＡＣＫ）である。
【０２１０】
好ましくは、フレーム制御フィールドによって示されるＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含む。アドレス３フィールドで担持されるコンテンツについては、既存の８０２．１１プロトコルを参照する。
【０２１１】
具体的には、管理フレームまたはデータフレームは多くのサブタイプフレーム構造を有する。フレーム制御フィールドによって示されるＭＰＤＵのタイプが、管理フレームもしくはデータフレームのいずれか、または管理フレームもしくはデータフレームにおけるサブタイプフレームのいずれか１つであるとき、ＭＡＣヘッダ領域は、少なくともアドレス３フィールドおよびシーケンス制御フィールドをさらに含む。
【０２１２】
好ましくは、フレーム制御フィールドによって示されるＭＰＤＵのタイプがＱｏＳデータフレームであるとき、ＭＡＣヘッダ領域は、図１３ｄに示されるように、少なくともＱｏＳ制御フィールドをさらに含む。
【０２１３】
特定の実施形態では、生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０２１４】
送信効率が高くないがアドレッシングの完全性を必要とするいくつかのフレーム、たとえば、ビーコンフレーム（英語：Beacon）またはプローブ応答フレーム（英語：Probe Response）では、完全なＭＰＤＵがＯＦＤＭＡ送信におけるＰＰＤＵのデータ領域にさらに追加される。
【０２１５】
特定の実施形態では、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【０２１６】
具体的には、本発明のこの実施形態の方法において、ＭＡＣヘッダ領域のフレーム制御フィールドにおけるプロトコルバージョンのインジケータビットは、デフォルト値とは異なる値に設定され得る。既存の８０２．１１プロトコルは、ＭＰＤＵのフレーム制御フィールドにおけるプロトコルバージョンのインジケータビットのデフォルト値が「００」であるように指定し、この場合のＭＰＤＵの構造は図４に示されている。ＭＰＤＵで担持されるデータが減らされた場合、ＭＡＣヘッダ領域のフレーム制御フィールドにおけるプロトコルバージョン（英語：Protocol version）のインジケータビットは、デフォルト値とは異なる値、たとえば「０１」、「１０」または「１１」に設定されてよく、この場合のＭＰＤＵの構造は、図１３ａ、図１３ｂ、図１３ｃ、および図１３ｄに示されている。
【０２１７】
具体的には、本発明のこの実施形態の方法において、さらに、ＭＡＣヘッダ領域のフレーム制御フィールドにおけるフレームのタイプを示すためのインジケータビットが、新しく追加された値に設定されてよく、または、ＭＡＣヘッダ領域のフレーム制御フィールドにおけるフレームのサブタイプを示すためのインジケータビットが、新しく追加された値に設定されてよい。すなわち、インジケータビットのいくつかの値は、制御フレーム、管理フレーム、またはデータフレームを示すために新しく追加され、インジケータビットのいくつかの値は、各フレームタイプのサブタイプを示すために新しく追加される。
【０２１８】
たとえば、図１３ｂは、フレームのタイプ（英語：Type）と、フレームのサブタイプ（英語：Subtype）、すなわちサブフレームのタイプとを示すためのフレーム制御領域におけるデータ領域構造である。
【０２１９】
フレームタイプのインジケータビットが「００」であるとき、それは、ＭＰＤＵが管理フレームであることを示し、管理フレームのサブタイプフレームを示すための共通値は「００００〜１１１０」であり、この場合、本発明のこの実施形態の方法では、サブフレームのタイプのインジケータビットは「１１１１」に設定され得る。
【０２２０】
フレームタイプのインジケータビットが「０１」であるとき、それは、ＭＰＤＵが制御フレームであることを示し、制御フレームのサブタイプフレームを示すための共通値は「０１１１〜１１１１」であり、この場合、本発明のこの実施形態の方法では、サブフレームのタイプのインジケータビットは「００００〜０１１０」の範囲の値に設定され得る。
【０２２１】
ＭＰＤＵがデータフレームであるとき、フレームタイプのインジケータビット「１０」未満のすべてのサブタイプが使用されているので、本発明のこの実施形態の方法では、データフレームは、フレームタイプのインジケータビットを「１１」として設定し、サブタイプを有意な値に設定することによって示され得る。
【０２２２】
ステップ１１０２において、ＡＰは、ブロードキャスト様式で、ＡＰネットワークのカバレッジエリア内のすべてのＳＴＡに対してプリアンブルを送ってよく、すべてのＳＴＡがＡＰとの時間周波数同期を行う。
【０２２３】
ＡＰは、ブロードキャスト様式で、ＡＰネットワークのカバレッジエリア内のすべてのＳＴＡに対して制御領域を送ってよく、すべてのＳＴＡが、制御領域内のデータを解析して、ＡＰの識別子情報、持続時間情報、およびＳＴＡについて構成されたリソース標識情報構成を取得する。
【０２２４】
好ましくは、ＰＰＤＵのデータ領域は、アップリンクデータ情報をさらに担持し、ＳＴＡにより送られたアップリンクＭＰＤＵは、ＰＰＤＵにおけるリソース標識情報に従ってデータ領域において受け取られる。アップリンクＭＰＤＵは、以下のような２つの様式で生成され得る。
【０２２５】
アップリンクＭＰＤＵを生成する様式１：ＳＴＡにより送られたアップリンクＰＰＤＵを受け取る。ここで、アップリンクＰＰＤＵのデータ領域は、ＭＡＣヘッダ領域が送信機アドレス、受信機アドレス、または持続時間情報を含まない、アップリンクＭＰＤＵを担持する。
【０２２６】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０２２７】
アップリンクＭＰＤＵを生成する様式２：ＳＴＡにより送られたアップリンクＰＰＤＵを受け取る。ここで、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０２２８】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０２２９】
ＳＴＡがＡＰに関連付けられており、リソース標識情報が、指定されたリソース上でアップリンクデータをＳＴＡが送ることを示す場合、ＳＴＡはアップリンクＭＰＤＵを送る、すなわち、ＳＴＡは、リソース標識情報に従って、ＰＰＤＵのデータ領域において、送信機アドレス、持続時間情報、または受信機アドレスを含まないアップリンクＭＰＤＵを、ＡＰへ送り、ＳＴＡは、指定されたリソース上でアップリンクＭＰＤＵを送る。ＡＰは、リソース標識情報に従って、データ領域において、ＳＴＡにより送られたアップリンクＭＰＤＵを受け取る。
【０２３０】
さらに、ＳＴＡがアップリンクデータを送るとき、取り付けられたＰＬＣＰヘッダ領域におけるデータ情報は、ＡＰの識別子情報および持続時間情報を含まなくてよく、チャネル推定およびコヒーレント検出のために使用されるある種のデータを含むのみでよく。それにより、冗長なデータを減らし送信効率を改善する。
【０２３１】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０２３２】
同じ概念に基づいて、本発明の実施形態はデータ送信方法のプロセスを提供する。この方法はＳＴＡ側に適用可能であり、プロセスは、図８または図１０に示された装置を使用することによって実装され得る。本発明の実施形態によるデータ送信プロセスの概略図である図１４に示されるように、プロセスは以下のステップを含む。
【０２３３】
ステップ１４０１：ＡＰにより送られたワイヤレスローカルエリアネットワークのＰＰＤＵを受け取る。ここで、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０２３４】
ステップ１４０２：ＰＰＤＵの制御領域におけるＡＰの識別子情報、少なくとも１つのステーションＳＴＡの識別子、および持続時間情報を、解析によって取得する。特定の実施形態では、ＳＴＡについて構成されたリソース標識情報が解析され、リソース標識情報に従って、ＰＰＤＵのデータ領域を使用することによって、ＡＰに対するデータ送信が行われる。
【０２３５】
ステップ１４０１およびステップ１４０２で構築されるＯＦＤＭＡ  ＰＰＤＵのフォーマットは図６に示されており、以下に詳細に説明される。
【０２３６】
特定の実施形態では、解析によって取得された、ＰＰＤＵにおける少なくとも１つのＳＴＡの識別子が、ＳＴＡの識別子を含まず、ワイルドカードＳＴＡ識別子を含まないと決定されたとき、解析によって取得された持続時間情報に従って、ＳＴＡのＮＡＶが構成される。前述されたように、ＡＰは、ブロードキャスト様式で、ＡＰネットワークのカバレッジエリア内のすべてのＳＴＡに対してＰＰＤＵを送り得る。ＰＰＤＵのプリアンブルを解析した後、ＳＴＡは、続いて制御領域を解析することによって、ＡＰの識別子情報、持続時間情報、およびリソース標識情報を取得してよく、リソース標識情報が構成されていないＳＴＡは、持続時間情報に従ってＳＴＡのＮＡＶを構成して、持続時間メッセージの時間長内にデータが送られないようにし、それによりチャネル干渉を低減させる。
【０２３７】
ＡＰの識別子情報および持続時間情報がＰＬＣＰヘッダ領域に追加された場合、リソース標識情報が構成されていないＳＴＡが、後続の送信データＭＰＤＵを解析することなく、持続時間情報に従ってＳＴＡのＮＡＶを構成してよく、それによりデータ送信効率が改善することが認識され得る。
【０２３８】
前述されたように、ＰＰＤＵのＰＬＣＰヘッダ領域において、ＡＰの識別子情報は、制御領域のＨＥ−ＳＩＧ１またはＨＥ−ＳＩＧ２に追加されてよく、持続時間情報は、制御領域のＨＥ−ＳＩＧ１またはＨＥ−ＳＩＧ２に追加されてよい。
【０２３９】
ＡＰの識別子情報がＳＴＡによって解析されると、ＳＴＡは、ＳＴＡがＡＰに関連付けられるかどうかを決定し、リソース標識情報が解析された後、ＳＴＡは、ＳＴＡのリソース標識情報が存在するかどうかを決定し、ＳＴＡについて構成されたリソース標識情報が含まれていない場合、リソース標識情報が構成されていないＳＴＡは、持続時間情報に従ってＳＴＡのＮＡＶを構成する。
【０２４０】
好ましくは、やはり制御領域で担持されるリソース標識情報が制御領域のＨＥ−ＳＩＧ２に配置される。具体的には、リソース標識情報は、アップリンクおよびダウンリンクＯＦＤＭＡ時間周波数リソースブロックの割り当て情報、スケジュールされたＳＴＡの識別子情報、スケジュールされたＡＰに関連付けられたＳＴＡに対応する送信シグナリング、ならびにある種の他の送信パラメータ構成、たとえば空間ストリームの量などを含む。
【０２４１】
ＳＴＡは、リソース標識情報に従って、後続のデータロードがＳＴＡに属するデータを含むかどうかを認識して、ＭＰＤＵを解析するかどうかを決定し得る。リソース標識情報が、ＳＴＡがデータを送信する必要がないことを示す場合、ＳＴＡは、持続時間情報に従ってＳＴＡのＮＡＶを構成し、持続時間情報で指定された時間の期間内にデータが送られず、それによりチャネル干渉を低減させる。ＳＴＡが時間周波数リソース上でダウンリンクデータを受け取る必要がある、または時間周波数リソース上でアップリンクデータを送る必要があることを、リソース標識情報が示す場合、ＳＴＡは続けてＭＰＤＵを解析し、ＡＰに対してデータを送信する。
【０２４２】
ＳＴＡがＡＰに関連付けられておらず、リソース標識情報がワイルドカードリソース標識情報を含まない場合、ＳＴＡは、持続時間情報に従ってＳＴＡのＮＡＶを構成する。ここで、ワイルドカードリソース情報は、ＳＴＡのグループまたはすべてのＳＴＡのリソース標識情報を含む。そうすることで、持続時間メッセージの時間長内にデータが送られないようにし、それによりチャネル干渉を低減させる。
【０２４３】
ＳＴＡがＡＰに関連付けられているが、リソース標識情報がＳＴＡについて構成されたリソース情報を含まない場合に、リソース標識情報がワイルドカードリソース標識情報を含まないことがさらに決定されたとき、リソース標識情報が構成されていないＳＴＡは、持続時間情報に従ってＳＴＡのＮＡＶを構成する。ここで、ワイルドカードリソース標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０２４４】
ＳＴＡがＡＰに関連付けられており、リソース標識情報が、指定されたリソース上でダウンリンクデータをＳＴＡが受け取ることを示す場合、ＳＴＡは、指定されたリソース上でダウンリンクデータ領域内のデータを受け取り、受け取られたデータを解析する。
【０２４５】
冗長な情報を減らすために、本発明のこの実施形態では、受け取られたＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０２４６】
ダウンリンクＭＰＤＵを生成する様式１：受け取られたＰＰＤＵのデータ領域は、ＭＡＣヘッダ領域が送信機アドレス、受信機アドレス、または持続時間情報を含まない、ダウンリンク媒体アクセス制御プロトコルデータユニットＭＰＤＵを担持し、受け取られたＰＰＤＵの制御領域におけるＡＰの識別子およびＳＴＡの識別子に従って、ダウンリンクＭＰＤＵのＭＡＣヘッダ領域における送信機アドレスおよび受信機アドレスが取得される。
【０２４７】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０２４８】
ダウンリンクＭＰＤＵを生成する様式２：受け取られたＭＰＤＵのデータ領域は、ダウンリンクＭＰＤＵを担持し、ダウンリンクＭＰＤＵのＭＡＣヘッダ領域は、送信機アドレス、受信機アドレス、または持続時間情報を含まず、受け取られたＰＰＤＵの制御領域におけるＡＰの識別子およびＳＴＡの識別子に従って、ダウンリンクＭＰＤＵの送信機アドレスおよび受信機アドレスが取得される。
【０２４９】
具体的には、ダウンリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【０２５０】
ＳＴＡがＡＰに関連付けられており、リソース標識情報が、指定されたリソース上でアップリンクデータをＳＴＡが送ることを示す場合、ＳＴＡは、リソース標識情報に従って、ＰＰＤＵのデータ領域において、アップリンクＭＰＤＵをＡＰに送り、ＡＰは、リソース標識情報に従って、データ領域において、ＳＴＡにより送られたアップリンクＭＰＤＵを受け取る。
【０２５１】
好ましくは、ＰＰＤＵのデータ領域がさらにアップリンクデータ情報を担持する場合、ＳＴＡは、アップリンクＭＰＤＵを送る。アップリンクＭＰＤＵは、以下のような２つの様式で生成され得る。
【０２５２】
アップリンクＭＰＤＵを生成する様式１：アップリンクＰＰＤＵを生成する。ここで、アップリンクＰＰＤＵのデータ領域は、ＭＡＣヘッダ領域が送信機アドレス、受信機アドレス、または持続時間情報を含まない、アップリンクＭＰＤＵを担持する。トランシーバユニットは、アップリンクＰＰＤＵを送るようにさらに構成される。
【０２５３】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０２５４】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０２５５】
アップリンクＭＰＤＵを生成する様式２：アップリンクＰＰＤＵを生成する。ここで、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０２５６】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０２５７】
本発明のこの実施形態では、ＭＰＤＵは、送信機アドレス、持続時間情報、または受信機アドレスを含まず、それにより、ＭＰＤＵ上で担持されるデータを減らし、冗長データを減らし、送信効率を改善する。
【０２５８】
具体的には、図１３ａに示されるように、アップリンクＭＰＤＵまたはダウンリンクＭＰＤＵのいずれかのＭＡＣヘッダ領域が、少なくともフレーム制御フィールドを含み、フレーム制御フィールドはアップリンクＭＰＤＵのタイプを示すために使用される。
【０２５９】
フレーム制御フィールドによって示されるアップリンクＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含む。
【０２６０】
フレーム制御フィールドによって示されるアップリンクＭＰＤＵのタイプがＱｏＳデータフレームであるとき、ＭＡＣヘッダ領域は、図１３ｄに示されるように、少なくともＱｏＳ制御フィールドをさらに含む。
【０２６１】
生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０２６２】
具体的には、ＳＴＡがアップリンクデータを送るとき、取り付けられたＰＬＣＰヘッダ領域におけるデータ情報は、アップリンクＭＰＤＵのＭＡＣヘッダ領域から除去されるＡＰの識別子情報または持続時間情報を含む必要がなく、チャネル推定およびコヒーレント検出のために使用されるある種のデータのみを含む。
【０２６３】
好ましくは、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【０２６４】
具体的には、本発明のこの実施形態の方法において、ＭＡＣヘッダ領域のフレーム制御フィールドにおけるプロトコルバージョンのインジケータビットは、デフォルト値とは異なる値に設定され得る。既存の８０２．１１プロトコルは、ＭＰＤＵのフレーム制御フィールドにおけるプロトコルバージョンのインジケータビットのデフォルト値が「００」であるように指定し、この場合のＭＰＤＵの構造は図４に示されている。ＭＰＤＵで担持されるデータが減らされた場合、ＭＡＣヘッダ領域のフレーム制御フィールドにおけるプロトコルバージョンのインジケータビットは、デフォルト値とは異なる値、たとえば「０１」、「１０」または「１１」に設定されてよく、この場合のＭＰＤＵの構造は、図１３ａ、図１３ｂ、図１３ｃ、および図１３ｄに示されている。
【０２６５】
好ましくは、本発明のこの実施形態の方法において、さらに、ＭＡＣヘッダ領域のフレーム制御フィールドにおけるフレームのタイプを示すためのインジケータビットが、新しく追加された値に設定されてよく、または、ＭＡＣヘッダ領域のフレーム制御フィールドにおけるフレームのサブタイプを示すためのインジケータビットが、新しく追加された値に設定されてよい。すなわち、インジケータビットのいくつかの値は、制御フレーム、管理フレーム、またはデータフレームを示すために新しく追加され、インジケータビットのいくつかの値は、各フレームタイプのサブタイプを示すために新しく追加される。
【０２６６】
たとえば、図１３ｂは、フレームのタイプ（英語：Type）と、フレームのサブタイプ（英語：Subtype）、すなわちサブフレームのタイプを示すためのフレーム制御領域におけるデータ領域構造である。
【０２６７】
フレームタイプのインジケータビットが「００」であるとき、それは、ＭＰＤＵが管理フレームであることを示し、管理フレームのサブタイプフレームを示すための共通値は「００００〜１１１０」であり、この場合、本発明のこの実施形態の方法では、サブフレームのタイプのインジケータビットは「１１１１」に設定され得る。
【０２６８】
フレームタイプのインジケータビットが「０１」であるとき、それは、ＭＰＤＵが制御フレームであることを示し、制御フレームのサブタイプフレームを示すための共通値は「０１１１〜１１１１」であり、この場合、本発明のこの実施形態の方法では、サブフレームのタイプのインジケータビットは「００００〜０１１０」の範囲の値に設定され得る。
【０２６９】
ＭＰＤＵがデータフレームであるとき、フレームタイプのインジケータビット「１０」未満のすべてのサブタイプが使用されているので、本発明のこの実施形態の方法では、データフレームは、フレームタイプのインジケータビットを「１１」として設定し、サブタイプを有意な値に設定することによって示され得る。
【０２７０】
ＳＴＡがアップリンクデータを送るとき、ＭＰＤＵのいくつかの情報が除去され、それによりＭＰＤＵ内の冗長データを減らし、送信効率を改善することが認識され得る。
【０２７１】
本発明のこの実施形態では、ＡＰにより構築されたＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得ることが、上記の内容から認識され得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。ワイルドカードＳＴＡ識別子は、ＳＴＡのグループまたはすべてのＳＴＡの識別子を含む。
【０２７２】
同じ概念に基づいて、本発明の実施形態は、ワイヤレスローカルエリアネットワーク通信装置１５０１と無線周波数モジュール１５０２とを含むＡＰを提供する。
【０２７３】
ワイヤレスローカルエリアネットワーク通信装置１５０１は、図７または図９で提供された実施形態におけるワイヤレスローカルエリアネットワーク通信装置であってよく、詳細はここでは説明されない。
【０２７４】
無線周波数モジュール１５０２は、ワイヤレスローカルエリアネットワーク通信装置１５０１におけるトランシーバユニットまたはトランシーバにより送られたＰＰＤＵを受け取り、ＰＰＤＵを無線周波数信号に変調し、次いで無線周波数信号を送り、また、ＳＴＡにより送られたＰＰＤＵの無線周波数信号を受け取り、無線周波数信号を復調し、次いで、復調された無線周波数信号を、ワイヤレスローカルエリアネットワーク通信装置１５０１におけるトランシーバユニットまたはトランシーバに送るように構成される。
【０２７５】
同じ概念に基づいて、本発明の実施形態は、ワイヤレスローカルエリアネットワーク通信装置１６０１と無線周波数モジュール１６０２とを含むＳＴＡを提供する。
【０２７６】
ワイヤレスローカルエリアネットワーク通信装置１６０１は、図８または図１０で提供された実施形態におけるワイヤレスローカルエリアネットワーク通信装置であってよく、詳細はここでは説明されない。
【０２７７】
無線周波数モジュール１６０２は、ＡＰにより送られた無線周波数信号を受け取り、無線周波数信号をＰＰＤＵに復調し、次いでＰＰＤＵをトランシーバユニットに送り、また、ワイヤレスローカルエリアネットワーク通信装置１６０１におけるトランシーバユニットまたはトランシーバにより送られたＰＰＤＵを受け取り、ＰＰＤＵを無線周波数信号に変調し、次いで無線周波数信号を送るように構成される。
【０２７８】
当業者には、本発明の実施形態が方法またはコンピュータプログラム製品として提供され得ることは理解されよう。したがって、本発明は、ハードウェアのみの実施形態、ソフトウェアのみの実施形態、またはソフトウェアとハードウェアの組み合わせを有する実施形態の形態を使用し得る。さらに、本発明は、コンピュータ使用可能プログラムコードを含む１または複数のコンピュータ使用可能記憶媒体（ディスクメモリ、ＣＤ−ＲＯＭ、および光メモリなどを含むがそれらに限定されない）上に実装されるコンピュータプログラム製品の形態を使用し得る。
【０２７９】
本発明は、本発明の実施形態による方法、装置（システム）、およびコンピュータプログラム製品のフローチャートおよび／またはブロック図を参照して説明される。コンピュータプログラム命令が、フローチャートおよび／またはブロック図における各プロセスおよび／または各ブロック、ならびにフローチャートおよび／またはブロック図におけるプロセスおよび／またはブロックの組み合わせを実装するために使用され得ることは理解されよう。これらのコンピュータプログラム命令は、汎用コンピュータ、専用コンピュータ、組み込みプロセッサ、または、マシンを生成するための任意の他のプログラム可能データ処理装置のプロセッサに対して提供されてよく、そうすることで、コンピュータまたは任意の他のプログラム可能データ処理装置のプロセッサによって実行された命令が、フローチャートの１もしくは複数のプロセスおよび／またはブロック図の１もしくは複数のブロックにおける特定の機能を実装するための装置を生成することになる。
【０２８０】
これらのコンピュータプログラム命令は、コンピュータまたは任意の他のプログラム可能データ処理装置に特定の様式で動作するように命令できるコンピュータ可読メモリに記憶されてもまたよく、そうすることで、コンピュータ可読メモリに記憶された命令が、命令装置を含む人工物を生成することになる。命令装置は、フローチャートの１もしくは複数のプロセスおよび／またはブロック図の１もしくは複数のブロックにおける特定の機能を実装する。
【０２８１】
これらのコンピュータプログラム命令は、コンピュータまたは別のプログラム可能データ処理装置上にロードされてもまたよく、そうすることで、一連の動作またはステップがコンピュータまたは別のプログラム可能装置上で実行されることになり、それにより、コンピュータに実装された処理を生成する。したがって、コンピュータまたは別のプログラム可能装置上で実行された命令が、フローチャートの１もしくは複数のプロセスおよび／またはブロック図の１もしくは複数のブロックにおける特定の機能を実装するためのステップを提供する。
【０２８２】
本発明のいくつかの例示的な実施形態が説明されているが、当業者は、基本的発明概念を認識すれば、これらの実施形態に対して変更および改変を行うことができる。したがって、添付の特許請求の範囲は、本発明の範囲内に入る例示的な実施形態およびすべての変更および改変を包含すると解釈されることが意図される。
【０２８３】
明らかに、当業者は、本発明の趣旨および範囲から逸脱することなく、本発明に対して様々な改変および変形を行うことができる。本発明は、これらの改変および変形が添付の特許請求の範囲および等価な技術によって規定される保護の範囲に入るならば、それらを包含することが意図される。
【０２８４】
たとえば、上述の実装様式でアップリンクＭＰＤＵを生成（または処理）するプロセスにおいて、実際の状況に応じて、ＭＡＣヘッダ領域における一部の情報のみ、たとえば、送信機アドレス、受信機アドレス、または持続時間情報のうちの１つまたは組み合わせが圧縮されることが可能である。
【０２８５】
具体的には、ステーションにより送られたアップリンクＰＰＤＵのＰＬＣＰヘッダ領域が、受信機アドレス（たとえばＡＰのＩＤ）および持続時間を含むとき、上述されたアップリンクＭＰＤＵを生成する様式１または２で処理が行われ得る。当然ながら、あるいは、アップリンクＰＰＤＵのＰＬＣＰヘッダ領域が、受信機アドレスおよび／または持続時間を含まないことがあり、この場合、アップリンクＭＰＤＵを生成（処理）する様式３が使用されてよく、様式３では、
アップリンクＰＰＤＵを生成し、ここで、アップリンクＰＰＤＵのＰＬＣＰヘッダ領域は、送信機アドレス、受信機アドレス、または持続時間のうちの１つまたは任意の組み合わせを含まず、アップリンクＰＰＤＵのデータ領域は、ＭＡＣヘッダ領域が、少なくとも送信機アドレスに関する情報を含まないアップリンクＭＰＤＵを担持しており、
アップリンクＰＰＤＵを送る。
【０２８６】
具体例：
【０２８７】
例１ａ：ＰＬＣＰヘッダ領域が受信機アドレスまたは持続時間を含まない場合、アップリンクＰＰＤＵのデータ領域は、送信機アドレスを含まないアップリンクＭＰＤＵを担持し得る。
【０２８８】
例２ａ：ＰＬＣＰヘッダ領域が、受信機アドレスを含むが持続時間を含まない場合、アップリンクＰＰＤＵのデータ領域は、送信機アドレスに関する情報または受信機アドレスに関する情報を含まないアップリンクＭＰＤＵを担持し得る。
【０２８９】
例３ａ：ＰＬＣＰヘッダ領域が、持続時間を含むが受信機アドレスを含まない場合、アップリンクＰＰＤＵのデータ領域は、送信機アドレスまたは持続時間情報を含まないＭＰＤＵを担持し得る。
【０２９０】
例４ａ：ＰＬＣＰヘッダ領域が、送信機アドレスを含むが受信機アドレスまたは持続時間を含まない場合、アップリンクＰＰＤＵのデータ領域は、送信機アドレスを含まないアップリンクＭＰＤＵを担持し得る。
【０２９１】
例５ａ：ＰＬＣＰヘッダ領域が、送信機アドレスおよび受信機アドレスを含むが持続時間を含まない場合、アップリンクＰＰＤＵのデータ領域は、送信機アドレスに関する情報または受信機アドレスに関する情報を含まないアップリンクＰＰＤＵを担持し得る。
【０２９２】
例６ａ：ＰＬＣＰヘッダ領域が、送信機アドレスおよび持続時間を含むが受信機アドレスを含まない場合、アップリンクＰＰＤＵのデータ領域は、送信機アドレスまたは持続時間情報を含まないアップリンクＰＰＤＵを担持し得る。
【０２９３】
具体的には、例１では、ＭＰＤＵがＭＡＣ層で形成されるとき、ＭＰＤＵが従来技術におけるそれと同じであり、すなわち、ＭＰＤＵのＭＡＣヘッダ領域が送信機アドレスを含み、ＰＰＤＵがＰＨＹ層で形成されるとき、ＭＰＤＵのＭＡＣヘッダ領域における送信機アドレスが除去され、そして、ＭＡＣヘッダ領域が送信機アドレスを含まないＭＰＤＵが、ＰＰＤＵのデータ領域内に置かれる。
【０２９４】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０２９５】
たとえば、ＳＴＡがＡＰに関連付けられており、リソース標識情報が、指定されたリソース上でアップリンクデータをＳＴＡが送ることを示す場合、ＳＴＡは、アップリンクＭＰＤＵのＭＡＣヘッダ領域における送信機アドレス（ＳＴＡのＭＡＣアドレス）を、アップリンクＭＰＤＵのＭＡＣヘッダ領域から除去し、リソース標識情報に従って、ＰＰＤＵのデータ領域において、送信機アドレスが除去されたアップリンクＭＰＤＵを、ＡＰへ送る。ＳＴＡがアップリンクＭＰＤＵを送るとき、ＳＴＡは、ダウンリンクＰＰＤＵで担持されるリソース標識情報に従って、指定されたリソース上で、アップリンクＭＰＤＵを送り、したがって、ＡＰは、リソース標識情報に従って、データ領域において、アップリンクＭＰＤＵを受け取る。
【０２９６】
上記の解決策は、上述されたアップリンクＭＰＤＵのＭＡＣヘッダ領域のデータ構造に適用されてもまたよい。すなわち、アップリンクＭＰＤＵを生成する様式４は以下のようになる。
【０２９７】
アップリンクＰＰＤＵを生成する。ここで、アップリンクＰＰＤＵのＰＬＣＰヘッダ領域は、送信機アドレス、受信機アドレス、または持続時間のうちの１つまたは任意の組み合わせを含まず、アップリンクＰＰＤＵのデータ領域は、ＭＰＤＵを担持し、アップリンクＭＰＤＵのＭＡＣヘッダ領域は、少なくとも送信機アドレスに関する情報を含まない。
【０２９８】
具体例：
例１ｂ：ＰＬＣＰヘッダ領域が受信機アドレスまたは持続時間を含まない場合、アップリンクＰＰＤＵのデータ領域は、アップリンクＭＰＤＵを担持してよく、アップリンクＭＰＤＵのＭＡＣヘッダ領域は、送信機アドレスを含まない。
【０２９９】
例２ｂ：ＰＬＣＰヘッダ領域が、受信機アドレスを含むが持続時間を含まない場合、アップリンクＰＰＤＵのデータ領域は、アップリンクＭＰＤＵを担持してよく、アップリンクＭＰＤＵのＭＡＣヘッダ領域は、送信機アドレスに関する情報または受信機アドレスに関する情報を含まない。
【０３００】
例３ｂ：ＰＬＣＰヘッダ領域が、持続時間を含むが受信機アドレスを含まない場合、アップリンクＰＰＤＵのデータ領域は、アップリンクＭＰＤＵを担持してよく、アップリンクＭＰＤＵのＭＡＣヘッダ領域は、送信機アドレスまたは持続時間情報を含まない。
【０３０１】
例４ｂ：ＰＬＣＰヘッダ領域が、送信機アドレスを含むが受信機アドレスまたは持続時間情報を含まない場合、アップリンクＰＰＤＵのデータ領域は、アップリンクＭＰＤＵを担持してよく、アップリンクＭＰＤＵのＭＡＣヘッダ領域は、送信機アドレスを含まない。
【０３０２】
例５ｂ：ＰＬＣＰヘッダ領域が、送信機アドレスおよび受信機アドレスを含むが持続時間を含まない場合、アップリンクＰＰＤＵのデータ領域は、アップリンクＭＰＤＵを担持してよく、アップリンクＭＰＤＵのＭＡＣヘッダ領域は、送信機アドレスに関する情報または受信機アドレスに関する情報を含まない。
【０３０３】
例６ｂ：ＰＬＣＰヘッダ領域が、送信機アドレスおよび持続時間を含むが受信機アドレスを含まない場合、アップリンクＰＰＤＵのデータ領域は、アップリンクＭＰＤＵを担持してよく、アップリンクＭＰＤＵのＭＡＣヘッダ領域は、送信機アドレスまたは持続時間情報を含まない。
【０３０４】
具体的には、例１ｂでは、アップリンクＭＰＤＵがＭＡＣ層で形成されるとき、すなわち、ＭＰＤＵのＭＡＣヘッダ領域が、少なくとも送信機アドレスを含まず、この場合、ＭＡＣヘッダ領域が送信機アドレスを含まない、アップリンクＭＰＤＵが送られる。
【０３０５】
上記の解決策は、上記の実装様式で述べられた装置および方法に適用されてよく、たとえば、生成プロセスは、処理ユニットまたはプロセッサを使用することによって実装され、送るプロセスおよび受け取るプロセスは、トランシーバを使用することによって実装され得る。当業者には、アップリンクＭＰＤＵおよびアップリンクＰＰＤＵがアクセスポイントによって受信側で対応して受け取られ処理されることも理解し得る。上記の拡張された実装様式および上述された実装様式の詳細は、論理的に組み合わされ得るが、他の拡張可能な内容は本明細書では説明されていない。
【図１】
2019135883.tif 000003
【図２】
2019135883.tif 000004
【図３】
2019135883.tif 000005
【図４】
2019135883.tif 000006
【図５】
2019135883.tif 000007
【図６】
2019135883.tif 000008
【図７】
2019135883.tif 000009
【図８】
2019135883.tif 000010
【図９】
2019135883.tif 000011
【図１０】
2019135883.tif 000012
【図１１】
2019135883.tif 000013
【図１２】
2019135883.tif 000014
【図１３ａ】
2019135883.tif 000015
【図１３ｂ】
2019135883.tif 000016
【図１３ｃ】
2019135883.tif 000017
【図１３ｄ】
2019135883.tif 000018
【図１３ｅ】
2019135883.tif 000019
【図１４】
2019135883.tif 000020
【図１５】
2019135883.tif 000021
【図１６】
2019135883.tif 000022
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワークの物理層プロトコルデータユニット（ＰＰＤＵ）を生成するように構成された処理ユニットであって、前記ＰＰＤＵは、少なくとも、物理層コンバージェンスプロトコル（ＰＬＣＰ）ヘッダ領域およびデータ領域を含み、前記ＰＬＣＰヘッダ領域は、プリアンブルおよび制御領域を含み、前記制御領域は、持続時間情報を担持し、前記持続時間情報は、ネットワーク割り当てベクトル（ＮＡＶ）を設定し、送信機会（ＴＸＯＰ）における連続した１以上のＰＰＤＵの送信を保護するために使用され、前記持続時間情報によって示される持続時間は、前記ＴＸＯＰにおける前記連続した１以上のＰＰＤＵの送信時間を含む、処理ユニットと、
前記生成されたＰＰＤＵを送るように構成されたトランシーバユニットと
を備える、ワイヤレスローカルエリアネットワーク通信装置。
【請求項２】
アクセスポイント（ＡＰ）の識別子は、基本サービスセット（ＢＳＳ）の識別子である
請求項１に記載の装置。
【請求項３】
前記持続時間情報によって示される時間長内では非ターゲットステーション（ＳＴＡ）によってデータが送信されない
請求項１または２に記載の装置。
【請求項４】
前記持続時間情報は、前記ＴＸＯＰの残り時間を示す
請求項１乃至３のいずれか一項に記載の装置。
【請求項５】
アクセスポイント（ＡＰ）により送られたワイヤレスローカルエリアネットワークの物理層プロトコルデータユニット（ＰＰＤＵ）を受け取るように構成されたトランシーバユニットであって、前記ＰＰＤＵは、少なくとも、物理層コンバージェンスプロトコル（ＰＬＣＰ）ヘッダ領域およびデータ領域を含み、前記ＰＬＣＰヘッダ領域は、プリアンブルおよび制御領域を含み、前記制御領域は、持続時間情報を担持し、前記持続時間情報は、ネットワーク割り当てベクトル（ＮＡＶ）を設定し、送信機会（ＴＸＯＰ）における１以上の連続したＰＰＤＵの送信を保護するために使用され、前記持続時間情報によって示される持続時間は、前記ＴＸＯＰにおける前記連続した１以上のＰＰＤＵの送信時間を含む、トランシーバユニットと、
前記ＰＰＤＵの前記制御領域における前記持続時間情報を、解析によって取得するように構成された処理ユニットと
を備える、ワイヤレスローカルエリアネットワーク通信装置。
【請求項６】
前記持続時間情報によって示される前記持続時間は、前記ＴＸＯＰの持続時間内である
請求項５に記載の装置。
【請求項７】
前記持続時間情報によって示される時間長内では非ターゲットステーション（ＳＴＡ）によってデータが送信されない
請求項５または６に記載の装置。
【請求項８】
前記持続時間情報は、前記ＴＸＯＰの残り時間を示す
請求項５乃至７のいずれか一項に記載の装置。
【請求項９】
アクセスポイント（ＡＰ）によって、ワイヤレスローカルエリアネットワークの物理層プロトコルデータユニット（ＰＰＤＵ）を生成するステップであって、前記ＰＰＤＵは、少なくとも、物理層コンバージェンスプロトコル（ＰＬＣＰ）ヘッダ領域およびデータ領域を含み、前記ＰＬＣＰヘッダ領域は、プリアンブルおよび制御領域を含み、前記制御領域は、持続時間情報を担持し、前記持続時間情報は、ネットワーク割り当てベクトル（ＮＡＶ）を設定し、送信機会（ＴＸＯＰ）における１以上の連続したＰＰＤＵの送信を保護するために使用され、前記持続時間情報によって示される持続時間は、前記ＴＸＯＰにおける前記連続した１以上のＰＰＤＵの送信時間を含む、ステップと、
前記ＡＰによって、前記生成されたＰＰＤＵを送るステップとを含む
ワイヤレスローカルエリアネットワークデータ送信方法。
【請求項１０】
前記持続時間情報によって示される前記持続時間は、前記ＴＸＯＰの持続時間内である
請求項９に記載の方法。
【請求項１１】
前記持続時間情報によって示される時間長内では非ターゲットステーション（ＳＴＡ）によってデータが送信されない
請求項９または１０に記載の方法。
【請求項１２】
前記持続時間情報は、前記ＴＸＯＰの残り時間を示す
請求項９乃至１１のいずれか一項に記載の方法。
【請求項１３】
ステーション（ＳＴＡ）によって、アクセスポイント（ＡＰ）により送られたワイヤレスローカルエリアネットワークの物理層プロトコルデータユニット（ＰＰＤＵ）を受け取るステップであって、前記ＰＰＤＵは、少なくとも、物理層コンバージェンスプロトコル（ＰＬＣＰ）ヘッダ領域およびデータ領域を含み、前記ＰＬＣＰヘッダ領域は、プリアンブルおよび制御領域を含み、前記制御領域は、持続時間情報を担持し、前記持続時間情報は、ネットワーク割り当てベクトル（ＮＡＶ）を設定し、送信機会（ＴＸＯＰ）における１以上の連続したＰＰＤＵの送信を保護するために使用され、前記持続時間情報によって示される持続時間は、前記ＴＸＯＰにおける前記連続した１以上のＰＰＤＵの送信時間を含む、ステップと、
前記ＰＰＤＵの前記制御領域における前記持続時間情報を、解析によって取得するステップとを含む
ワイヤレスローカルエリアネットワークデータ送信方法。
【請求項１４】
前記持続時間情報によって示される前記持続時間は、前記ＴＸＯＰの持続時間内である
請求項１３に記載の方法。
【請求項１５】
前記持続時間情報によって示される時間長内では非ターゲットステーション（ＳＴＡ）によってデータが送信されない
請求項１３または１４に記載の方法。
【請求項１６】
前記持続時間情報は、前記ＴＸＯＰの残り時間を示す
請求項１３乃至１５のいずれか一項に記載の方法。
【手続補正２】
【補正対象書類名】明細書
【補正対象項目名】全文
【補正方法】変更
【補正の内容】
【発明の詳細な説明】
【技術分野】
【０００１】
本発明は、ワイヤレス通信の分野に関し、詳細には、ワイヤレスローカルエリアネットワークデータ送信方法および装置に関する。
【背景技術】
【０００２】
通信技術の急速な発展に伴って、ＩＥＥＥ８０２．１１規格に基づくワイヤレスローカルエリアネットワーク（略してＷＬＡＮ）技術が広く使用されている。ＩＥＥＥ８０２．１１ｎ／ａｃプロトコルに基づく物理層（略してＰＨＹ）は、直交周波数分割多元（略してＯＦＤＭ）技術を使用する。
【０００３】
ＷＬＡＮネットワークは、複数のアクセスポイント（略してＡＰ）、および複数のステーション（略してＳＴＡ）を含むことがある。各ＡＰは、複数のＳＴＡに関連付けられてよく、各ＡＰは、無線チャネルを使用することによって、ＡＰに関連付けられたＳＴＡに対してワイヤレスローカルエリアネットワークデータを送信し得る。ＡＰは、ＡＰに関連付けられたＳＴＡに対して物理層プロトコルデータユニット（略してＰＰＤＵ）を送信する。
【０００４】
従来技術では、受信側端末ＳＴＡは、ＰＰＤＵ全体を解析した後のみ、ＰＰＤＵに関する情報がそのＳＴＡに属するかどうかを決定することができる。結果として、プロセス中に大量の不必要な情報が解析され、それにより送信効率が低下する。したがって、ワイヤレスローカルエリアネットワークデータ送信様式は、ＩＥＥＥ８０２．１１ａｘプロトコルに基づき、データ送信効率を改善することを緊急に必要とされている。
【発明の概要】
【０００５】
本発明の実施形態は、データ送信効率を改善するために使用されるワイヤレスローカルエリアネットワークデータ送信方法および装置を提供する。
【０００６】
第１の態様によれば、ワイヤレスローカルエリアネットワーク通信装置が提供され、通信装置は、アクセスポイントＡＰ内に配設され、
ワイヤレスローカルエリアネットワークの物理層プロトコルデータユニットＰＰＤＵを生成するように構成された処理ユニットであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのステーションＳＴＡの識別子、および持続時間情報を担持する、処理ユニットと、
生成されたＰＰＤＵを送るように構成されたトランシーバユニットとを含む。
【０００７】
第２の態様によれば、ワイヤレスローカルエリアネットワーク通信装置が提供され、通信装置は、ステーションＳＴＡ内に配設され、
アクセスポイントＡＰにより送られたワイヤレスローカルエリアネットワークの物理層プロトコルデータユニットＰＰＤＵを受け取るように構成されたトランシーバユニットであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子情報、少なくとも１つのステーションＳＴＡの識別子、および持続時間情報を担持する、トランシーバユニットと、
ＰＰＤＵの制御領域におけるＡＰの識別子情報、少なくとも１つのステーションＳＴＡの識別子、および持続時間情報を、解析によって取得するように構成された処理ユニットとを含む。
【０００８】
第３の態様によれば、ワイヤレスローカルエリアネットワーク通信装置が提供され、通信装置は、アクセスポイントＡＰ内に配設され、
ワイヤレスローカルエリアネットワークの物理層プロトコルデータユニットＰＰＤＵを生成するように構成されたプロセッサであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのステーションＳＴＡの識別子、および持続時間情報を担持する、プロセッサと、
生成されたＰＰＤＵを送るように構成されたトランシーバと、
ＭＰＤＵおよびＰＰＤＵを記憶するように構成されたメモリであって、メモリは、上記プロセスを実行するためにプロセッサによって使用されるコードも記憶し得る、メモリとを含む。
【０００９】
第４の態様によれば、ワイヤレスローカルエリアネットワーク通信装置が提供され、通信装置は、ステーションＳＴＡ内に配設され、
アクセスポイントＡＰにより送られたワイヤレスローカルエリアネットワークの物理層プロトコルデータユニットＰＰＤＵを受け取るように構成されたトランシーバであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子情報、少なくとも１つのステーションＳＴＡの識別子、および持続時間情報を担持する、トランシーバと、
ＰＰＤＵの制御領域におけるＡＰの識別子情報、少なくとも１つのステーションＳＴＡの識別子、および持続時間情報を、解析によって取得するように構成されたプロセッサとを含む。
【００１０】
第５の態様によれば、アクセスポイントが提供され、アクセスポイントは、請求項１乃至８のいずれか一項に記載の通信装置を含み、
トランシーバユニットにより送られたＰＰＤＵを受け取り、ＰＰＤＵを無線周波数信号に変調し、次いで無線周波数信号を送るように構成された無線周波数モジュールをさらに含む。
【００１１】
第６の態様によれば、ステーションＳＴＡが提供され、ＳＴＡは、請求項１０乃至１５のいずれか一項に記載の通信装置を含み、
ＡＰにより送られたＰＰＤＵの無線周波数信号を受け取り、無線周波数信号をＰＰＤＵに復調し、次いでＰＰＤＵをトランシーバユニットに送るように構成された無線周波数モジュールをさらに含む。
【００１２】
第８の態様によれば、ワイヤレスローカルエリアネットワークデータ送信方法が提供され、ワイヤレスローカルエリアネットワークデータ送信方法は、
アクセスポイントＡＰにより送られたワイヤレスローカルエリアネットワークの物理層プロトコルデータユニットＰＰＤＵを受け取るステップであって、ＰＰＤＵは、少なくとも、物理層コンバージェンスプロトコルＰＬＣＰヘッダ領域およびデータ領域を含み、ＰＬＣＰヘッダ領域は、プリアンブルおよび制御領域を含み、制御領域は、少なくとも、ＡＰの識別子情報、少なくとも１つのステーションＳＴＡの識別子、および持続時間情報を担持する、受け取るステップと、
ＰＰＤＵの制御領域におけるＡＰの識別子情報、少なくとも１つのステーションＳＴＡの識別子、および持続時間情報を、解析によって取得するステップとを含む。
【００１３】
本発明の実施形態において、ＡＰにより構築されたＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定し得、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいては、ＰＰＤＵの制御領域のみが解析されるので、データ送信効率が改善する。
【図面の簡単な説明】
【００１４】
本発明の実施形態における技術的解決策をより明瞭に説明するために、以下で実施形態
を説明するために必要とされる添付図面を簡単に説明する。明らかに、以下の説明におい
て添付図面は本発明の実施形態の一部を示すに過ぎず、当業者は創作的努力なしにこれら
の図面から他の図面を導き出し得る。
【００１５】
【図１】本発明の実施形態によるデータ送信システムを示す図である。
【図２】従来技術におけるＭＰＤＵおよびＰＰＤＵの概略構造図である。
【図３】従来技術におけるＡＰとＳＴＡとの間のデータ送信のためのアーキテクチャ    の概略図である。
【図４】従来技術におけるＭＰＤＵのフレーム構造の概略図である。
【図５】従来技術におけるＰＰＤＵのフレーム構造の概略図である。
【図６】本発明の実施形態に適用されるＰＰＤＵのフレーム構造の概略図である。
【図７】本発明の実施形態によるワイヤレスローカルエリアネットワーク通信装置の    概略構造図である。
【図８】本発明の実施形態によるワイヤレスローカルエリアネットワーク通信装置の    概略構造図である。
【図９】本発明の実施形態によるワイヤレスローカルエリアネットワーク通信装置の    概略構造図である。
【図１０】本発明の実施形態によるワイヤレスローカルエリアネットワーク通信装置    の概略構造図である。
【図１１】本発明の実施形態によるデータ送信方法を示す図である。
【図１２】本発明の実施形態によるデータ送信方法における持続時間情報によって指    定される時間長の概略図である。
【図１３ａ】本発明の実施形態によるデータ送信方法におけるＭＰＤＵのフレーム構    造の概略図である。
【図１３ｂ】本発明の実施形態によるデータ送信方法におけるＭＰＤＵのフレーム制    御フィールド内のいくつかのフレームの構造の概略図である。
【図１３ｃ】本発明の実施形態によるデータ送信方法におけるＭＰＤＵのフレーム構    造の概略図である。
【図１３ｄ】本発明の実施形態によるデータ送信方法におけるＭＰＤＵのフレーム構    造の概略図である。
【図１３ｅ】本発明の実施形態によるデータ送信方法におけるＭＰＤＵのフレーム構    造の概略図である。
【図１４】本発明の実施形態によるデータ送信方法を示す図である。
【図１５】本発明の実施形態によるワイヤレスローカルエリアネットワーク通信装置    の概略構造図である。
【図１６】本発明の実施形態によるワイヤレスローカルエリアネットワーク通信装置    の概略構造図である。
【発明を実施するための形態】
【００１６】
本発明の実施形態において、ＡＰにより構築されたＰＰＤＵにおけるＰＬＣＰヘッダ領域の制御領域は、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定し得、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【００１７】
現在策定されている次世代ワイヤレスローカルエリアネットワークの規格はＩＥＥＥ  ８０２．１１ａｘであり、これは、実際のネットワーク配備場面でワイヤレスローカルエリアネットワークの効率を改善することを意図しており、したがって、高効率ワイヤレスローカルエリアネットワーク（High Efficiency WLAN、略してＨＥＷ）と呼ばれる。ＩＥＥＥ８０２．１１ａｘに基づくＰＨＹは、直交周波数分割多元接続（Orthogonal frequency division multiplexing access、略してＯＦＤＭＡ）技術を使用する。
【００１８】
ＷＬＡＮは、複数のアクセスポイント（Access Point、略してＡＰ）、および複数のステーション（Station、略してＳＴＡ）を含むことがある。各ＡＰは、複数のＳＴＡに関連付けられてよく、各ＡＰは、無線チャネルを使用することによって、ＡＰに関連付けられたＳＴＡに対してワイヤレスローカルエリアネットワークデータを送信し得る。本発明の実施形態はＷＬＡＮシステムに適用され、ＷＬＡＮシステムはＡＰおよびＳＴＡを含む。図１は、本発明の実施形態に適用されるＷＬＡＮシステムの簡単な概略図である。図１のシステムは、１または複数のＡＰ６０１および１または複数のＳＴＡ６０２を含む。ＡＰ６０１とＳＴＡ６０２との間のワイヤレス通信は、ＯＦＤＭＡ技術を使用することによって行われる。
【００１９】
ＡＰは、ワイヤレスアクセスポイント、ブリッジ、またはホットスポットなどと呼ばれてもまたよく、サーバまたは通信ネットワークにアクセスすることがある。
【００２０】
ＳＴＡは、ユーザと呼ばれてもまたよく、または、ワイヤレスセンサ、ワイヤレス通信端末、もしくは携帯端末、たとえば、Ｗｉ−Ｆｉ通信機能をサポートする携帯電話（もしくは「セルラ」電話と呼ばれる）、もしくはワイヤレス通信機能を有するコンピュータであり得る。たとえば、ＳＴＡは、Ｗｉ−Ｆｉ通信機能をサポートし音声またはデータなどの通信データを無線アクセスネットワークと交換する、携帯、ポケットサイズ、ハンドヘルド、コンピュータ内蔵、ウェアラブル、または車載型のワイヤレス通信装置であり得る。
【００２１】
本発明のこの実施形態で言及されるＡＰの識別子情報は、ネットワークカバレッジエリア内でＡＰを一意に識別するために使用される。ＡＰの識別子情報は、基本サービスセット識別子（Basic Service Set Identifier、略してＢＳＳＩＤ）またはＢＳＳＩＤの一部、たとえば、ＢＳＳＩＤの下位７ビット、ＢＳＳＩＤに基づいて生成された識別子、またはネットワークによって事前に割り当てられたＡＰの識別子であり得る。
【００２２】
本発明のこの実施形態で言及される持続時間情報は、そのデータを使用することによってＳＴＡのＮＡＶを構成するためにＳＴＡによって使用され、持続時間情報は、１５ビットを使用することによって示され得る。
【００２３】
図２は、従来技術におけるＭＰＤＵおよびＰＰＤＵの構造図を例示的に示す。図３は、従来技術におけるＡＰとＳＴＡとの間のデータ送信のためのアーキテクチャの図を例示的に示す。図２および図３に示されるように、ＡＰが、ＡＰに関連付けられたＳＴＡとデータ送信を行うとき、ＡＰは、一般的に、上層論理リンク制御層（Logical Link Control、略してＬＬＣ）において媒体アクセス制御サービスデータユニット（Medium Access Control Service Data Unit、略してＭＳＤＵ）に媒体アクセス制御（Medium Access Control、略してＭＡＣ）ヘッダ領域を取り付けることによって、媒体アクセス制御プロトコルデータユニット（Medium Access Control Layer Protocol Data Unit、略してＭＰＤＵ）としてＭＳＤＵをカプセル化し、また、ＡＰは、ＭＰＤＵにプロトコル処理ユニット（PLCP protocol data unit、略してＰＬＣＰ）ヘッダ領域を取り付けることによって、物理層プロトコルデータユニット（Physical Layer Protocol Data Unit、略してＰＰＤＵ）としてＭＰＤＵをカプセル化する。ＡＰは、ＡＰに関連付けられたＳＴＡに対してＰＰＤＵを送信する。
【００２４】
図４は、従来技術におけるＭＰＤＵのフォーマットの簡単な概略図である。図４に示されるように、フレーム制御（Frame Control）、持続時間／識別子（Duration/ID）、アドレス１、および最後のフレームチェックシーケンス（frame check sequence、略してＦＣＳ）フィールドが、各ＭＰＤＵに含まれる。アドレス２、アドレス３、シーケンス制御、アドレス４、サービス品質（Quality of Service、略してＱｏＳ）制御、高スループット（High-throughput、略してＨＴ）制御、およびフレーム本体（Frame Body）が特定のフレームに含まれる。
【００２５】
フレーム制御フィールドは、ＰＰＤＵのタイプを示すために使用される。
【００２６】
持続時間メッセージは、ＳＴＡによってＳＴＡのＮＡＶを構成して、持続時間メッセージの時間長の間にデータが送られないようにするために使用され、それによりチャネル干渉を低減させる。
【００２７】
アドレス１は、ＭＰＤＵの受信機アドレス（略してＲＡ）であり、アドレス２は、ＭＰＤＵの送信機アドレス（略してＴＡ）である。データがＡＰによってＳＴＡに対して送られたダウンリンクデータである場合、アドレス１は、受信側端末ＳＴＡのＭＡＣアドレスであり、アドレス２は、送信側端末ＡＰのＭＡＣアドレスであり、データがＳＴＡによってＡＰに対して送られたアップリンクデータである場合、アドレス１は、受信側端末ＡＰのＭＡＣアドレスであり、アドレス２は、送信側端末ＳＴＡのＭＡＣアドレスである。
【００２８】
図５は、従来技術におけるＯＦＤＭ  ＰＰＤＵのフォーマットを示す。図に示されるように、最初の２０μｓの信号の３つのセクションは、８μｓレガシーショートトレーニングフィールド（略してＬ−ＳＴＦ）、８ｕｓレガシーロングトレーニングフィールド（略してＬ−ＬＴＦ）、および４μｓレガシー信号フィールド（略してＬ−ＳＩＧ）を含む。Ｌ−ＳＴＦは、ＡＰに関連付けられたＳＴＡをＡＰに同期させるために使用され、Ｌ−ＬＴＦは、ＡＰに関連付けられたＳＴＡによって、チャネル推定を行うために使用され、そうすることで、コヒーレント受信を使用することによって、Ｌ−ＳＩＧで担持される無線フレームの持続時間に関する情報を取得する。超高スループット信号領域Ａ（略してＶＨＴ−ＳＩＧ−Ａ）は、ＰＰＤＵの送信構成パラメータ情報を担持する。超高スループットショートトレーニングフィールド（略してＶＨＴ−ＳＴＦ）は、受信側端末によって、自動利得制御（ＡＧＣ）を行うために使用される。超高スループットロングトレーニングフィールド（略してＶＨＴ−ＬＴＦ）は、受信側端末によって、チャネル推定およびコヒーレント検出を行うために使用される。超高スループット信号領域Ｂ（略してＶＨＴ−ＳＩＧ−Ｂ）は、後続データによって使用される変調および符号化方式（略してＭＣＳ）、ならびに送信されたＭＰＤＵの長さを示すために使用される。最後のデータ領域は、ＭＰＤＵを担持するために使用される。
【００２９】
これら図４および図５では、ＭＰＤＵは、ＰＰＤＵの最後の部分にあるデータ領域で担持される。持続時間メッセージおよび受信機アドレス（address 1）または送信機アドレス（address 2）は、ＭＰＤＵのＭＡＣヘッダ領域で担持される。持続時間メッセージおよび受信機アドレス（address 1）が受信側端末によって解析されたとき、受信機アドレスが、受信側端末に対応するＭＡＣアドレスまたはグループアドレス（group address）ではない場合、受信側端末は、持続時間情報に従って、受信側端末に対応するＳＴＡのネットワーク割り当てベクトル（略してＮＡＶ）を構成して、持続時間メッセージの時間長内にデータが送られないようにし、それによりチャネル干渉を低減させる。
【００３０】
図６は、本発明の実施形態に適用されるＰＰＤＵのフォーマットの単純な概略図である。図６に示されるように、ＰＰＤＵは、ＰＬＣＰヘッダ領域およびデータ領域を含む。ＰＬＣＰヘッダ領域は、レガシープリアンブル（略してＬ−Ｐｒｅ）および制御領域を含み、制御領域は、高効率信号領域（略してＨＥ−ＳＩＧ）１およびＨＥ−ＳＩＧ２を含み、データ領域は、ダウンリンク（略してＤＬ）データ領域および／またはアップリンク（略してＵＬ）データ領域を含む。
【００３１】
Ｌ−Ｐｒｅは、ＩＥＥＥ８０２．１１に適合したプリアンブル部を使用し、既存のＩＥＥＥ８０２．１１は、ＩＥＥＥ８０２．１１ａ、ＩＥＥＥ８０２．１１ｇ、ＩＥＥＥ８０２．１１ｎ、ＩＥＥＥ８０２．１１ａｃ、またはＩＥＥＥ８０２．１１ａｘであり得る。Ｌ−Ｐｒｅ部は、Ｌ−ＳＴＦ、Ｌ−ＬＴＦ、およびＬ−ＳＩＧを含み、Ｌ−ＳＴＦ、Ｌ−ＬＴＦ、およびＬ−ＳＩＧの機能は、図５の従来技術におけるＯＦＤＭ  ＰＰＤＵにおける対応するフィールドのそれらと同じである。
【００３２】
制御領域におけるＨＥ−ＳＩＧ１のデータは、ＩＥＥＥ８０２．１１ａｘプロトコルに基づく送信を行うＳＴＡのＨＥ−ＳＩＧ１に近接して続くフレームのフォーマット構成、たとえば、ＨＥ−ＳＩＧ２の送信様式、またはアップリンクおよびダウンリンクデータ領域の量もしくは配列順序を示すために使用される。制御領域におけるＨＥ−ＳＩＧ１は、ＩＥＥＥ８０２．１１ａｘプロトコルに基づいて送信を行うすべてのＳＴＡによって解析され得る。
【００３３】
制御領域におけるＨＥ−ＳＩＧ２は、ＳＴＡについて構成されたリソース標識情報を含み、リソース標識情報は、少なくとも１つのＳＴＡ識別子を含み、ＳＴＡ識別子は、ＰＰＤＵにおけるＡＰアドレスに関連付けられたＳＴＡの識別子、またはワイルドカードＳＴＡ識別子であってよく、ワイルドカードＳＴＡ識別子は、ＳＴＡのグループまたはすべてのＳＴＡの識別子を含む。ＳＴＡについて構成されたリソース標識情報は、ＨＥ−ＳＩＧ１に含まれないパブリック制御情報、アップリンクおよびダウンリンクＯＦＤＭＡ時間周波数リソースブロックの割り当て情報、スケジュールされたＳＴＡのＭＡＣアドレスまたはＳＴＡのＭＡＣアドレスに関連付けられたＳＴＡの識別子情報、スケジュールされたＳＴＡに対応する送信シグナリング、ならびに、ある種の他の任意選択の送信パラメータ構成情報、たとえば、ＭＣＳまたは空間ストリームの量などを含む。
【００３４】
従来技術との違いは、本発明のこの実施形態におけるＰＰＤＵ構造の制御領域は、ＡＰの識別子、少なくとも１つのＳＴＡの識別子、および持続時間情報をさらに含み、ＡＰの識別子および持続時間情報は、制御領域のＨＥ−ＳＩＧ１またはＨＥ−ＳＩＧ２内に置かれてよく、ＳＴＡの識別子は、ＨＥ−ＳＩＧ２のリソース標識情報内に配置される。このようにして、ＳＴＡは、ＰＬＣＰヘッダ領域の制御領域のみを解析することによって、ＡＰの識別子情報、持続時間情報、少なくとも１つのＳＴＡの識別子を取得し得ることである。したがって、ＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【００３５】
データ領域は、ＵＬデータ領域およびＤＬデータ領域を含んでよく。ＵＬデータ領域とＤＬデータ領域の両方がＭＰＤＵを担持するために使用される。
【００３６】
本発明のこの実施形態において提供されるＰＰＤＵのデータ領域上で担持されるダウンリンクＭＰＤＵのフレーム構造が、図１３ａから図１３ｅに示される。従来技術との違いは、本発明のこの実施形態におけるＰＰＤＵのデータ領域上で担持されるＭＰＤＵのＭＡＣヘッダ領域は、送信機アドレス、受信機アドレス、または持続時間情報を含まないことであり、具体的には以下の２つの様式で実装され得る。
【００３７】
ダウンリンクＭＰＤＵを生成する様式１：ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【００３８】
ダウンリンクＭＰＤＵを生成する様式２：ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００３９】
本発明の目的、技術的解決策、および有益な効果をより理解できるようにするため、以下でさらに添付図面および実施形態を参照して本発明を詳細に説明する。本明細書に説明される特定の実施形態は、本発明を単に説明するために使用され、本発明を限定するように意図されていないことは理解されるべきである。
【００４０】
本発明のこの実施形態で提供されるＰＰＤＵは、ＩＥＥＥ８０２．１１ａｘプロトコルに適用されてよいが、本発明のこの実施形態で提供される方法および装置は、本発明のこの実施形態で提供されるＰＰＤＵ構造に限定されない。
【００４１】
図１のシステムアーキテクチャに基づいて、本発明の実施形態がワイヤレスローカルエリアネットワーク通信装置を提供し、ワイヤレスローカルエリアネットワーク通信装置は、チップなどのコンポーネントであってよく、ワイヤレスローカルエリアネットワークにおいてデータを送信するために使用される。通信装置はＡＰ内に配設される。ワイヤレスローカルエリアネットワーク通信装置は、ＡＰ、たとえば、ワイヤレスアクセス装置、ブリッジ、またはホットポット装置であってもまたよい。ワイヤレスローカルエリアネットワーク通信装置は、サーバまたは通信ネットワークにアクセスすることがある。
【００４２】
図７に示されるように、ワイヤレスローカルエリアネットワーク通信装置は、
ワイヤレスローカルエリアネットワークのＰＰＤＵを生成するように構成された処理ユニット７０１であって、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する、処理ユニット７０１と、
生成されたＰＰＤＵを送るように構成されたトランシーバユニット７０２とを含み得る。
【００４３】
ＰＰＤＵはＰＨＹ層エンティティによって生成されてよく、ＭＰＤＵはＭＡＣ層エンティティによって生成されてよい。
【００４４】
冗長な情報を減らすために、ＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【００４５】
ダウンリンクＭＰＤＵを生成する様式１：処理ユニット７０１によって生成されたＰＰＤＵのデータ領域は、ＭＡＣヘッダ領域が送信機アドレス、受信機アドレス、または持続時間情報を含まない、ダウンリンクＭＰＤＵを担持する。
【００４６】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００４７】
ダウンリンクＭＰＤＵを生成する様式２：処理ユニット７０１によって生成されたＰＰＤＵのデータ領域は、ダウンリンク媒体アクセス制御プロトコルデータユニットＭＰＤＵを担持し、ダウンリンクＭＰＤＵのＭＡＣヘッダ領域が送信機アドレス、受信機アドレス、または持続時間情報を含まない。
【００４８】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【００４９】
好ましくは、ＰＰＤＵのデータ領域は、アップリンクデータ情報をさらに担持し、ＳＴＡにより送られたアップリンクＭＰＤＵは、ＰＰＤＵにおけるリソース標識情報に従ってデータ領域において受け取られる。アップリンクＭＰＤＵは、以下のような２つの様式で生成され得る。
【００５０】
アップリンクＭＰＤＵを生成する様式１：トランシーバユニット７０２は、ＳＴＡにより送られたアップリンクＰＰＤＵを受け取り、アップリンクＰＰＤＵのデータ領域は、ＭＡＣヘッダ領域が送信機アドレス、受信機アドレス、または持続時間情報を含まない、アップリンクＭＰＤＵを担持する。
【００５１】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００５２】
アップリンクＭＰＤＵを生成する様式２：トランシーバユニット７０２は、ＳＴＡにより送られたアップリンクＰＰＤＵを受け取り、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００５３】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【００５４】
好ましくは、データ領域で担持されるアップリンクＭＰＤＵまたはダウンリンクＭＰＤＵのＭＡＣヘッダ領域は、少なくともフレーム制御フィールドを含み、フレーム制御フィールドは、ＭＰＤＵのタイプを示すために使用される。
【００５５】
好ましくは、フレーム制御フィールドによって示されるＭＰＤＵのタイプが管理フレームまたはデータフレームであるとき、ＭＡＣヘッダ領域は、少なくともアドレス３フィールドおよびシーケンス制御フィールドをさらに含む。
【００５６】
好ましくは、フレーム制御フィールドによって示されるＭＰＤＵのタイプがサービス品質ＱｏＳデータフレームであるとき、ＭＡＣヘッダ領域は、少なくともＱｏＳ制御フィールドをさらに含む。
【００５７】
特定の実装形態では、トランシーバユニット７０２は、ＯＦＤＭＡ技術を使用することによってデータ領域を送信するようにさらに構成され、データ領域で担持されるアップリンクＭＰＤＵまたはダウンリンクＭＰＤＵのＭＡＣヘッダ領域は、ＯＦＤＭＡ制御フィールドをさらに含む。
【００５８】
ＭＰＤＵのヘッダ領域が送信機アドレス、受信機アドレス、または持続時間情報を含まないことにより、データ送信プロセスにおける情報冗長性を軽減し、送信効率を改善することが認識され得る。
【００５９】
好ましくは、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【００６０】
好ましくは、処理ユニット７０１は、ＯＦＤＭＡ送信機会（Transmission Opportunity、略してＴＸＯＰ）においてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【００６１】
上記の設定を用いて、ＳＴＡは、Ｎ個の連続したＰＰＤＵを送信するプロセスにおいて沈黙を保ってよく、データを送らず、それによりチャネル干渉を低減させる。
【００６２】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【００６３】
同じ概念に基づいて、本発明の実施形態は、ワイヤレスローカルエリアネットワークにおいてデータを送信するために使用されるワイヤレスローカルエリアネットワーク通信装置を提供する。通信装置は、ＳＴＡ内に配設され、ワイヤレスセンサ、ワイヤレス通信端末、または携帯端末、たとえば、Ｗｉ−Ｆｉ通信機能をサポートする携帯電話（もしくは「セルラ」電話と呼ばれる）、またはワイヤレス通信機能を有するコンピュータであり得る。たとえば、通信装置は、Ｗｉ−Ｆｉ通信機能をサポートする、携帯、ポケットサイズ、ハンドヘルド、コンピュータ内蔵、ウェアラブル、または車載型のワイヤレス通信装置であり得る。ＳＴＡは、音声またはデータなどの通信データを無線アクセスネットワークと交換する。
【００６４】
図８に示されるように、ワイヤレスローカルエリアネットワーク通信装置は、
ＡＰにより送られたワイヤレスローカルエリアネットワークのＰＰＤＵを受け取るように構成されたトランシーバユニット８０１であって、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する、トランシーバユニット８０１と、
ＰＰＤＵの制御領域におけるＡＰの識別子情報、少なくとも１つのステーションＳＴＡの識別子、および持続時間情報を、解析によって取得するように構成された処理ユニット８０２とを含み得る。
【００６５】
ＰＰＤＵはＰＨＹ層エンティティによって生成されてよく、ＭＰＤＵはＭＡＣ層エンティティによって生成されてよい。
【００６６】
冗長な情報を減らすために、本発明のこの実施形態では、受け取られたＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【００６７】
ダウンリンクＭＰＤＵを生成する様式１：受け取られたＰＰＤＵのデータ領域は、ＭＡＣヘッダ領域が送信機アドレス、受信機アドレス、または持続時間情報を含まない、ダウンリンクＭＰＤＵを担持する。
【００６８】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。処理ユニットは、受け取られたＰＰＤＵの制御領域におけるＡＰの識別子およびＳＴＡの識別子に従って、ダウンリンクＭＰＤＵのＭＡＣヘッダ領域における送信機アドレスおよび受信機アドレスを取得する。
【００６９】
ダウンリンクＭＰＤＵを生成する様式２：受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まない。
【００７０】
具体的には、ダウンリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。処理ユニットは、受け取られたＰＰＤＵの制御領域におけるＡＰの識別子およびＳＴＡの識別子に従って、ダウンリンクＭＰＤＵの送信機アドレスおよび受信機アドレスを取得する。
【００７１】
特定の実施形態では、処理ユニットは、解析によって取得された、ＰＰＤＵにおける少なくとも１つのＳＴＡの識別子が、通信装置が配置されたＳＴＡのワイルドカード識別子を含まないと決定されたとき、解析によって取得された持続時間情報に従って、通信装置が配置されたＳＴＡのＮＡＶを構成するようにさらに構成される。少なくとも１つのＳＴＡは、ＰＰＤＵにおけるＡＰに関連付けられたＳＴＡ、およびワイルドカードＳＴＡを含む。少なくとも１つのＳＴＡの識別子がリソース標識情報内に配置される。
【００７２】
リソース標識情報が、ＳＴＡについて構成されたリソース情報を含まず、ワイルドカードリソース標識情報を含まない場合、リソース標識情報リソースが構成されていないＳＴＡは、持続時間情報に従ってＳＴＡのＮＡＶを構成し、ワイルドカードリソース標識情報は、ＳＴＡのグループまたはすべてのＳＴＡのリソース標識情報を含む。好ましくは、ワイルドカード識別子は、ワイルドカードリソース標識情報を示すために制御領域のＨＥ−ＳＩＧ２において使用され得る。
【００７３】
特定の実施形態では、ＳＴＡが、ＡＰの識別子に従って、ＳＴＡがＡＰに関連付けられたＳＴＡでないと決定した場合、ＳＴＡは、リソース標識情報がすべてのＳＴＡについて構成されたワイルドカードリソース標識情報を含むかどうかを決定し、ワイルドカードリソース標識情報が含まれていない場合、ＳＴＡは、持続時間情報に従ってＳＴＡのＮＡＶを構成する。
【００７４】
ＳＴＡが、ＡＰの識別子に従って、ＳＴＡがＡＰに関連付けられたＳＴＡであると決定した場合、ＳＴＡは、ＡＰの識別子およびリソース標識情報に従って、リソース標識情報がＳＴＡについて構成されたリソース標識情報を含むかどうかを決定する。リソース標識情報がＳＴＡについて構成されたリソース標識情報を含まない場合に、リソース標識情報がワイルドカードリソース標識情報を含まないことがさらに決定されたとき、リソース標識情報が構成されていないＳＴＡは、持続時間情報に従ってＳＴＡのＮＡＶを構成する。ここで、ワイルドカード標識情報は、ＳＴＡのグループまたはすべてのＳＴＡのリソース標識情報を含む。そうすることで、持続時間メッセージの時間長内にデータが送られないようにし、それによりチャネル干渉を低減させる。
【００７５】
ＳＴＡがＡＰに関連付けられており、リソース標識情報が、指定されたリソース上でダウンリンクデータをＳＴＡが受け取ることを示す場合、ＳＴＡは、指定されたリソース上でダウンリンクデータ領域内のデータを受け取り、受け取られたデータを解析する。
【００７６】
好ましくは、ＰＰＤＵのデータ領域がさらにアップリンクデータ情報を担持する場合、ＳＴＡは、アップリンクＭＰＤＵを送る。アップリンクＭＰＤＵは、以下のような２つの様式で生成され得る。
【００７７】
アップリンクＭＰＤＵを生成する様式１：処理ユニットは、アップリンクＰＰＤＵを生成し、アップリンクＰＰＤＵのデータ領域は、ＭＡＣヘッダ領域が送信機アドレス、受信機アドレス、または持続時間情報を含まない、アップリンクＭＰＤＵを担持し、トランシーバユニットは、アップリンクＰＰＤＵを送る。
【００７８】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【００７９】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【００８０】
たとえば、ＳＴＡがＡＰに関連付けられており、リソース標識情報が、指定されたリソース上でアップリンクデータをＳＴＡが送ることを示す場合、ＳＴＡは、アップリンクＭＰＤＵのＭＡＣヘッダ領域における受信機アドレス（MAC address of the AP）、持続時間情報、送信機アドレス（MAC address of the STA）を、アップリンクＭＰＤＵのＭＡＣヘッダ領域から除去し、リソース標識情報に従って、ＰＰＤＵのデータ領域において、送信機アドレス、持続時間情報、および受信機アドレスが除去されたアップリンクＭＰＤＵを、ＡＰへ送る。ＳＴＡがアップリンクＭＰＤＵを送るとき、ＳＴＡは、ダウンリンクＰＰＤＵで担持されるリソース標識情報に従って、指定されたリソース上で、アップリンクＭＰＤＵを送り、したがって、ＡＰは、リソース標識情報に従って、データ領域において、アップリンクＭＰＤＵを受け取る。
【００８１】
アップリンクＭＰＤＵを生成する様式２：処理ユニットは、アップリンクＰＰＤＵを生成し、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【００８２】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【００８３】
さらに、冗長な情報を減らすために、ＳＴＡがアップリンクデータを送るとき、取り付けられたＰＬＣＰヘッダ領域におけるデータ情報は、ＡＰの識別子情報または持続時間情報を含む必要がなく、チャネル推定および相関検出のために使用されるある種のデータのみを含む。
【００８４】
使用される異なるタイプのＭＰＤＵまたは異なる送信技術に応じて、本発明のこの実施形態におけるアップリンクＭＰＤＵまたはダウンリンクＭＰＤＵのＭＡＣヘッダ領域に含まれる情報もまた異なる。
【００８５】
具体的には、図１３ａに示されるように、アップリンクＭＰＤＵまたはダウンリンクＭＰＤＵのいずれかのＭＡＣヘッダ領域が、少なくともフレーム制御フィールドを含み、フレーム制御フィールドはＭＰＤＵのタイプを示すために使用される。
【００８６】
フレーム制御フィールドによって示されるＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含み得る。
【００８７】
フレーム制御フィールドによって示されるＭＰＤＵのタイプがＱｏＳデータフレームであるとき、ＭＡＣヘッダ領域は、図１３ｄに示されるように、少なくともＱｏＳ制御フィールドをさらに含み得る。
【００８８】
生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【００８９】
ＳＴＡがアップリンクデータを送るとき、冗長データが減らされ、送信効率が改善されることが認識され得る。
【００９０】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。ワイルドカードＳＴＡ識別子は、ＳＴＡのグループまたはすべてのＳＴＡの識別子を含む。
【００９１】
同じ概念に基づいて、本発明の実施形態は、ワイヤレスローカルエリアネットワーク通信装置を提供し、ワイヤレスローカルエリアネットワーク通信装置は、チップなどのコンポーネントであってよく、ワイヤレスローカルエリアネットワークにおいてデータを送信するために使用される。通信装置はＡＰ内に配設される。ワイヤレスローカルエリアネットワーク通信装置は、ＡＰ、たとえば、ワイヤレスアクセス装置、ブリッジ、またはホットポット装置であってもまたよい。ワイヤレスローカルエリアネットワーク通信装置は、サーバまたは通信ネットワークにアクセスすることがある。
【００９２】
図９に示されるように、ワイヤレスローカルエリアネットワーク通信装置は、プロセッサ９０１、トランシーバ９０２、およびメモリ９０３を含む。
【００９３】
プロセッサ９０１は、ワイヤレスローカルエリアネットワークのＰＰＤＵを生成するように構成され、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【００９４】
トランシーバ９０２は、生成されたＰＰＤＵを送るように構成される。
【００９５】
メモリ９０３は、ＭＰＤＵおよびＰＰＤＵを記憶するように構成される。メモリ９０３は、上述のプロセスを実行するためにプロセッサ９０１によって使用されるコードを記憶してもまたよい。
【００９６】
ＰＰＤＵはＰＨＹ層エンティティによって生成されてよく、ＭＰＤＵはＭＡＣ層エンティティによって生成されてよい。
【００９７】
冗長な情報を減らすために、ＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【００９８】
ダウンリンクＭＰＤＵを生成する様式１：プロセッサ９０１によって生成されたＰＰＤＵのデータ領域は、ＭＡＣヘッダ領域が送信機アドレス、受信機アドレス、または持続時間情報を含まない、ダウンリンクＭＰＤＵを担持する。
【００９９】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１００】
ダウンリンクＭＰＤＵを生成する様式２：プロセッサ９０１によって生成されたＰＰＤＵのデータ領域は、ダウンリンクＭＰＤＵを担持し、ダウンリンクＭＰＤＵのＭＡＣヘッダ領域が送信機アドレス、受信機アドレス、または持続時間情報を含まない。
【０１０１】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【０１０２】
好ましくは、ＰＰＤＵのデータ領域は、アップリンクデータ情報をさらに担持し、ＳＴＡにより送られたアップリンクＭＰＤＵは、ＰＰＤＵにおけるリソース標識情報に従ってデータ領域において受け取られる。アップリンクＭＰＤＵは、以下のような２つの様式で生成され得る。
【０１０３】
アップリンクＭＰＤＵを生成する様式１：トランシーバ９０２は、ＳＴＡにより送られたアップリンクＰＰＤＵを受け取り、アップリンクＰＰＤＵのデータ領域は、ＭＡＣヘッダ領域が送信機アドレス、受信機アドレス、または持続時間情報を含まない、アップリンクＭＰＤＵを担持する。
【０１０４】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１０５】
アップリンクＭＰＤＵを生成する様式２：トランシーバ９０２は、ＳＴＡにより送られたアップリンクＰＰＤＵを受け取り、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０１０６】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０１０７】
特定の実施形態では、トランシーバ９０２は、ＯＦＤＭＡ技術を使用することによってデータ領域を送信するようにさらに構成され、データ領域で担持されるアップリンクＭＰＤＵまたはダウンリンクＭＰＤＵのＭＡＣヘッダ領域は、ＯＦＤＭＡ制御フィールドをさらに含む。
【０１０８】
好ましくは、データ領域で担持されるアップリンクＭＰＤＵまたはダウンリンクＭＰＤＵのＭＡＣヘッダ領域は、少なくともフレーム制御フィールドを含み、フレーム制御フィールドは、ＭＰＤＵのタイプを示すために使用される。
【０１０９】
好ましくは、フレーム制御フィールドによって示されるＭＰＤＵのタイプが管理フレームまたはデータフレームであるとき、ＭＡＣヘッダ領域は、少なくともアドレス３フィールドおよびシーケンス制御フィールドをさらに含む。
【０１１０】
好ましくは、フレーム制御フィールドによって示されるＭＰＤＵのタイプがサービス品質ＱｏＳデータフレームであるとき、ＭＡＣヘッダ領域は、少なくともＱｏＳ制御フィールドをさらに含む。
【０１１１】
好ましくは、生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、ＯＦＤＭＡ制御フィールドをさらに含む。
【０１１２】
ＭＰＤＵのヘッダ領域が送信機アドレス、受信機アドレス、または持続時間情報を含まないことにより、データ送信プロセスにおける情報冗長性を軽減し、送信効率を改善することが認識され得る。
【０１１３】
好ましくは、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【０１１４】
好ましくは、プロセッサ９０１は、ＯＦＤＭＡ送信機会（Transmission Opportunity、略してＴＸＯＰ）においてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【０１１５】
上記の設定を用いて、ＳＴＡは、Ｎ個の連続したＰＰＤＵを送信するプロセスにおいて沈黙を保ってよく、データを送らず、それによりチャネル干渉を低減させる。
【０１１６】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０１１７】
同じ概念に基づいて、本発明の実施形態は、ワイヤレスローカルエリアネットワークにおいてデータを送信するために使用されるワイヤレスローカルエリアネットワーク通信装置を提供する。ＳＴＡ装置は、ワイヤレスセンサ、ワイヤレス通信端末、または携帯端末、たとえば、Ｗｉ−Ｆｉ通信機能をサポートする携帯電話（もしくは「セルラ」電話と呼ばれる）、またはワイヤレス通信機能を有するコンピュータであり得る。たとえば、ＳＴＡ装置は、Ｗｉ−Ｆｉ通信機能をサポートする、携帯、ポケットサイズ、ハンドヘルド、コンピュータ内蔵、ウェアラブル、または車載型のワイヤレス通信装置であり得る。ＳＴＡ装置は、音声またはデータなどの通信データを無線アクセスネットワークと交換する。
【０１１８】
図１０に示されるように、ワイヤレスローカルエリアネットワーク通信装置は、トランシーバ１００１、プロセッサ１００２、およびメモリ１００３を含む。
【０１１９】
トランシーバ１００１は、ＡＰにより送られたワイヤレスローカルエリアネットワークのＰＰＤＵを受け取るように構成され、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０１２０】
プロセッサ１００２は、ＰＰＤＵの制御領域におけるＡＰの識別子情報、少なくとも１つのＳＴＡの識別子、および持続時間情報を、解析によって取得するように構成される。
【０１２１】
メモリ１００３は、ＭＰＤＵおよびＰＰＤＵを記憶するように構成される。メモリ１００３は、上述のプロセスを実行するためにプロセッサ１００２によって使用されるコードを記憶してもまたよい。
【０１２２】
ＰＰＤＵはＰＨＹ層エンティティによって生成されてよく、ＭＰＤＵはＭＡＣ層エンティティによって生成されてよい。
【０１２３】
冗長な情報を減らすために、本発明のこの実施形態では、受け取られたＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０１２４】
ダウンリンクＭＰＤＵを生成する様式１：受け取られたＰＰＤＵのデータ領域は、ＭＡＣヘッダ領域が送信機アドレス、受信機アドレス、または持続時間情報を含まない、ダウンリンクＭＰＤＵを担持する。
【０１２５】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。処理ユニットは、受け取られたＰＰＤＵの制御領域におけるＡＰの識別子およびＳＴＡの識別子に従って、ダウンリンクＭＰＤＵのＭＡＣヘッダ領域における送信機アドレスおよび受信機アドレスを取得する。
【０１２６】
ダウンリンクＭＰＤＵを生成する様式２：受け取られたＰＰＤＵのデータ領域は、ダウンリンク媒体アクセス制御プロトコルデータユニットＭＰＤＵを担持し、ダウンリンクＭＰＤＵのＭＡＣヘッダ領域は、送信機アドレス、受信機アドレス、または持続時間情報を含まない。
【０１２７】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。処理ユニットは、受け取られたＰＰＤＵの制御領域におけるＡＰの識別子およびＳＴＡの識別子に従って、ダウンリンクＭＰＤＵの送信機アドレスおよび受信機アドレスを取得する。
【０１２８】
特定の実施形態では、処理ユニットは、解析によって取得された、ＰＰＤＵにおける少なくとも１つのＳＴＡの識別子が、通信装置が配置されたＳＴＡのワイルドカード識別子を含まないと決定されたとき、解析によって取得された持続時間情報に従って、通信装置が配置されたＳＴＡのＮＡＶを構成するようにさらに構成される。少なくとも１つのＳＴＡは、ＰＰＤＵにおけるＡＰに関連付けられたＳＴＡ、およびワイルドカードＳＴＡを含む。少なくとも１つのＳＴＡの識別子がリソース標識情報内に配置される。
【０１２９】
リソース標識情報が、ＳＴＡについて構成されたリソース情報を含まず、ワイルドカードリソース標識情報を含まない場合、リソース標識情報リソースが構成されていないＳＴＡは、持続時間情報に従ってＳＴＡのＮＡＶを構成し、ワイルドカードリソース標識情報は、ＳＴＡのグループまたはすべてのＳＴＡのリソース標識情報を含む。好ましくは、ワイルドカード識別子は、ワイルドカードリソース標識情報を示すために制御領域のＨＥ−ＳＩＧ２において使用され得る。
【０１３０】
特定の実施形態では、ＳＴＡが、ＡＰの識別子に従って、ＳＴＡがＡＰに関連付けられたＳＴＡでないと決定した場合、ＳＴＡは、リソース標識情報がすべてのＳＴＡについて構成されたワイルドカードリソース標識情報を含むかどうかを決定し、ワイルドカードリソース標識情報が含まれていない場合、ＳＴＡは、持続時間情報に従ってＳＴＡのＮＡＶを構成する。
【０１３１】
ＳＴＡが、ＡＰの識別子に従って、ＳＴＡがＡＰに関連付けられたＳＴＡであると決定した場合、ＳＴＡは、ＡＰの識別子およびリソース標識情報に従って、リソース標識情報がＳＴＡについて構成されたリソース標識情報を含むかどうかを決定する。リソース標識情報がＳＴＡについて構成されたリソース標識情報を含まない場合に、リソース標識情報がワイルドカードリソース標識情報を含まないことがさらに決定されたとき、リソース標識情報が構成されていないＳＴＡは、持続時間情報に従ってＳＴＡのＮＡＶを構成する。ここで、ワイルドカード標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０１３２】
ＳＴＡがＡＰに関連付けられており、リソース標識情報が、指定されたリソース上でダウンリンクデータをＳＴＡが受け取ることを示す場合、ＳＴＡは、指定されたリソース上でダウンリンクデータ領域内のデータを受け取り、受け取られたデータを解析する。
【０１３３】
好ましくは、ＰＰＤＵのデータ領域がさらにアップリンクデータ情報を担持する場合、ＳＴＡは、アップリンクＭＰＤＵを送る。アップリンクＭＰＤＵは、以下のような２つの様式で生成され得る。
【０１３４】
アップリンクＭＰＤＵを生成する様式１：処理ユニットは、アップリンクＰＰＤＵを生成し、アップリンクＰＰＤＵのデータ領域は、ＭＡＣヘッダ領域が送信機アドレス、受信機アドレス、または持続時間情報を含まない、アップリンクＭＰＤＵを担持し、トランシーバユニットは、アップリンクＰＰＤＵを送る。
【０１３５】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１３６】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０１３７】
たとえば、ＳＴＡがＡＰに関連付けられており、リソース標識情報が、指定されたリソース上でアップリンクデータをＳＴＡが送ることを示す場合、ＳＴＡは、アップリンクＭＰＤＵのＭＡＣヘッダ領域における受信機アドレス（MAC address of the AP）、持続時間情報、および送信機アドレス（MAC address of the STA）を、アップリンクＭＰＤＵのＭＡＣヘッダ領域から除去し、リソース標識情報に従って、ＰＰＤＵのデータ領域において、送信機アドレス、持続時間情報、および受信機アドレスが除去されたアップリンクＭＰＤＵを、ＡＰへ送る。ＳＴＡがアップリンクＭＰＤＵを送るとき、ＳＴＡは、ダウンリンクＰＰＤＵで担持されるリソース標識情報に従って、指定されたリソース上で、アップリンクＭＰＤＵを送り、したがって、ＡＰは、リソース標識情報に従って、データ領域において、アップリンクＭＰＤＵを受け取る。
【０１３８】
アップリンクＭＰＤＵを生成する様式２：処理ユニットは、アップリンクＰＰＤＵを生成し、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０１３９】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０１４０】
さらに、冗長な情報を減らすために、ＳＴＡがアップリンクデータを送るとき、取り付けられたＰＬＣＰヘッダ領域におけるデータ情報は、ＡＰの識別子情報または持続時間情報を含む必要がなく、チャネル推定および相関検出のために使用されるある種のデータのみを含む。
【０１４１】
使用される異なるタイプのＭＰＤＵまたは異なる送信技術に応じて、本発明のこの実施形態におけるアップリンクＭＰＤＵまたはダウンリンクＭＰＤＵのＭＡＣヘッダ領域に含まれる情報もまた異なる。
【０１４２】
具体的には、図１３ａに示されるように、アップリンクＭＰＤＵまたはダウンリンクＭＰＤＵのいずれかのＭＡＣヘッダ領域が、少なくともフレーム制御フィールドを含み、フレーム制御フィールドはＭＰＤＵのタイプを示すために使用される。
【０１４３】
フレーム制御フィールドによって示されるＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含み得る。
【０１４４】
フレーム制御フィールドによって示されるＭＰＤＵのタイプがＱｏＳデータフレームであるとき、ＭＡＣヘッダ領域は、図１３ｄに示されるように、少なくともＱｏＳ制御フィールドをさらに含み得る。
【０１４５】
生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０１４６】
ＳＴＡがアップリンクデータを送るとき、冗長データが減らされ、送信効率が改善されることが認識され得る。
【０１４７】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０１４８】
同じ概念に基づいて、本発明の実施形態は、ＡＰ側に適用可能であるワイヤレスローカルエリアネットワークデータ送信方法を提供し、プロセスは、前述の図７から図９に示された装置を使用することによって実装され得る。本発明の実施形態によるデータ送信プロセスの概略図である図１１に示されるように、プロセスは以下のステップを含む。
【０１４９】
ステップ１１０１：ワイヤレスローカルエリアネットワークのＰＰＤＵを生成する。ここで、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０１５０】
ステップ１１０２：生成されたＰＰＤＵを送る。
【０１５１】
ステップ１１０１で構築されたＯＦＤＭＡ  ＰＰＤＵのフォーマットは、図６に示され、以下に詳細に説明される。
【０１５２】
好ましくは、本発明のこの実施形態では、ＡＰが、プリアンブルおよび制御領域をＰＰＤＵのＰＬＣＰヘッダ領域に追加する。
【０１５３】
プリアンブルは、ＳＴＡおよびＡＰに対して時間周波数同期を行うために使用されるＬ−Ｐｒｅであり、制御領域は、ＨＥ−ＳＩＧ１およびＨＥ−ＳＩＧ２を含む。
【０１５４】
冗長な情報を減らすために、ＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０１５５】
ダウンリンクＭＰＤＵを生成する様式１：生成されたＰＰＤＵのデータ領域は、ＭＡＣヘッダ領域が送信機アドレス、受信機アドレス、または持続時間情報を含まない、ダウンリンクＭＰＤＵを担持する。
【０１５６】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１５７】
ダウンリンクＭＰＤＵを生成する様式２：生成されたＰＰＤＵのデータ領域は、ダウンリンクＭＰＤＵを担持し、ダウンリンクＭＰＤＵのＭＡＣヘッダ領域は、送信機アドレス、受信機アドレス、または持続時間情報を含まない。
【０１５８】
具体的には、ＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【０１５９】
特定の実施形態では、ＡＰの識別子情報および持続時間情報がＰＬＣＰヘッダ領域に追加され、ダウンリンクＭＰＤＵのＭＡＣヘッダ領域は、送信機アドレス、持続時間情報、または受信機アドレスを含まず、ここで、送信機アドレスは、ＭＰＤＵのＭＡＣヘッダ領域におけるアドレス２であり、受信機アドレスは、ＭＰＤＵのＭＡＣヘッダ領域におけるアドレス１である。
【０１６０】
本発明のこの実施形態で提供される方法において、ＡＰは、ＡＰに関連付けられたＳＴＡおよび関連付けられていないＳＴＡを含むＡＰネットワークのカバレッジエリア内のすべてのＳＴＡに対して、ブロードキャスト様式でＰＰＤＵを送る。プリアンブルを解析した後、ＳＴＡは、続いて制御領域を解析することによって、ＡＰの識別子情報および持続時間情報を取得し、ＡＰの識別子情報、ＳＴＡの識別子情報、およびリソース標識情報に従って、ＳＴＡは、ＳＴＡについて構成されたリソース標識情報が含まれていないと決定し、すなわち、ＰＰＤＵの後続データが、ＳＴＡに属するＭＰＤＵ、またはＳＴＡによってスケジュールされないアップリンク送信リソースを含まず、ワイルドカードリソース標識情報を含まない。リソース標識情報が構成されていないＳＴＡは、持続時間情報に従ってＳＴＡのＮＡＶを構成する。ここで、ワイルドカードリソース標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０１６１】
ＡＰの識別子情報および持続時間情報がＰＬＣＰヘッダ領域に追加されるので、ＡＰに関連付けられていないＳＴＡが、後続の送信データＭＰＤＵを解析することなく、持続時間情報に従ってＳＴＡのＮＡＶを構成してよく、それによりデータ送信効率が改善することが認識され得る。さらに、ＭＰＤＵが送信機アドレスまたは持続時間情報を含まないことにより、ＡＰの識別子情報および持続時間情報の繰り返される送信を回避し、データ送信プロセスにおける情報冗長性を軽減し、送信効率を改善する。
【０１６２】
具体的には、ＡＰの識別子情報は、制御領域のＨＥ−ＳＩＧ１またはＨＥ−ＳＩＧ２に追加されてよく、持続時間情報は、制御領域のＨＥ−ＳＩＧ１またはＨＥ−ＳＩＧ２に追加されてよい。
【０１６３】
ＡＰの識別子情報がＳＴＡによって解析されると、ＳＴＡは、ＳＴＡがＡＰに関連付けられるかどうかを決定し、リソース標識情報が解析された後、ＳＴＡは、ＳＴＡのリソース標識情報が存在するかどうかを決定し、ＳＴＡについて構成されたリソース標識情報が含まれていない場合、リソース標識情報が構成されていないＳＴＡは、持続時間情報に従ってＳＴＡのＮＡＶを構成する。
【０１６４】
好ましくは、やはり制御領域で担持されるリソース標識情報が制御領域のＨＥ−ＳＩＧ２に配置される。具体的には、リソース標識情報は、アップリンクおよびダウンリンクＯＦＤＭＡ時間周波数リソースブロックの割り当て情報、スケジュールされたＳＴＡの識別子情報、スケジュールされたＡＰに関連付けられたＳＴＡに対応する送信シグナリング、ならびにある種の他の送信パラメータ構成、たとえば空間ストリームの量などを含む。
【０１６５】
ＳＴＡは、リソース標識情報に従って、後続のデータロードがＳＴＡに属するデータを含むかどうかを認識して、ＭＰＤＵを解析するかどうかを決定し得る。リソース標識情報が、ＳＴＡがデータを送信する必要がないことを示す場合、ＳＴＡは、持続時間情報に従ってＳＴＡのＮＡＶを構成し、持続時間情報で指定された時間の期間内にデータが送られず、それによりチャネル干渉を低減させる。ＳＴＡが時間周波数リソース上でダウンリンクデータを受け取る必要がある、または時間周波数リソース上でアップリンクデータを送る必要があることを、リソース標識情報が示す場合、ＳＴＡは続けてＭＰＤＵを解析し、ＡＰに対してデータを送信する。
【０１６６】
リソース標識情報がＳＴＡの識別子情報を含むので、ＭＰＤＵはＳＴＡのＭＡＣアドレスを含まなくてよく、それによりＭＰＤＵ内の冗長データを減らし、送信効率を改善することが認識され得る。
【０１６７】
具体的には、ＨＥ−ＳＩＧ１またはＨＥ−ＳＩＧ２に続くデータ領域が、チャネル推定およびコヒーレント検出を行うためにＳＴＡによって使用されるトレーニングシーケンスをさらに含む。
【０１６８】
好ましくは、持続時間情報が、ＯＦＤＭＡ  ＴＸＯＰにおいてＮ個の連続したＰＰＤＵを生成するように特に構成され、Ｎ個の連続したＰＰＤＵのｉ番目フレームについて、ＰＬＣＰヘッダ領域の制御領域の持続時間情報によって示される時間長値は、ｉ番目フレームの送信の開始からＮ番目フレームの送信の終了までの総持続時間であり、ｉの値範囲は［１，Ｎ］である。
【０１６９】
たとえば、図１２に示されるように、ＯＦＤＭＡ  ＴＸＯＰにおいて３つの連続したＯＦＤＭＡ  ＰＰＤＵが存在することが想定される。第１のフレームのＰＰＤＵの持続時間情報によって示される時間長値は、第１のフレームの送信の開始から第３のフレームの送信の終了までの総持続時間であり、第２のフレームのＰＰＤＵの持続時間情報によって示される時間長値は、第２のフレームの送信の開始から第３のフレームの送信の終了までの総持続時間であり、第３のフレームのＰＰＤＵの持続時間情報によって示される時間長値は、第３のフレームの送信の開始から第３のフレームの送信の終了までの総持続時間である。
【０１７０】
上記の設定を用いて、ＳＴＡは、Ｎ個の連続したＰＰＤＵを送信するプロセスにおいて沈黙を保ってよく、データを送らず、それによりチャネル干渉を低減させる。
【０１７１】
特定の実施形態では、アップリンクＭＰＤＵまたはダウンリンクＭＰＤＵのＭＡＣヘッダ領域は、少なくともフレーム制御フィールドをさらに含む。図１３ａに示されるように、フレーム制御フィールドはＭＰＤＵのタイプを示すために使用される。ＭＰＤＵのタイプは、制御フレーム、管理フレーム、およびデータフレームを含む。ＷＬＡＮにおける制御フレームは、たとえば、送信要求（request to send、略してＲＴＳ）、送信可（clear to send、略してＣＴＳ）、または肯定応答（Acknowledgement、略してＡＣＫ）である。
【０１７２】
好ましくは、フレーム制御フィールドによって示されるＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含む。アドレス３フィールドで担持されるコンテンツについては、既存の８０２．１１プロトコルを参照する。
【０１７３】
具体的には、管理フレームまたはデータフレームは多くのサブタイプフレーム構造を有する。フレーム制御フィールドによって示されるＭＰＤＵのタイプが、管理フレームもしくはデータフレームのいずれか、または管理フレームもしくはデータフレームにおけるサブタイプフレームのいずれか１つであるとき、ＭＡＣヘッダ領域は、少なくともアドレス３フィールドおよびシーケンス制御フィールドをさらに含む。
【０１７４】
好ましくは、フレーム制御フィールドによって示されるＭＰＤＵのタイプがＱｏＳデータフレームであるとき、ＭＡＣヘッダ領域は、図１３ｄに示されるように、少なくともＱｏＳ制御フィールドをさらに含む。
【０１７５】
特定の実施形態では、生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０１７６】
送信効率が高くないがアドレッシングの完全性を必要とするいくつかのフレーム、たとえば、ビーコンフレームまたはプローブ応答フレームでは、完全なＭＰＤＵがＯＦＤＭＡ送信におけるＰＰＤＵのデータ領域にさらに追加される。
【０１７７】
特定の実施形態では、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【０１７８】
具体的には、本発明のこの実施形態の方法において、ＭＡＣヘッダ領域のフレーム制御フィールドにおけるプロトコルバージョンのインジケータビットは、デフォルト値とは異なる値に設定され得る。既存の８０２．１１プロトコルは、ＭＰＤＵのフレーム制御フィールドにおけるプロトコルバージョンのインジケータビットのデフォルト値が「００」であるように指定し、この場合のＭＰＤＵの構造は図４に示されている。ＭＰＤＵで担持されるデータが減らされた場合、ＭＡＣヘッダ領域のフレーム制御フィールドにおけるプロトコルバージョンのインジケータビットは、デフォルト値とは異なる値、たとえば「０１」、「１０」または「１１」に設定されてよく、この場合のＭＰＤＵの構造は、図１３ａ、図１３ｂ、図１３ｃ、および図１３ｄに示されている。
【０１７９】
具体的には、本発明のこの実施形態の方法において、さらに、ＭＡＣヘッダ領域のフレーム制御フィールドにおけるフレームのタイプを示すためのインジケータビットが、新しく追加された値に設定されてよく、または、ＭＡＣヘッダ領域のフレーム制御フィールドにおけるフレームのサブタイプを示すためのインジケータビットが、新しく追加された値に設定されてよい。すなわち、インジケータビットのいくつかの値は、制御フレーム、管理フレーム、またはデータフレームを示すために新しく追加され、インジケータビットのいくつかの値は、各フレームタイプのサブタイプを示すために新しく追加される。
【０１８０】
たとえば、図１３ｂは、フレームのタイプと、フレームのサブタイプ、すなわちサブフレームのタイプとを示すためのフレーム制御領域におけるデータ領域構造である。
【０１８１】
フレームタイプのインジケータビットが「００」であるとき、それは、ＭＰＤＵが管理フレームであることを示し、管理フレームのサブタイプフレームを示すための共通値は「００００〜１１１０」であり、この場合、本発明のこの実施形態の方法では、サブフレームのタイプのインジケータビットは「１１１１」に設定され得る。
【０１８２】
フレームタイプのインジケータビットが「０１」であるとき、それは、ＭＰＤＵが制御フレームであることを示し、制御フレームのサブタイプフレームを示すための共通値は「０１１１〜１１１１」であり、この場合、本発明のこの実施形態の方法では、サブフレームのタイプのインジケータビットは「００００〜０１１０」の範囲の値に設定され得る。
【０１８３】
ＭＰＤＵがデータフレームであるとき、フレームタイプのインジケータビット「１０」未満のすべてのサブタイプが使用されているので、本発明のこの実施形態の方法では、データフレームは、フレームタイプのインジケータビットを「１１」として設定し、サブタイプを有意な値に設定することによって示され得る。
【０１８４】
ステップ１１０２において、ＡＰは、ブロードキャスト様式で、ＡＰネットワークのカバレッジエリア内のすべてのＳＴＡに対してプリアンブルを送ってよく、すべてのＳＴＡがＡＰとの時間周波数同期を行う。
【０１８５】
ＡＰは、ブロードキャスト様式で、ＡＰネットワークのカバレッジエリア内のすべてのＳＴＡに対して制御領域を送ってよく、すべてのＳＴＡが、制御領域内のデータを解析して、ＡＰの識別子情報、持続時間情報、およびＳＴＡについて構成されたリソース標識情報構成を取得する。
【０１８６】
好ましくは、ＰＰＤＵのデータ領域は、アップリンクデータ情報をさらに担持し、ＳＴＡにより送られたアップリンクＭＰＤＵは、ＰＰＤＵにおけるリソース標識情報に従ってデータ領域において受け取られる。アップリンクＭＰＤＵは、以下のような２つの様式で生成され得る。
【０１８７】
アップリンクＭＰＤＵを生成する様式１：ＳＴＡにより送られたアップリンクＰＰＤＵを受け取る。ここで、アップリンクＰＰＤＵのデータ領域は、ＭＡＣヘッダ領域が送信機アドレス、受信機アドレス、または持続時間情報を含まない、アップリンクＭＰＤＵを担持する。
【０１８８】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０１８９】
アップリンクＭＰＤＵを生成する様式２：ＳＴＡにより送られたアップリンクＰＰＤＵを受け取る。ここで、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０１９０】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０１９１】
ＳＴＡがＡＰに関連付けられており、リソース標識情報が、指定されたリソース上でアップリンクデータをＳＴＡが送ることを示す場合、ＳＴＡはアップリンクＭＰＤＵを送る、すなわち、ＳＴＡは、リソース標識情報に従って、ＰＰＤＵのデータ領域において、送信機アドレス、持続時間情報、または受信機アドレスを含まないアップリンクＭＰＤＵを、ＡＰへ送り、ＳＴＡは、指定されたリソース上でアップリンクＭＰＤＵを送る。ＡＰは、リソース標識情報に従って、データ領域において、ＳＴＡにより送られたアップリンクＭＰＤＵを受け取る。
【０１９２】
さらに、ＳＴＡがアップリンクデータを送るとき、取り付けられたＰＬＣＰヘッダ領域におけるデータ情報は、ＡＰの識別子情報および持続時間情報を含まなくてよく、チャネル推定およびコヒーレント検出のために使用されるある種のデータを含むのみでよく。それにより、冗長なデータを減らし送信効率を改善する。
【０１９３】
結論として、本発明のこの実施形態では、ＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。
【０１９４】
同じ概念に基づいて、本発明の実施形態はデータ送信方法のプロセスを提供する。この方法はＳＴＡ側に適用可能であり、プロセスは、図８または図１０に示された装置を使用することによって実装され得る。本発明の実施形態によるデータ送信プロセスの概略図である図１４に示されるように、プロセスは以下のステップを含む。
【０１９５】
ステップ１４０１：ＡＰにより送られたワイヤレスローカルエリアネットワークのＰＰＤＵを受け取る。ここで、ＰＰＤＵは、少なくとも、ＰＬＣＰヘッダ領域およびデータ領域を含み、ＰＬＣＰヘッダ領域は、プリアンブルおよび制御領域を含み、制御領域は、少なくとも、ＡＰの識別子、少なくとも１つのＳＴＡの識別子、および持続時間情報を担持する。
【０１９６】
ステップ１４０２：ＰＰＤＵの制御領域におけるＡＰの識別子情報、少なくとも１つのステーションＳＴＡの識別子、および持続時間情報を、解析によって取得する。特定の実施形態では、ＳＴＡについて構成されたリソース標識情報が解析され、リソース標識情報に従って、ＰＰＤＵのデータ領域を使用することによって、ＡＰに対するデータ送信が行われる。
【０１９７】
ステップ１４０１およびステップ１４０２で構築されるＯＦＤＭＡ  ＰＰＤＵのフォーマットは図６に示されており、以下に詳細に説明される。
【０１９８】
特定の実施形態では、解析によって取得された、ＰＰＤＵにおける少なくとも１つのＳＴＡの識別子が、ＳＴＡの識別子を含まず、ワイルドカードＳＴＡ識別子を含まないと決定されたとき、解析によって取得された持続時間情報に従って、ＳＴＡのＮＡＶが構成される。前述されたように、ＡＰは、ブロードキャスト様式で、ＡＰネットワークのカバレッジエリア内のすべてのＳＴＡに対してＰＰＤＵを送り得る。ＰＰＤＵのプリアンブルを解析した後、ＳＴＡは、続いて制御領域を解析することによって、ＡＰの識別子情報、持続時間情報、およびリソース標識情報を取得してよく、リソース標識情報が構成されていないＳＴＡは、持続時間情報に従ってＳＴＡのＮＡＶを構成して、持続時間メッセージの時間長内にデータが送られないようにし、それによりチャネル干渉を低減させる。
【０１９９】
ＡＰの識別子情報および持続時間情報がＰＬＣＰヘッダ領域に追加された場合、リソース標識情報が構成されていないＳＴＡが、後続の送信データＭＰＤＵを解析することなく、持続時間情報に従ってＳＴＡのＮＡＶを構成してよく、それによりデータ送信効率が改善することが認識され得る。
【０２００】
前述されたように、ＰＰＤＵのＰＬＣＰヘッダ領域において、ＡＰの識別子情報は、制御領域のＨＥ−ＳＩＧ１またはＨＥ−ＳＩＧ２に追加されてよく、持続時間情報は、制御領域のＨＥ−ＳＩＧ１またはＨＥ−ＳＩＧ２に追加されてよい。
【０２０１】
ＡＰの識別子情報がＳＴＡによって解析されると、ＳＴＡは、ＳＴＡがＡＰに関連付けられるかどうかを決定し、リソース標識情報が解析された後、ＳＴＡは、ＳＴＡのリソース標識情報が存在するかどうかを決定し、ＳＴＡについて構成されたリソース標識情報が含まれていない場合、リソース標識情報が構成されていないＳＴＡは、持続時間情報に従ってＳＴＡのＮＡＶを構成する。
【０２０２】
好ましくは、やはり制御領域で担持されるリソース標識情報が制御領域のＨＥ−ＳＩＧ２に配置される。具体的には、リソース標識情報は、アップリンクおよびダウンリンクＯＦＤＭＡ時間周波数リソースブロックの割り当て情報、スケジュールされたＳＴＡの識別子情報、スケジュールされたＡＰに関連付けられたＳＴＡに対応する送信シグナリング、ならびにある種の他の送信パラメータ構成、たとえば空間ストリームの量などを含む。
【０２０３】
ＳＴＡは、リソース標識情報に従って、後続のデータロードがＳＴＡに属するデータを含むかどうかを認識して、ＭＰＤＵを解析するかどうかを決定し得る。リソース標識情報が、ＳＴＡがデータを送信する必要がないことを示す場合、ＳＴＡは、持続時間情報に従ってＳＴＡのＮＡＶを構成し、持続時間情報で指定された時間の期間内にデータが送られず、それによりチャネル干渉を低減させる。ＳＴＡが時間周波数リソース上でダウンリンクデータを受け取る必要がある、または時間周波数リソース上でアップリンクデータを送る必要があることを、リソース標識情報が示す場合、ＳＴＡは続けてＭＰＤＵを解析し、ＡＰに対してデータを送信する。
【０２０４】
ＳＴＡがＡＰに関連付けられておらず、リソース標識情報がワイルドカードリソース標識情報を含まない場合、ＳＴＡは、持続時間情報に従ってＳＴＡのＮＡＶを構成する。ここで、ワイルドカードリソース情報は、ＳＴＡのグループまたはすべてのＳＴＡのリソース標識情報を含む。そうすることで、持続時間メッセージの時間長内にデータが送られないようにし、それによりチャネル干渉を低減させる。
【０２０５】
ＳＴＡがＡＰに関連付けられているが、リソース標識情報がＳＴＡについて構成されたリソース情報を含まない場合に、リソース標識情報がワイルドカードリソース標識情報を含まないことがさらに決定されたとき、リソース標識情報が構成されていないＳＴＡは、持続時間情報に従ってＳＴＡのＮＡＶを構成する。ここで、ワイルドカードリソース標識情報は、ＳＴＡのグループまたはすべてのＳＴＡのリソース標識情報を含む。そうすることで、持続時間メッセージの時間長内にデータが送られないようにし、それによりチャネル干渉を低減させる。
【０２０６】
ＳＴＡがＡＰに関連付けられており、リソース標識情報が、指定されたリソース上でダウンリンクデータをＳＴＡが受け取ることを示す場合、ＳＴＡは、指定されたリソース上でダウンリンクデータ領域内のデータを受け取り、受け取られたデータを解析する。
【０２０７】
冗長な情報を減らすために、本発明のこの実施形態では、受け取られたＰＰＤＵのデータ領域上で担持されるダウンリンクＭＰＤＵのＭＡＣヘッダ領域は、送信機アドレス、受信機アドレス、または持続時間情報を含まず、これは、前述の２つの様式で実装されてよく、詳細は以下の通りである。
【０２０８】
ダウンリンクＭＰＤＵを生成する様式１：受け取られたＰＰＤＵのデータ領域は、ＭＡＣヘッダ領域が送信機アドレス、受信機アドレス、または持続時間情報を含まない、ダウンリンク媒体アクセス制御プロトコルデータユニットＭＰＤＵを担持し、受け取られたＰＰＤＵの制御領域におけるＡＰの識別子およびＳＴＡの識別子に従って、ダウンリンクＭＰＤＵのＭＡＣヘッダ領域における送信機アドレスおよび受信機アドレスが取得される。
【０２０９】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０２１０】
ダウンリンクＭＰＤＵを生成する様式２：受け取られたＭＰＤＵのデータ領域は、ダウンリンクＭＰＤＵを担持し、ダウンリンクＭＰＤＵのＭＡＣヘッダ領域は、送信機アドレス、受信機アドレス、または持続時間情報を含まず、受け取られたＰＰＤＵの制御領域におけるＡＰの識別子およびＳＴＡの識別子に従って、ダウンリンクＭＰＤＵの送信機アドレスおよび受信機アドレスが取得される。
【０２１１】
具体的には、ダウンリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＰＰＤＵのデータ領域上で担持されるＭＰＤＵのＭＡＣヘッダ領域は、送信機アドレス、受信機アドレス、または持続時間情報を含まない。
【０２１２】
ＳＴＡがＡＰに関連付けられており、リソース標識情報が、指定されたリソース上でアップリンクデータをＳＴＡが送ることを示す場合、ＳＴＡは、リソース標識情報に従って、ＰＰＤＵのデータ領域において、アップリンクＭＰＤＵをＡＰに送り、ＡＰは、リソース標識情報に従って、データ領域において、ＳＴＡにより送られたアップリンクＭＰＤＵを受け取る。
【０２１３】
好ましくは、ＰＰＤＵのデータ領域がさらにアップリンクデータ情報を担持する場合、ＳＴＡは、アップリンクＭＰＤＵを送る。アップリンクＭＰＤＵは、以下のような２つの様式で生成され得る。
【０２１４】
アップリンクＭＰＤＵを生成する様式１：アップリンクＰＰＤＵを生成する。ここで、アップリンクＰＰＤＵのデータ領域は、ＭＡＣヘッダ領域が送信機アドレス、受信機アドレス、または持続時間情報を含まない、アップリンクＭＰＤＵを担持する。トランシーバユニットは、アップリンクＰＰＤＵを送るようにさらに構成される。
【０２１５】
具体的には、ＭＰＤＵがＭＡＣ層で形成されるとき、ＭＰＤＵが従来技術におけるそれと同じであり、すなわち、ＭＰＤＵのＭＡＣヘッダ領域が送信機アドレス、受信機アドレス、および持続時間情報を含み、ＰＰＤＵがＰＨＹ層で形成されるとき、ＭＰＤＵのＭＡＣヘッダ領域における送信機アドレス、受信機アドレス、および持続時間情報が除去され、そして、ＭＡＣヘッダ領域が送信機アドレス、受信機アドレス、または持続時間情報を含まないＭＰＤＵが、ＰＰＤＵのデータ領域内に置かれる。
【０２１６】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０２１７】
アップリンクＭＰＤＵを生成する様式２：アップリンクＰＰＤＵを生成する。ここで、アップリンクＰＰＤＵのデータ領域は、アップリンクＭＰＤＵを担持し、アップリンクＭＰＤＵのＭＡＣヘッダ領域は、送信機アドレス、受信機アドレス、または持続時間情報を含まない。
【０２１８】
具体的には、アップリンクＭＰＤＵがＭＡＣ層で形成されるとき、すなわち、ＭＰＤＵのＭＡＣヘッダ領域が送信機アドレス、受信機アドレス、または持続時間情報を含まず、この場合、ＭＡＣヘッダ領域が送信機アドレス、受信機アドレス、または持続時間情報を含まない、アップリンクＭＰＤＵが送られる。
【０２１９】
本発明のこの実施形態では、ＭＰＤＵは、送信機アドレス、持続時間情報、または受信機アドレスを含まず、それにより、ＭＰＤＵ上で担持されるデータを減らし、冗長データを減らし、送信効率を改善する。
【０２２０】
具体的には、図１３ａに示されるように、アップリンクＭＰＤＵまたはダウンリンクＭＰＤＵのいずれかのＭＡＣヘッダ領域が、少なくともフレーム制御フィールドを含み、フレーム制御フィールドはアップリンクＭＰＤＵのタイプを示すために使用される。
【０２２１】
フレーム制御フィールドによって示されるアップリンクＭＰＤＵのタイプが管理フレームまたはデータフレームであるとき、ＭＡＣヘッダ領域は、図１３ｃに示されるように、少なくともアドレス３フィールドおよびシーケンス制御フィールドをさらに含む。
【０２２２】
フレーム制御フィールドによって示されるアップリンクＭＰＤＵのタイプがＱｏＳデータフレームであるとき、ＭＡＣヘッダ領域は、図１３ｄに示されるように、少なくともＱｏＳ制御フィールドをさらに含む。
【０２２３】
生成されたＰＰＤＵのデータ領域が、直交周波数分割多元接続ＯＦＤＭＡ技術を使用することによって送られる場合、データ領域で担持されるアップリンクＭＰＤＵまたはダウンリンクＭＰＤＵのＭＡＣヘッダ領域は、図１３ｅに示されるように、ＯＦＤＭＡ制御フィールドをさらに含む。
【０２２４】
具体的には、ＳＴＡがアップリンクデータを送るとき、取り付けられたＰＬＣＰヘッダ領域におけるデータ情報は、アップリンクＭＰＤＵのＭＡＣヘッダ領域から除去されるＡＰの識別子情報または持続時間情報を含む必要がなく、チャネル推定およびコヒーレント検出のために使用されるある種のデータのみを含む。
【０２２５】
好ましくは、アップリンクＭＰＤＵまたはダウンリンクＭＰＤＵのＭＡＣヘッダ領域は、少なくともフレーム制御フィールドをさらに含み、フレーム制御フィールドは、プロトコルバージョンのインジケータビット、フレームのタイプのインジケータビット、またはフレームのサブタイプのインジケータビットを含み、これら３つのインジケータビットの値は、新しく追加された値である。
【０２２６】
具体的には、本発明のこの実施形態の方法において、ＭＡＣヘッダ領域のフレーム制御フィールドにおけるプロトコルバージョンのインジケータビットは、デフォルト値とは異なる値に設定され得る。既存の８０２．１１プロトコルは、ＭＰＤＵのフレーム制御フィールドにおけるプロトコルバージョンのインジケータビットのデフォルト値が「００」であるように指定し、この場合のＭＰＤＵの構造は図４に示されている。ＭＰＤＵで担持されるデータが減らされた場合、ＭＡＣヘッダ領域のフレーム制御フィールドにおけるプロトコルバージョンのインジケータビットは、デフォルト値とは異なる値、たとえば「０１」、「１０」または「１１」に設定されてよく、この場合のＭＰＤＵの構造は、図１３ａ、図１３ｂ、図１３ｃ、および図１３ｄに示されている。
【０２２７】
好ましくは、本発明のこの実施形態の方法において、さらに、ＭＡＣヘッダ領域のフレーム制御フィールドにおけるフレームのタイプを示すためのインジケータビットが、新しく追加された値に設定されてよく、または、ＭＡＣヘッダ領域のフレーム制御フィールドにおけるフレームのサブタイプを示すためのインジケータビットが、新しく追加された値に設定されてよい。すなわち、インジケータビットのいくつかの値は、制御フレーム、管理フレーム、またはデータフレームを示すために新しく追加され、インジケータビットのいくつかの値は、各フレームタイプのサブタイプを示すために新しく追加される。
【０２２８】
たとえば、図１３ｂは、フレームのタイプと、フレームのサブタイプ、すなわちサブフレームのタイプを示すためのフレーム制御領域におけるデータ領域構造である。
【０２２９】
フレームタイプのインジケータビットが「００」であるとき、それは、ＭＰＤＵが管理フレームであることを示し、管理フレームのサブタイプフレームを示すための共通値は「００００〜１１１０」であり、この場合、本発明のこの実施形態の方法では、サブフレームのタイプのインジケータビットは「１１１１」に設定され得る。
【０２３０】
フレームタイプのインジケータビットが「０１」であるとき、それは、ＭＰＤＵが制御フレームであることを示し、制御フレームのサブタイプフレームを示すための共通値は「０１１１〜１１１１」であり、この場合、本発明のこの実施形態の方法では、サブフレームのタイプのインジケータビットは「００００〜０１１０」の範囲の値に設定され得る。
【０２３１】
ＭＰＤＵがデータフレームであるとき、フレームタイプのインジケータビット「１０」未満のすべてのサブタイプが使用されているので、本発明のこの実施形態の方法では、データフレームは、フレームタイプのインジケータビットを「１１」として設定し、サブタイプを有意な値に設定することによって示され得る。
【０２３２】
ＳＴＡがアップリンクデータを送るとき、ＭＰＤＵのいくつかの情報が除去され、それによりＭＰＤＵ内の冗長データを減らし、送信効率を改善することが認識され得る。
【０２３３】
本発明のこの実施形態では、ＡＰにより構築されたＰＰＤＵにおけるＰＬＣＰヘッダ領域の制御領域が、ＡＰの識別子情報、持続時間情報、および少なくとも１つのＳＴＡの識別子を担持し、したがって、ＳＴＡは、ＰＬＣＰヘッダ領域の制御領域のみを解析することによって、ＡＰの識別子情報、持続時間情報、および少なくとも１つのＳＴＡの識別子を取得し得ることが、上記の内容から認識され得る。したがって、そのＳＴＡは、ＡＰの識別子および少なくとも１つのＳＴＡの識別子に従って、ＰＰＤＵの制御領域がそのＳＴＡの識別子およびワイルドカードＳＴＡ識別子を含むかどうかを決定してよく、さらに、そのＳＴＡが、ＰＰＤＵの制御領域がそのＳＴＡの識別子またはワイルドカードＳＴＡ識別子を含まないと決定した場合、そのＳＴＡは、持続時間情報に従ってＮＡＶを構成する。このプロセスにおいて、ＰＰＤＵの制御領域のみが解析されるので、データ送信効率が改善する。ワイルドカードＳＴＡ識別子は、ＳＴＡのグループまたはすべてのＳＴＡの識別子を含む。
【０２３４】
同じ概念に基づいて、本発明の実施形態は、ワイヤレスローカルエリアネットワーク通信装置１５０１と無線周波数モジュール１５０２とを含むＡＰを提供する。
【０２３５】
ワイヤレスローカルエリアネットワーク通信装置１５０１は、図７または図９で提供された実施形態におけるワイヤレスローカルエリアネットワーク通信装置であってよく、詳細はここでは説明されない。
【０２３６】
無線周波数モジュール１５０２は、ワイヤレスローカルエリアネットワーク通信装置１５０１におけるトランシーバユニットまたはトランシーバにより送られたＰＰＤＵを受け取り、ＰＰＤＵを無線周波数信号に変調し、次いで無線周波数信号を送り、また、ＳＴＡにより送られたＰＰＤＵの無線周波数信号を受け取り、無線周波数信号を復調し、次いで、復調された無線周波数信号を、ワイヤレスローカルエリアネットワーク通信装置１５０１におけるトランシーバユニットまたはトランシーバに送るように構成される。
【０２３７】
同じ概念に基づいて、本発明の実施形態は、ワイヤレスローカルエリアネットワーク通信装置１６０１と無線周波数モジュール１６０２とを含むＳＴＡを提供する。
【０２３８】
ワイヤレスローカルエリアネットワーク通信装置１６０１は、図８または図１０で提供された実施形態におけるワイヤレスローカルエリアネットワーク通信装置であってよく、詳細はここでは説明されない。
【０２３９】
無線周波数モジュール１６０２は、ＡＰにより送られた無線周波数信号を受け取り、無線周波数信号をＰＰＤＵに復調し、次いでＰＰＤＵをトランシーバユニットに送り、また、ワイヤレスローカルエリアネットワーク通信装置１６０１におけるトランシーバユニットまたはトランシーバにより送られたＰＰＤＵを受け取り、ＰＰＤＵを無線周波数信号に変調し、次いで無線周波数信号を送るように構成される。
【０２４０】
当業者には、本発明の実施形態が方法またはコンピュータプログラム製品として提供され得ることは理解されよう。したがって、本発明は、ハードウェアのみの実施形態、ソフトウェアのみの実施形態、またはソフトウェアとハードウェアの組み合わせを有する実施形態の形態を使用し得る。さらに、本発明は、コンピュータ使用可能プログラムコードを含む１または複数のコンピュータ使用可能記憶媒体（ディスクメモリ、ＣＤ−ＲＯＭ、および光メモリなどを含むがそれらに限定されない）上に実装されるコンピュータプログラム製品の形態を使用し得る。
【０２４１】
本発明は、本発明の実施形態による方法、装置、およびコンピュータプログラム製品のフローチャートおよび／またはブロック図を参照して説明される。コンピュータプログラム命令が、フローチャートおよび／またはブロック図における各プロセスおよび／または各ブロック、ならびにフローチャートおよび／またはブロック図におけるプロセスおよび／またはブロックの組み合わせを実装するために使用され得ることは理解されよう。これらのコンピュータプログラム命令は、汎用コンピュータ、専用コンピュータ、組み込みプロセッサ、または、マシンを生成するための任意の他のプログラム可能データ処理装置のプロセッサに対して提供されてよく、そうすることで、コンピュータまたは任意の他のプログラム可能データ処理装置のプロセッサによって実行された命令が、フローチャートの１もしくは複数のプロセスおよび／またはブロック図の１もしくは複数のブロックにおける特定の機能を実装するための装置を生成することになる。
【０２４２】
これらのコンピュータプログラム命令は、コンピュータまたは任意の他のプログラム可能データ処理装置に特定の様式で動作するように命令できるコンピュータ可読メモリに記憶されてもまたよく、そうすることで、コンピュータ可読メモリに記憶された命令が、命令装置を含む人工物を生成することになる。命令装置は、フローチャートの１もしくは複数のプロセスおよび／またはブロック図の１もしくは複数のブロックにおける特定の機能を実装する。
【０２４３】
これらのコンピュータプログラム命令は、コンピュータまたは別のプログラム可能データ処理装置上にロードされてもまたよく、そうすることで、一連の動作またはステップがコンピュータまたは別のプログラム可能装置上で実行されることになり、それにより、コンピュータに実装された処理を生成する。したがって、コンピュータまたは別のプログラム可能装置上で実行された命令が、フローチャートの１もしくは複数のプロセスおよび／またはブロック図の１もしくは複数のブロックにおける特定の機能を実装するためのステップを提供する。
【０２４４】
本発明のいくつかの例示的な実施形態が説明されているが、当業者は、基本的発明概念を認識すれば、これらの実施形態に対して変更および改変を行うことができる。したがって、添付の特許請求の範囲は、本発明の範囲内に入る例示的な実施形態およびすべての変更および改変を包含すると解釈されることが意図される。
【０２４５】
明らかに、当業者は、本発明の範囲から逸脱することなく、本発明に対して様々な改変および変形を行うことができる。本発明は、これらの改変および変形が添付の特許請求の範囲および等価な技術によって規定される保護の範囲に入るならば、それらを包含することが意図される。
【０２４６】
たとえば、上述の実装様式でアップリンクＭＰＤＵを生成（または処理）するプロセスにおいて、実際の状況に応じて、ＭＡＣヘッダ領域における一部の情報のみ、たとえば、送信機アドレス、受信機アドレス、または持続時間情報のうちの１つまたは組み合わせが圧縮されることが可能である。
【０２４７】
具体的には、ステーションにより送られたアップリンクＰＰＤＵのＰＬＣＰヘッダ領域が、受信機アドレス（たとえばＡＰのＩＤ）および持続時間を含むとき、上述されたアップリンクＭＰＤＵを生成する様式１または２で処理が行われ得る。当然ながら、あるいは、アップリンクＰＰＤＵのＰＬＣＰヘッダ領域が、受信機アドレスおよび／または持続時間を含まないことがあり、この場合、アップリンクＭＰＤＵを生成する様式３が使用されてよく、様式３では、
アップリンクＰＰＤＵを生成し、ここで、アップリンクＰＰＤＵのＰＬＣＰヘッダ領域は、送信機アドレス、受信機アドレス、または持続時間のうちの１つまたは任意の組み合わせを含まず、アップリンクＰＰＤＵのデータ領域は、ＭＡＣヘッダ領域が、少なくとも送信機アドレスに関する情報を含まないアップリンクＭＰＤＵを担持しており、
アップリンクＰＰＤＵを送る。
【０２４８】
具体例：
例１ａ：ＰＬＣＰヘッダ領域が受信機アドレスまたは持続時間を含まない場合、アップリンクＰＰＤＵのデータ領域は、送信機アドレスを含まないアップリンクＭＰＤＵを担持し得る。
【０２４９】
例２ａ：ＰＬＣＰヘッダ領域が、受信機アドレスを含むが持続時間を含まない場合、アップリンクＰＰＤＵのデータ領域は、送信機アドレスに関する情報または受信機アドレスに関する情報を含まないアップリンクＭＰＤＵを担持し得る。
【０２５０】
例３ａ：ＰＬＣＰヘッダ領域が、持続時間を含むが受信機アドレスを含まない場合、アップリンクＰＰＤＵのデータ領域は、送信機アドレスまたは持続時間情報を含まないＭＰＤＵを担持し得る。
【０２５１】
例４ａ：ＰＬＣＰヘッダ領域が、送信機アドレスを含むが受信機アドレスまたは持続時間を含まない場合、アップリンクＰＰＤＵのデータ領域は、送信機アドレスを含まないアップリンクＭＰＤＵを担持し得る。
【０２５２】
例５ａ：ＰＬＣＰヘッダ領域が、送信機アドレスおよび受信機アドレスを含むが持続時間を含まない場合、アップリンクＰＰＤＵのデータ領域は、送信機アドレスに関する情報または受信機アドレスに関する情報を含まないアップリンクＰＰＤＵを担持し得る。
【０２５３】
例６ａ：ＰＬＣＰヘッダ領域が、送信機アドレスおよび持続時間を含むが受信機アドレスを含まない場合、アップリンクＰＰＤＵのデータ領域は、送信機アドレスまたは持続時間情報を含まないアップリンクＰＰＤＵを担持し得る。
【０２５４】
具体的には、例１では、ＭＰＤＵがＭＡＣ層で形成されるとき、ＭＰＤＵが従来技術におけるそれと同じであり、すなわち、ＭＰＤＵのＭＡＣヘッダ領域が送信機アドレスを含み、ＰＰＤＵがＰＨＹ層で形成されるとき、ＭＰＤＵのＭＡＣヘッダ領域における送信機アドレスが除去され、そして、ＭＡＣヘッダ領域が送信機アドレスを含まないＭＰＤＵが、ＰＰＤＵのデータ領域内に置かれる。
【０２５５】
さらに、ＳＴＡにより送られた調整されたアップリンクＭＰＤＵが、スクランブル様式でさらに差異化されてよく、使用されたスクランブルコードは、ＳＴＡの識別子および／またはＡＰの識別子を使用することによって初期化されてよい。ＡＰは、リソース標識情報内の指定された時間周波数でＳＴＡにより送られたＭＰＤＵを受け取り、ＭＰＤＵを解析する前にデータのこの部分に対してスクランブル解除を行う。使用されたスクランブルコードは、ＳＴＡ側のそれと同じである。
【０２５６】
たとえば、ＳＴＡがＡＰに関連付けられており、リソース標識情報が、指定されたリソース上でアップリンクデータをＳＴＡが送ることを示す場合、ＳＴＡは、アップリンクＭＰＤＵのＭＡＣヘッダ領域における送信機アドレス（ＳＴＡのＭＡＣアドレス）を、アップリンクＭＰＤＵのＭＡＣヘッダ領域から除去し、リソース標識情報に従って、ＰＰＤＵのデータ領域において、送信機アドレスが除去されたアップリンクＭＰＤＵを、ＡＰへ送る。ＳＴＡがアップリンクＭＰＤＵを送るとき、ＳＴＡは、ダウンリンクＰＰＤＵで担持されるリソース標識情報に従って、指定されたリソース上で、アップリンクＭＰＤＵを送り、したがって、ＡＰは、リソース標識情報に従って、データ領域において、アップリンクＭＰＤＵを受け取る。
【０２５７】
上記の解決策は、上述されたアップリンクＭＰＤＵのＭＡＣヘッダ領域のデータ構造に適用されてもまたよい。すなわち、アップリンクＭＰＤＵを生成する様式４は以下のようになる。
【０２５８】
アップリンクＰＰＤＵを生成する。ここで、アップリンクＰＰＤＵのＰＬＣＰヘッダ領域は、送信機アドレス、受信機アドレス、または持続時間のうちの１つまたは任意の組み合わせを含まず、アップリンクＰＰＤＵのデータ領域は、ＭＰＤＵを担持し、アップリンクＭＰＤＵのＭＡＣヘッダ領域は、少なくとも送信機アドレスに関する情報を含まない。
【０２５９】
具体例：  例１ｂ：ＰＬＣＰヘッダ領域が受信機アドレスまたは持続時間を含まない場合、アップリンクＰＰＤＵのデータ領域は、アップリンクＭＰＤＵを担持してよく、アップリンクＭＰＤＵのＭＡＣヘッダ領域は、送信機アドレスを含まない。
【０２６０】
例２ｂ：ＰＬＣＰヘッダ領域が、受信機アドレスを含むが持続時間を含まない場合、アップリンクＰＰＤＵのデータ領域は、アップリンクＭＰＤＵを担持してよく、アップリンクＭＰＤＵのＭＡＣヘッダ領域は、送信機アドレスに関する情報または受信機アドレスに関する情報を含まない。
【０２６１】
例３ｂ：ＰＬＣＰヘッダ領域が、持続時間を含むが受信機アドレスを含まない場合、アップリンクＰＰＤＵのデータ領域は、アップリンクＭＰＤＵを担持してよく、アップリンクＭＰＤＵのＭＡＣヘッダ領域は、送信機アドレスまたは持続時間情報を含まない。
【０２６２】
例４ｂ：ＰＬＣＰヘッダ領域が、送信機アドレスを含むが受信機アドレスまたは持続時間情報を含まない場合、アップリンクＰＰＤＵのデータ領域は、アップリンクＭＰＤＵを担持してよく、アップリンクＭＰＤＵのＭＡＣヘッダ領域は、送信機アドレスを含まない。
【０２６３】
例５ｂ：ＰＬＣＰヘッダ領域が、送信機アドレスおよび受信機アドレスを含むが持続時間を含まない場合、アップリンクＰＰＤＵのデータ領域は、アップリンクＭＰＤＵを担持してよく、アップリンクＭＰＤＵのＭＡＣヘッダ領域は、送信機アドレスに関する情報または受信機アドレスに関する情報を含まない。
【０２６４】
例６ｂ：ＰＬＣＰヘッダ領域が、送信機アドレスおよび持続時間を含むが受信機アドレスを含まない場合、アップリンクＰＰＤＵのデータ領域は、アップリンクＭＰＤＵを担持してよく、アップリンクＭＰＤＵのＭＡＣヘッダ領域は、送信機アドレスまたは持続時間情報を含まない。
【０２６５】
具体的には、例１ｂでは、アップリンクＭＰＤＵがＭＡＣ層で形成されるとき、すなわち、ＭＰＤＵのＭＡＣヘッダ領域が、少なくとも送信機アドレスを含まず、この場合、ＭＡＣヘッダ領域が送信機アドレスを含まない、アップリンクＭＰＤＵが送られる。
【０２６６】
上記の解決策は、上記の実装様式で述べられた装置および方法に適用されてよく、たとえば、生成プロセスは、処理ユニットまたはプロセッサを使用することによって実装され、送るプロセスおよび受け取るプロセスは、トランシーバを使用することによって実装され得る。当業者には、アップリンクＭＰＤＵおよびアップリンクＰＰＤＵがアクセスポイントによって受信側で対応して受け取られ処理されることも理解し得る。上記の拡張された実装様式および上述された実装様式の詳細は、論理的に組み合わされ得るが、他の拡張可能な内容は本明細書では説明されていない。
【外国語明細書】
2019135883000001.pdf